(57)【特許請求の範囲】
【請求項１】
リードインエリア、リードアウトエリア、および前記リードインエリアと前記リードアウトエリアの間にボリュームスペースを持ち、このボリュームスペースはユーザ操作に応じて再生可能なビデオ情報とこのビデオ情報に対する管理情報を格納するように構成され、
前記管理情報は、前記ビデオ情報で構成されるタイトルのサーチポインタテーブルと、前記タイトルの一部のサーチポインタテーブルと、前記ビデオ情報の再生単位としてのセルのアドレステーブルを含み、
前記ビデオ情報は、前記セルの単位で再生されるビデオオブジェクトのデータを格納するものであって、所定の再生時間範囲のデータを格納するビデオオブジェクトユニットに格納され、このデータユニットの先頭に再生制御情報を含むナビゲーションパックが配置され、
前記管理情報は、前記タイトルの一部に対する再生または検索のユーザ操作を許可または禁止する第１のユーザ操作ビット群を含み、
前記ナビゲーションパック内の前記再生制御情報は、前記ビデオオブジェクトユニットの再生に関するユーザ操作を許可または禁止する第２のユーザ操作ビット群を含み、
前記第１のユーザ操作ビット群は、前記セル単位の再生前に読み取られるように構成され、
前記第２のユーザ操作ビット群は、前記セル単位の再生後に読み取られるように構成された光ディスク。
【請求項２】
リードインエリア、リードアウトエリア、および前記リードインエリアと前記リードアウトエリアの間にボリュームスペースを持ち、このボリュームスペースはユーザ操作に応じて再生可能なビデオ情報とこのビデオ情報に対する管理情報を格納するように構成され、前記管理情報は前記ビデオ情報で構成されるタイトルのサーチポインタテーブルと前記タイトルの一部のサーチポインタテーブルと前記ビデオ情報の再生単位としてのセルのアドレステーブルを含み、前記ビデオ情報は前記セルの単位で再生されるビデオオブジェクトのデータを格納するものであって所定の再生時間範囲のデータを格納するビデオオブジェクトユニットに格納され、このデータユニットの先頭に再生制御情報を含むナビゲーションパックが配置され、前記管理情報は前記タイトルの一部に対する再生または検索のユーザ操作を許可または禁止する第１のユーザ操作ビット群を含み、前記ナビゲーションパック内の前記再生制御情報は前記ビデオオブジェクトユニットの再生に関するユーザ操作を許可または禁止する第２のユーザ操作ビット群を含み、前記第１のユーザ操作ビット群は前記セル単位の再生前に読み取られるように構成され、前記第２のユーザ操作ビット群は前記セル単位の再生後に読み取られるように構成された光ディスクを用いる方法であって、
前記管理情報を前記セル単位の再生前に読み取り、前記ビデオオブジェクトユニット内のデータを前記セル単位の再生後に読み取るように構成した再生方法。
【請求項３】
リードインエリア、リードアウトエリア、および前記リードインエリアと前記リードアウトエリアの間にボリュームスペースを持ち、このボリュームスペースはユーザ操作に応じて再生可能なビデオ情報とこのビデオ情報に対する管理情報を格納するように構成され、前記管理情報は前記ビデオ情報で構成されるタイトルのサーチポインタテーブルと前記タイトルの一部のサーチポインタテーブルと前記ビデオ情報の再生単位としてのセルのアドレステーブルを含み、前記ビデオ情報は前記セルの単位で再生されるビデオオブジェクトのデータを格納するものであって所定の再生時間範囲のデータを格納するビデオオブジェクトユニットに格納され、このデータユニットの先頭に再生制御情報を含むナビゲーションパックが配置され、前記管理情報は前記タイトルの一部に対する再生または検索のユーザ操作を許可または禁止する第１のユーザ操作ビット群を含み、前記ナビゲーションパック内の前記再生制御情報は前記ビデオオブジェクトユニットの再生に関するユーザ操作を許可または禁止する第２のユーザ操作ビット群を含み、前記第１のユーザ操作ビット群は前記セル単位の再生前に読み取られるように構成され、前記第２のユーザ操作ビット群は前記セル単位の再生後に読み取られるように構成された光ディスクを用いる装置であって、
前記管理情報を前記セル単位の再生前に読み取る手段と、前記ビデオオブジェクトユニット内のデータを前記セル単位の再生後に読み取る手段を具備した再生装置。
【請求項４】
請求項２の再生方法または請求項３の再生装置において用いられるものであって、前記第１のユーザ操作ビット群によりユーザ操作の可否が制御されるキーと、前記第２のユーザ操作ビット群によりユーザ操作の可否が制御されるキーを含んで構成されるリモートコントローラ。
【請求項５】
請求項２の再生方法で用いられるものであって、前記第１のユーザ操作ビット群によりユーザ操作の可否が制御されるキーと、前記第２のユーザ操作ビット群によりユーザ操作の可否が制御されるキーに対応した画面表示を行なう方法。
【発明の詳細な説明】
【０００１】
【発明の属する技術分野】
この発明は、ＤＶＤ再生システムにおける操作性の改善に関する。
【０００２】
【従来の技術】
近年、映像（動画）や音声等を記録した光ディスクを再生するシステムが開発され、ＬＤ（レーザディスク）あるいはビデオＣＤ（ビデオコンパクトディスク）などの様に、映画ソフトやカラオケ等を再生する目的で、一般に普及している。
【０００３】
その中で、国際規格化したＭＰＥＧ２（ムービングピクチャエキスパートグループ）方式を使用し、ＡＣー３（デジタルオーディオコンプレッション）その他のオーディオ圧縮方式を採用したＤＶＤ（デジタルバーサタイルディスク）規格が提案された。このＤＶＤ規格には、再生専用のＤＶＤビデオ（またはＤＶＤーＲＯＭ）、ライトワンスのＤＶＤーＲ、反復読み書き可能なＤＶＤ−ＲＷ（またはＤＶＤーＲＡＭ）が含まれる。
【０００４】
ＤＶＤビデオ（ＤＶＤーＲＯＭ）の規格は、ＭＰＥＧ２システムレイヤに従って、動画圧縮方式としてはＭＰＥＧ２、音声記録方式としてはリニアＰＣＭの他にＡＣ３オーディオおよびＭＰＥＧオーディオをサポートしている。さらに、このＤＶＤビデオ規格は、字幕用としてビットマップデータをランレングス圧縮した副映像データ、早送り巻き戻しデータサーチ等の再生制御用コントロールデータ（ナビゲーションデータ）を追加して構成されている。また、この規格では、コンピュータでデータを読むことができるように、ＩＳＯ９６６０およびＵＤＦブリッジフォーマットもサポートしている。
【０００５】
さらに、このＤＶＤ規格には、マルチアングル機能（同時進行する色々なカメラアングルの動画データを時分割で記録しておき、ユーザが見たいと希望するアングルだけを選択的に再生できるようにする機能）、メニュー機能（主映像データと副映像データとを組み合わせてメニュー表示し、ボタンコマンドと呼ばれる簡易コマンドを利用してユーザが希望する場面にジャンプしたり、ユーザ所望の音声や字幕の種類を選択する機能）等の機能が盛り込まれ、今までにないインタラクティブな楽しみ方ができるようになっている。タイトル制作者は、この機能を使用して、種々なメニューやインタラクティブムービーを自由に制作できる。
【０００６】
【発明が解決しようとする課題】
しかしながら、ＤＶＤ規格に色々な機能を盛り込んだ結果、その分、再生装置のキー操作が複雑化している。そのため、一般ユーザにとって、タイトルの内容によっては、操作可能なキーと操作できないキーの区別がつかない場合が生じる。
【０００７】
いま、インタラクティブなドラマの作成を考えてみる。このドラマの進行中に、その展開上、再生シーン分岐点が必要となる場合がある。シーン分岐点では、ユーザーからの選択（アクション）にしたがって再生シーンの展開を変えていく訳であるが、ある場面において、タイトル製作者としては使用して欲しくないキー操作が存在することがある。
【０００８】
ＤＶＤ規格では、そのようなキー操作を禁止する事ができるようになっている。しかしながらその場合、ユーザーにはキー操作が禁止されているのかどうか分からないため、何も知らずに禁止されたキーを押しても何の反応も無い事から困惑する可能性がある。
【０００９】
この問題の対策として、禁止されたキー操作があったときに「そのキーは使用できない」旨のマーク等をユーザに表示する方法がある。しかし、この方法では、キーを押して初めて、その時点ではそのキー操作が禁止されていることを知ることができるだけである。これでは、本来操作できないキーを押してみるという無駄な操作をユーザに強要することになり、どのシーンではどのキーが使えるかを事前に知っていない一般ユーザにとっては、使い勝手が悪いと言わざるを得ない。
【００１０】
この発明の第１の目的は、種々な操作キーのうちその時点で操作可能なキーをユーザに通知できる使用可能キー表示システムを提供することである。
【００１１】
この発明の第２の目的は、種々な操作キーのうちその時点で操作可能なキーがどれであるかをユーザに通知できるリモートコントローラを提供することである。
【００１２】
この発明の第３の目的は、種々な操作キーのうちその時点で操作可能なキーをユーザに通知できる使用可能キー表示方法を提供することである。
【００１３】
この発明の第４の目的は、種々な操作キーのうちその時点で操作可能なキーをユーザに通知するための情報を持ったデジタル情報記録媒体を提供することである。
【００１４】
この発明の第５の目的は、操作可能なキーをユーザに通知するための情報を持ったデジタル情報記録媒体から記録情報を再生するものであって、種々な操作キーのうちその時点で操作可能なキーをユーザに通知できる再生システムを提供することである。
【００１５】
【課題を解決するための手段】
この発明の一実施の形態に係る光ディスクは、リードインエリア、リードアウトエリア、および前記リードインエリアと前記リードアウトエリアの間にボリュームスペースを持ち、このボリュームスペースはユーザ操作に応じて再生可能なビデオ情報とこのビデオ情報に対する管理情報を格納するように構成される。前記管理情報は、前記ビデオ情報で構成されるタイトルのサーチポインタテーブルと、前記タイトルの一部のサーチポインタテーブルと、前記ビデオ情報の再生単位としてのセルのアドレステーブルを含む。また、前記ビデオ情報は、前記セルの単位で再生されるビデオオブジェクトのデータを格納するものであって、所定の再生時間範囲のデータを格納するビデオオブジェクトユニットに格納され、このデータユニットの先頭に再生制御情報を含むナビゲーションパックが配置される。
ここで、前記管理情報は前記タイトルの一部に対する再生または検索のユーザ操作を許可または禁止する第１のユーザ操作ビット群を含み、前記ナビゲーションパック内の前記再生制御情報は前記ビデオオブジェクトユニットの再生に関するユーザ操作を許可または禁止する第２のユーザ操作ビット群を含む。そして、前記第１のユーザ操作ビット群は前記セル単位の再生前に読み取られるように構成され、前記第２のユーザ操作ビット群は前記セル単位の再生後に読み取られるように構成される。
【００１６】
また、この発明に係るリモートコントローラは、記録内容本体としてのタイトルと、ユーザ操作の可否を決めるユーザ操作ビット群とが記録された媒体から、前記タイトルを再生する装置に適用されるものであって、前記ユーザ操作ビット群がユーザ操作を禁止する内容を含むときに、このユーザ操作ビット群の内容で禁止されない操作キーが目立つように表示されるように構成している。
【００１７】
さらに、この発明に係る使用可能キー表示方法は、記録されたデータの再生を制御する再生制御情報と、この再生制御情報に含まれる再生制御情報一般情報と、この再生制御情報一般情報に含まれるビデオオブジェクトユニットユーザ操作制御情報とが記録された媒体を使用するものであって、前記ビデオオブジェクトユニットユーザ操作制御情報から、ユーザ操作の可否を決めるユーザ操作ビット群を取り出すステップと、前記ユーザ操作ビット群がユーザ操作を禁止する内容を含むときに、このユーザ操作ビット群の内容で禁止されないキー操作をユーザに通知するステップとを備えている。
【００１８】
また、この発明に係るデジタル情報記録媒体は、記録内容本体としてのタイトルと、このタイトルの記録内容を検索するタイトル検索情報と、このタイトル検索情報に含まれる再生タイトル形式情報とが記録され、再生装置に装着される媒体において、前記再生タイトル形式情報が、前記再生装置に読み込まれた後にユーザ操作の可否を決めるユーザ操作ビット群を含み、前記ユーザ操作ビット群がユーザ操作を禁止する内容を含むときに、このユーザ操作ビット群の内容で禁止されないキー操作をユーザに通知できるようにする情報を前記再生装置に提供するように構成している。
【００１９】
さらに、この発明に係る再生システムは、再生中に使用が禁止される操作キーを指定するユーザ操作禁止情報を持った情報記録媒体から記録情報を再生するものであって、多様な操作キーを備えたリモートコントローラにより操作される再生装置において、前記再生装置が、前記情報記録媒体から前記ユーザ操作禁止情報を取り出す取出手段と；前記取出手段から取り出された前記ユーザ操作禁止情報に基づいて操作が禁止されるキーを判定しその判定結果を提供する禁止キー判定手段と；前記禁止キー判定手段からの判定結果を前記リモートコントローラに転送する転送手段とを備え、前記リモートコントローラが、前記転送手段から転送された前記判定結果を受信する受信手段と；前記受信手段で受信された前記判定結果に基づいて使用可能な操作キーを目立つように表示させる使用可能キー表示手段とを備えている。
【００３３】
【発明の実施の形態】
以下、図面を参照して、この発明の一実施の形態に係る使用可能キー表示システムを説明する。なお、重複説明を避けるために、複数の図面に渡り機能上共通する部分には共通の参照符号が用いられている。
【００３４】
図１は、再生専用の光ディスク（ＤＶＤーＲＯＭ）あるいは記録・再生が可能な光ディスク（ＤＶＤーＲＡＭ、ＤＶＤ−ＲＷまたはＤＶＤ−Ｒ）の構造を示す。この発明の使用可能キー表示システムは、たとえば図１に示されるような光ディスク１０に記録された「ユーザ操作制御情報ＵＯＰ」を利用する。
【００３５】
図１に示すように、この光ディスク１０は、それぞれ記録層１７が設けられた一対の透明基板１４を接着層２０で貼り合わせた構造を持つ。各基板１４は０．６ｍｍ厚のポリカーボネートで構成することができ、接着層２０は極薄（たとえば４０μｍ厚）の紫外線硬化性樹脂で構成することができる。これら一対の０．６ｍｍ基板１４を、記録層１７が接着層２０の面上で接触するようにして貼り合わすことにより、１．２ｍｍ厚の大容量光ディスク１０が得られる。
【００３６】
光ディスク１０には中心孔２２が設けられており、ディスク両面の中心孔２２の周囲には、この光ディスク１０を回転駆動時にクランプするためのクランプエリア２４が設けられている。中心孔２２には、図示しないディスクドライブ装置に光ディスク１０が装填された際に、ディスクモータのスピンドルが挿入される。そして、光ディスク１０は、そのクランプエリア２４において、図示しないディスククランパにより、ディスク回転中クランプされる。
【００３７】
光ディスク１０は、クランプエリア２４の周囲に、ビデオデータ、オーディオデータその他の情報を記録することができる情報エリア２５を有している。
【００３８】
情報エリア２５のうち、その外周側にはリードアウトエリア２６が設けられている。また、クランプエリア２４に接する内周側にはリードインエリア２７が設けられている。そして、リードアウトエリア２６とリードインエリア２７との間にデータ記録エリア２８が定められている。
【００３９】
情報エリア２５の記録層（光反射層）１７には、記録トラックがたとえばスパイラル状に連続して形成されている。その連続トラックは複数の物理セクタに分割され、これらのセクタには連続番号が付されている。このセクタを記録単位として、光ディスク１０に種々なデータが記録される。
【００４０】
データ記録エリア２８は、実際のデータ記録領域であって、記録・再生情報として、映画等のビデオデータ（主映像データ）、字幕・メニュー等の副映像データおよび台詞・効果音等のオーディオデータが、同様なピット列（レーザ反射光に光学的な変化をもたらす物理的な形状あるいは相状態）として記録されている。
【００４１】
光ディスク１０が片面１層で両面記録のＲＡＭディスクの場合は、各記録層１７は、２つの硫化亜鉛・酸化シリコン混合物（ＺｎＳ・ＳｉＯ２）で相変化記録材料層（たとえばＧｅ２Ｓｂ２Ｔｅ５）を挟み込んだ３重層により構成できる。
【００４２】
光ディスク１０が片面１層で片面記録のＲＡＭディスクの場合は、読み出し面１９側の記録層１７は、上記相変化記録材料層を含む３重層により構成できる。この場合、読み出し面１９から見て反対側に配置される層１７は情報記録層である必要はなく、単なるダミー層でよい。
【００４３】
光ディスク１０が片面読み取り型の２層ＲＡＭ／ＲＯＭディスクの場合は、２つの記録層１７は、１つの相変化記録層（読み出し面１９からみて奥側；読み書き用）と１つの半透明金属反射層（読み出し面１９からみて手前側；再生専用）で構成できる。
【００４４】
光ディスク１０がライトワンスのＤＶＤーＲである場合は、基板としてはポリカーボネートが用いられ、、図示しない反射膜としては金、図示しない保護膜としては紫外線硬化樹脂を用いることができる。この場合、記録層１７には有機色素が用いられる。この有機色素としては、シアニン、スクアリリウム、クロコニック、トリフェニルメンタン系色素、キサンテン、キノン系色素（ナフトキン、アントラキノン等）、金属錯体系色素（フタロシアン、ボルフィリン、ジチオール錯体等）その他が利用可能である。
【００４５】
このようなＤＶＤ−Ｒディスクへのデータ書き込みは、たとえば波長６５０ｎｍで出力６〜１２ｍＷ程度の半導体レーザを用いて行うことができる。
【００４６】
光ディスク１０が片面読み取り型の２層ＲＯＭディスクの場合は、２つの記録層１７は、１つの金属反射層（読み出し面１９からみて奥側）と１つの半透明金属反射層（読み出し面１９からみて手前側）で構成できる。
【００４７】
読み出し専用のＤＶＤーＲＯＭディスク１０では、基板１４にピット列が予めスタンパーで形成され、このピット列が形成された基板１４の面に金属等の反射層が形成され、この反射層が記録層１７として使用されることになる。このようなＤＶＤ−ＲＯＭディスク１０では、通常、記録トラックとしてのグルーブは特に設けられず、基板１４の面に形成されたピット列がトラックとして機能するようになっている。
【００４８】
上記各種の光ディスク１０において、再生専用のＲＯＭ情報はエンボス信号として記録層１７に記録される。これに対して、読み書き用（またはライトワンス用）の記録層１７を持つ基板１４にはこのようなエンボス信号は刻まれておらず、その代わりに連続のグルーブ溝が刻まれている。このグルーブ溝に、相変化記録層が設けられるようになっている。読み書き用ＤＶＤーＲＡＭディスクの場合は、さらに、グルーブの他にランド部分の相変化記録層も情報記録に利用される。
【００４９】
なお、光ディスク１０が片面読み取りタイプ（記録層が１層でも２層でも）の場合は、読み出し面１９から見て裏側の基板１４は読み書き用レーザに対して透明である必要はない。この場合は裏側基板１４全面にラベル印刷がされていても良い。
【００５０】
図２は、図１の光ディスク（ＤＶＤーＲＯＭ等）１０のデータ記録エリア２８とそこに記録されるデータの記録トラックとの対応関係を説明する図である。
【００５１】
ディスク１０がＤＶＤ−ＲＡＭ（またはＤＶＤ−ＲＷ）の場合は、デリケートなディスク面を保護するために、ディスク１０の本体がカートリッジ１１に収納されるようになっている。ＤＶＤ−ＲＡＭディスク１０がカートリッジ１１ごと図示しないＤＶＤビデオレコーダのディスクドライブに挿入されると、カートリッジ１１からディスク１０が引き出されて図示しないスピンドルモータのターンテーブルにクランプされ、図示しない光ヘッドに向き合うようにして回転駆動される。
【００５２】
一方、ディスク１０がＤＶＤーＲまたはＤＶＤーＲＯＭの場合は、ディスク１０の本体はカートリッジ１１に収納されておらず、裸のディスク１０がディスクドライブのディスクトレイに直接セットされるようになる。
【００５３】
図１に示した情報エリア２５の記録層１７には、データ記録トラックがスパイラル状に連続して形成されている。その連続するトラックは、図２に示すように一定記憶容量の複数論理セクタ（最小記録単位）に分割され、この論理セクタを基準にデータが記録されている。１つの論理セクタの記録容量は、後述する１パックデータ長と同じ２０４８バイト（あるいは２ｋバイト）に決められている。
【００５４】
データ記録エリア２８には、実際のデータ記録領域であって、管理データ、主映像（ビデオ）データ、副映像データおよび音声（オーディオ）データが同様に記録されている。
【００５５】
なお、ＤＶＤ−ＲＡＭまたはＤＶＤ−ＲＷの場合、図示はしないが、図２のディスク１０のデータ記録エリア２８は、リング状（年輪状）に複数の記録エリア（複数の記録ゾーン）に分割することができる。各記録ゾーン毎にディスク回転の角速度は異なるが、各ゾーン内では線速度または角速度を一定にすることができる。この場合、各ゾーン毎に予備の記録エリア（フリースペース）を設けることができる。このゾーン毎のフリースペースを集めて、そのディスク１０のリザーブエリアとすることができる。
【００５６】
図３は、図１または図２の光ディスク（ＤＶＤ−ＲＯＭ等）１０に記録される情報の論理構造を説明する図である。図２の光ディスク１０に形成されたデータ記録領域２８は、図３に示すようなボリュームおよびファイル構造を有している。この構造の論理フォーマットは、たとえば標準規格の１つであるＩＳＯ９６６０およびユニバーサルディスクフォーマット（ＵＤＦ）ブリッジに準拠して定められている。
【００５７】
リードインエリア２７からリードアウトエリア２６までの間のデータ記録領域２８はボリューム空間として割り当てられ、このボリューム空間は特定規格（ここではＤＶＤ規格とする）のアプリケーションのための空間およびこの特定規格のアプリケーション以外のための空間を含むことができる。
【００５８】
データ記録領域２８のボリューム空間は、多数のセクタに物理的に分割され、それらの物理的セクタには連続番号が付されている。このボリューム空間（データ記録領域２８）に記録されるデータの論理アドレスは、ＩＳＯ９６６０およびＵＤＦブリッジで定められるように論理セクタ番号（Ｌｏｇｉｃａｌ  Ｓｅｃｔｏｒ  Ｎｕｍｂｅｒ；ＬＳＮ）を意味している。ここでの論理セクタサイズは物理セクタサイズと同様に２０４８バイト（あるいは２ｋバイト）としてある。論理セクタ番号（ＬＳＮ）は、物理セクタ番号の昇順に対応して連続番号が付加されている。
【００５９】
図３に示すように、データ記録領域２８のボリューム空間は階層構造を有しており、ボリュームおよびファイル構造領域７０、１以上のビデオタイトルセットＶＴＳ７２からなるＤＶＤビデオ領域７１、および他の記録領域７３を含んでいる。これら領域は、論理セクタの境界上で区分されている。ここで、１論理セクタは２０４８バイトと定義され、１論理ブロックも２０４８バイトと定義される。したがって、１論理セクタは１論理ブロックと対等に定義される。
【００６０】
ファイル構造領域７０は、ＩＳＯ９６６０およびＵＤＦブリッジに定められる管理領域に相当する。この領域７０の記述に基づいて、ビデオマネージャーＶＭＧの内容が後述するＤＶＤプレーヤ（図７６）のメモリに格納される。
【００６１】
ビデオマネージャーＶＭＧは複数のファイル７４Ａで構成され、これらのファイルには、ビデオタイトルセット（ＶＴＳ＃１〜＃ｎ）７２を管理する情報（後述するビデオマネージャ情報ＶＭＧＩ、ビデオマネージャメニュー用ビデオオブジェクトセットＶＭＧＭ＿ＶＯＢＳ、ビデオマネージャ情報バックアップファイルＶＭＧＩ＿ＢＵＰ）が記述されている。
【００６２】
各ビデオタイトルセットＶＴＳ７２には、ＭＰＥＧ等の所定規格により圧縮されたビデオデータ（後述するビデオパック）、所定規格により圧縮されあるいは非圧縮のオーディオデータ（後述するオーディオパック）、およびランレングス圧縮された副映像データ（後述する副映像パック；１画素が複数ビットで定義されたビットマップデータを含む）とともに、これらのデータを再生するための情報（後述するナビゲーションパック；再生制御情報／プレゼンテーション制御情報ＰＣＩやデータサーチ情報ＤＳＩを含む）が格納されている。
【００６３】
このビデオタイトルセット（ＶＴＳ）７２も、ビデオマネージャーＶＭＧと同様に、複数のファイル７４Ｂで構成されている。各ファイル７４Ｂは、ビデオタイトルセット情報（ＶＴＳＩ）、ビデオタイトルセットメニュー用オブジェクトセット（ＶＴＳＭ＿ＶＯＢＳ）、ビデオタイトルセットタイトル用ビデオオブジェクトセット（ＶＴＳＴＴ＿ＶＯＢＳ；最大９ファイル）、ビデオタイトルセット情報のバックアップ（ＶＴＳＩ＿ＢＵＰ）を含んでいる。
【００６４】
ここでは、ビデオタイトルセット（ＶＴＳ＃１〜＃ｎ）７２の数は最大９９個に制限され、また、各ビデオタイトルセット（ＶＴＳ）７２を構成するファイル７４Ｂの数は最大１２個に定められているとする。これらのファイル７４Ａおよび７４Ｂは、論理セクタの境界で、同様に区分されている。
【００６５】
他の記録領域７３には、上述したビデオタイトルセット（ＶＴＳ）７２で利用可能な情報、あるいはビデオタイトルセットとは関係ない他の情報を記録することができる。この他の記録領域７３は必須ではなく、使用しないなら削除されてもよい。
【００６６】
図３の各ビデオタイトルセット（ＶＴＳ）７２は、複数のビデオオブジェクトセット（ＶＴＳＴＴ＿ＶＯＢＳ）を含んでいる。後に説明するが、ビデオタイトルセット（ＶＴＳ）７２中のビデオオブジェクトセット（ＶＯＢＳ）には、ビデオタイトルセットメニュー用ビデオオブジェクトセット（ＶＴＳＭ＿ＶＯＢＳ）、および１以上のビデオタイトルセットのタイトルのためのビデオオブジェクトセット（ＶＴＳＴＴ＿ＶＯＢＳ）があり、いずれのビデオオブジェクトセットもその用途が異なるのみで同様の構造を有している。
【００６７】
ビデオオブジェクトセット（ＶＴＳＴＴ＿ＶＯＢＳ）は１以上のビデオオブジェクトユニット（ＶＯＢＵ）で構成され、各ビデオオブジェクトユニット（ＶＯＢＵ）は１以上のセルで構成されている。そして、セルを単位とした集合であるビデオオブジェクトセット（ＶＴＳＴＴ＿ＶＯＢＳ）により、１以上のプログラムチェーン（ＰＧＣ）が記録される。マルチストーリを構成する各ストーリは、このＰＧＣを単位に構成できる。
【００６８】
図４は、光ディスク１０に記録される情報（データファイル）のディレクトリ構造を例示している。図３の階層構造が採用される場合は、コンピュータの汎用オペレーティングシステムが採用している階層ファイル構造と同様に、ルートディレクトリの下にビデオタイトルセットＶＴＳのサブディレクトリとオーディオタイトルセットＡＴＳのサブディレクトリが繋がっている。そして、ビデオタイトルセットＶＴＳのサブディレクトリ中に、種々なビデオファイル（ＶＭＧＩ、ＶＭＧＭ、ＶＴＳＩ、ＶＴＳＭ、ＶＴＳ等のファイル）が配置されて、各ファイルが整然と管理されるようになっている。特定のファイル（たとえば特定のＶＴＳ）は、ルートディレクトリからそのファイルまでのパスを指定することで、アクセスできる。
【００６９】
図１または図２に示すようなＤＶＤーＲＡＭ（ＤＶＤーＲＷ）ディスク１０またはＤＶＤーＲディスク１０は、図４のディレクトリ構造を持つようにプリフォーマットしておき、このプリフォーマット済みディスク１０をＤＶＤビデオ録画用の未使用ディスク（生ディスク）として市販することができる。
【００７０】
たとえば、プリフォーマットされた生ディスク１０のルートディレクトリは、ビデオタイトルセットまたはオーディオ・ビデオデータというサブディレクトリを含むことができる。このサブディレクトリは、所定のメニュー情報を格納するためのメニューデータファイル（ＶＭＧＭ、ＶＴＳＭ等）をさらに含むことができる。
【００７１】
図５は、図１０のディレクトリ構造に対応したディレクトリレコードの内容を示す。その内容は次のようになっている。
【００７２】
相対バイト位置”０”には、ディレクトリレコード長が記載される。
【００７３】
相対バイト位置”１”には、割り当てられた拡張属性レコード長が記載される。
【００７４】
相対バイト位置”２”には、拡張に割り当てられた最初の論理セクタの番号が記載される。
【００７５】
相対バイト位置”１０”には、ファイル部分のデータ長が記載される。
【００７６】
相対バイト位置”１８”には、ディレクトリレコードに記載された拡張内の情報が記録されたときの日時が記載される。この相対バイト位置”１８”のデータは、ＤＶＤビデオレコーダでは、録画番組（特定のＶＴＳあるいは特定のオーディオ・ビデオデータに相当）の録画日時の記録に利用できる。
【００７７】
相対バイト位置”２５”には、ＩＳＯ９６６０の表１０内に規定されるファイルの特性を示すファイルフラグが記載される。
【００７８】
相対バイト位置”２６”には、ファイル部分に割り当てられたファイルユニットサイズが記載される。
【００７９】
相対バイト位置”２７”には、ファイル部分に割り当てられたインターリーブギャップのサイズが記載される。
【００８０】
相対バイト位置”２８”には、ディレクトリレコードに記載された拡張上のボリュームセット内のボリューム連番が記載される。
【００８１】
相対バイト位置”３２”には、ディレクトリレコードのファイルＩＤフィールドの長さが記載される。
【００８２】
１１番目の相対バイト位置”３３”には、ファイルＩＤまたはＩＳＯ９６６０で規定されるディレクトリが記載される。
【００８３】
上記ファイルＩＤの次には、ファイルＩＤフィールドの長さが偶数バイトのときの詰め物として用いられるパディングフィールドが記載される。
【００８４】
上記パディングフィールドの次には、システムが使用する管理情報が記載される。
【００８５】
図６は、光ディスク１０がＤＶＤビデオＲＯＭである場合において、図３のビデオマネージャＶＭＧの構造を説明する図である。このビデオマネージャーＶＭＧは、複数のファイル７４Ａで構成されており、各ファイルに対応して、図６に示すような３つの項目を含んでいる。
【００８６】
すなわち、ビデオマネージャＶＭＧは、ビデオマネージャー情報（ＶＭＧＩ）７５と、ビデオマネージャーメニュー用オブジェクトセット（ＶＭＧＭ＿ＶＯＢＳ）７６と、ビデオマネージャー情報のバックアップ（ＶＭＧＩ＿ＢＵＰ）７７を含んでいる。
【００８７】
ここで、ビデオマネージャー情報（ＶＭＧＩ）７５およびビデオマネージャー情報のバックアップ（ＶＭＧＩ＿ＢＵＰ）７７は必須の項目とし、ビデオマネージャー情報メニュー（ＶＭＧＭ）を表示するためのビデオオブジェクトセット（ＶＭＧＭ＿ＶＯＢＳ）７６はオプションとすることができる。
【００８８】
ビデオマネージャー情報メニュー用ビデオオブジェクトセット（ＶＭＧＭ＿ＶＯＢＳ）７６には、光ディスク１０に記録されたビデオデータ、オーディオデータおよび副映像データに関するメニュー情報（ビデオマネージャーＶＭＧが管理する）が格納されている。
【００８９】
このビデオマネージャー情報メニュー用ビデオオブジェクトセット（ＶＭＧＭ＿ＶＯＢＳ）７６によって、再生しようとする光ディスクのボリューム名、ボリューム名表示に伴う音声および副映像の説明を表示できるとともに、選択可能な項目を副映像で表示できる。
【００９０】
たとえば、ビデオマネージャー情報メニュー用ビデオオブジェクトセット（ＶＭＧＭ＿ＶＯＢＳ）７６によって、これから再生しようとする光ディスクがあるボクサーＸのワールドチャンピオンに至るまでの試合を格納したビデオを（シングルストーリあるいはマルチストーリの形態で）含む旨を表示できるようになる。すなわち、ボクサーＸの栄光の歴史等のボリューム名とともにボクサーＸのファイティングポーズがビデオデータで再生され、かつ彼のテーマソングが（もしあれば）音声出力され、さらに副映像で彼の経歴・戦歴の年表等が表示される。
【００９１】
また、ＶＭＧＭ用ビデオオブジェクトセット（ＶＭＧＭ＿ＶＯＢＳ）７６により表示される選択項目として、試合のナレーションを英語、日本語、仏語、独語等のいずれの言語で再生するかの問い合わせとともに、副映像で所定言語の字幕を表示するか否か、あるいは選択可能な複数言語字幕のいずれを選択するかの問い合わせが、たとえばメニュー形式で、出力される。このＶＭＧＭ用ビデオオブジェクトセット（ＶＭＧＭ＿ＶＯＢＳ）７６による表示から、視聴者は、たとえば音声は英語、副映像字幕は日本語を選択することができる。こうして、ボクサーＸの試合のビデオを鑑賞する準備が整うこととなる。
【００９２】
図６に示すように、ビデオマネージャＶＭＧの先頭に配置されたビデオマネージャー情報（ＶＭＧＩ）７５には、ビデオマネージャー情報管理テーブル（ＶＭＧＩ＿ＭＡＴ；必須）７５１、タイトルサーチポインタテーブル（ＴＴ＿ＳＲＰＴ；必須）７５２、ビデオマネージャメニューのプログラムチェーン情報ユニットテーブル（ＶＭＧＭ＿ＰＧＣＩ＿ＵＴ；ＶＭＧＭ＿ＶＯＢＳが存在するときは必須）７５３、パレンタル管理情報テーブル（ＰＴＬ＿ＭＡＩＴ；オプション）７５４、ビデオタイトルセット属性テーブル（ＶＴＳ＿ＡＴＲＴ；必須）７５５、テキストデータマネージャ（ＴＸＴＤＴ＿ＭＧ；オプション）７５６、ビデオマネージャメニューセルアドレステーブル（ＶＭＧＭ＿Ｃ＿ＡＤＴ；ＶＭＧＭ＿ＶＯＢＳが存在するときは必須）７５７、およびビデオマネージャメニュービデオオブジェクトユニットアドレスマップ（ＶＭＧＭ＿ＶＯＢＵ＿ＡＤＭＡＰ；ＶＭＧＭ＿ＶＯＢＳが存在するときは必須）７５８が、この順番で記述されている。
【００９３】
ビデオマネージャ情報７５内の上記テーブル・マップ等（７５１〜７５８）は、図３の各ビデオタイトルセット（ＶＴＳ）７２を再生するときに用いられる情報を含むもので、これらは論理セクタの境界と一致するように光ディスク１０に記録される。
【００９４】
図６において、必須扱いのビデオマネージャ情報管理テーブル（ＶＭＧＩ＿ＭＡＴ）７５１には、ビデオマネージャーＶＭＧのサイズ、ビデオマネージャーＶＭＧ中の各情報のスタートアドレス、ビデオマネージャヤーメニュー用のビデオオブジェクトセット（ＶＭＧＭ＿ＶＯＢＳ）７６に関する属性情報等が記述されている。
【００９５】
また、必須扱いのタイトルサーチポインターテーブル（ＴＴ＿ＳＲＰＴ）７５２には、ユーザにより入力されたタイトル番号に応じて選定可能な、光ディスク１０中のボリュームに含まれるビデオタイトルのエントリープログラムチェーン（ＥＰＧＣ）が記載されている。
【００９６】
図７は、図６のビデオマネージャ情報管理テーブルＶＭＧＩ＿ＭＡＴの内容を説明する図である。
【００９７】
図７のビデオマネージャ情報管理テーブル（ＶＭＧＩ＿ＭＡＴ）７５１には、ビデオマネージャー識別子（ＶＭＧ＿ＩＤ）；ビデオマネージャのエンドアドレス（ＶＭＧ＿ＥＡ）；ビデオマネージャ情報のエンドアドレス（ＶＭＧＩ＿ＥＡ）；該当光ディスク（ＤＶＤ）１０が採用する規格のバージョン番号（ＶＥＲＮ）；ビデオマネージャのカテゴリー（ＶＭＧ＿ＣＡＴ）；ボリューム設定識別子（ＶＬＭＳ＿ＩＤ）；ビデオタイトルセット数（ＶＴＳ＿Ｎｓ）；プロバイダ（ディスクに記録されるソフトウエアの制作・販売元）の識別子（ＰＶＲ＿ＩＤ）；ビデオマネージャ情報管理テーブルのエンドアドレス（ＶＭＧＩ＿ＭＡＴ＿ＥＡ）；ファーストプレイプログラムチェーン情報のスタートアドレス（ＦＰ＿ＰＧＣＩ＿ＳＡ）；ビデオマネージャメニューのビデオオブジェクトセットのスタートアドレス（ＶＭＧＭ＿ＶＯＢＳ＿ＳＡ）；タイトルサーチポインタテーブルのスタートアドレス（ＴＴ＿ＳＲＰＴ＿ＳＡ）；ビデオマネージャメニューのプログラムチェーン情報のユニットテーブルのスタートアドレス（ＶＭＧＭ＿ＰＧＣＩ＿ＵＴ＿ＳＡ）；パレンタル管理情報テーブルのスタートアドレス（ＰＴＬ＿ＭＡＩＴ＿ＳＡ）；ビデオタイトルセット属性テーブルのスタートアドレス（ＶＴＳ＿ＡＴＲＴ＿ＳＡ）；テキストデータマネージャのスタートアドレス（ＴＸＴＤＴ＿ＭＧ＿ＳＡ）；ビデオマネージャメニューセルアドレステーブルのスタートアドレス（ＶＭＧＭ＿Ｃ＿ＡＤＴ＿ＳＡ）；ビデオマネージャメニュービデオオブジェクトユニットアドレスマップのスタートアドレス（ＶＭＧＭ＿ＶＯＢＵ＿ＡＤＭＡＰ＿ＳＡ）；ビデオマネージャメニューに示されるビデオ属性（ＶＭＧＭ＿Ｖ＿ＡＲＴ）；ビデオマネージャメニューに示されるオーディオストリーム数（ＶＭＧＭ＿ＡＳＴ＿Ｎｓ）；ビデオマネージャメニューに示されるオーディオストリーム属性（ＶＭＧＭ＿ＡＳＴ＿ＡＴＲ）；ビデオマネージャメニューに示される副映像ストリーム数（ＶＭＧＭ＿ＳＰＳＴ＿Ｎｓ）；ビデオマネージャメニューに示される副映像ストリーム属性（ＶＭＧＭ＿ＳＰＳＴ＿ＡＴＲ）；およびファーストプレイプログラムチェーン情報（ＦＰ＿ＰＧＣＩ）が記載されている。
【００９８】
なお、ビデオマネージャ情報管理テーブル（ＶＭＧＩ＿ＭＡＴ）７５１のビデオマネージャのカテゴリー（ＶＭＧ＿ＣＡＴ）には、ビデオマネージャおよびビデオタイトルセットのビデオコピーフラグおよびオーディオコピーフラグが記載される。これらのフラグの内容によって、ビデオおよび音声のコピーの可否がそれぞれ個別に決定される。
【００９９】
ビデオマネージャ情報管理テーブル（ＶＭＧＩ＿ＭＡＴ）７５１の終了アドレス（ＶＭＧＩ＿ＭＡＴ＿ＥＡ）やタイトルサーチポインタ（ＴＴ＿ＳＲＰＴ）７５２のスタートアドレス（ＴＴ＿ＳＲＰＴ＿ＳＡ）等のアドレスは、このテーブル（ＶＭＧＩ＿ＭＡＴ）７５１が格納された先頭論理ブロックからの相対的な論理ブロック数で記載されている。
【０１００】
ここで、図６の説明に戻る。ビデオマネージャＶＭＧ内のビデオタイトルセット属性テーブル（ＶＴＳ＿ＡＴＲＴ）７５５には、ビデオタイトルセット属性情報テーブル（ＶＴＳ＿ＡＴＲＴＩ）と、各ビデオタイトルセット用のビデオタイトルセット属性サーチポインタ（ＶＴＳ＿ＡＴＲ＿ＳＲＰ）と、各ビデオタイトルセット用のビデオタイトルセット属性（ＶＴＳ＿ＡＴＲ）とが含まれる。
【０１０１】
上記ビデオタイトルセット属性情報テーブル（ＶＴＳ＿ＡＴＲＴＩ）には、ビデオタイトルセット（ＶＴＳ）７２の数（最大９９タイトル）、ビデオタイトルセット属性テーブルのエンドアドレス等が記述される。
【０１０２】
上記ビデオタイトルセット属性サーチポインタ（ＶＴＳ＿ＡＴＲ＿ＳＲＰ）には、ビデオタイトルセット属性（ＶＴＳ＿ＡＴＲ）のスタートアドレス等が記述される。
【０１０３】
上記ビデオタイトルセット属性（ＶＴＳ＿ＡＴＲ）には、ビデオタイトルセット属性（ＶＴＳ＿ＡＴＲ）のエンドアドレス、ビデオタイトルセットのカテゴリー、ビデオタイトルセット属性情報等が記述される。
【０１０４】
上記ビデオタイトルセット属性情報としては、ビデオデータの圧縮方式その他のビデオ属性；圧縮の有無、圧縮方式、チャネル数その他のオーディオストリーム属性；副映像を用いた字幕あるいはメニューの表示形式等に関する副映像の属性等が記載される。
【０１０５】
図８は、図６のタイトルサーチポインタテーブルＴＴ＿ＳＲＰＴの内容を説明する図である。タイトルサーチポインターテーブル（ＴＴ＿ＳＲＰＴ）７５２には、始めにタイトルサーチポインターテーブル情報（ＴＴ＿ＳＲＰＴＩ）７５２Ａが記載され、続いて番号＃１から＃ｎ（ｎ≦９９）までのタイトルサーチポインタ（ＴＴ＿ＳＲＰ）７５２Ｂが、ボリューム内のタイトル数だけ連続的に記載されている。このボリューム内に１タイトルのビデオタイトルセット（ＶＴＳ）７２しか格納されていない場合には、テーブル（ＴＴ＿ＳＲＰＴ）７５２には、１つのタイトルサーチポインタ（ＴＴ＿ＳＲＰ＃１）７５２Ｂ１しか記載されない。
【０１０６】
図９は、図８のタイトルサーチポインタテーブル情報ＴＴ＿ＳＲＰＴＩの内容を説明する図である。タイトルサーチポインターテーブル情報（ＴＴ＿ＳＲＰＴＩ）７５２Ａには、タイトルサーチポインタ７５２Ｂの数（ＴＴ＿Ｎｓ）およびタイトルサーチポインターテーブル（ＴＴ＿ＳＲＰＴ）７５２の終了アドレス（ＴＴ＿ＳＲＰＴ＿ＥＡ）が記載されている。このアドレス（ＴＴ＿ＳＲＰＴ＿ＥＡ）は、このタイトルサーチポインタテーブル（ＴＴ＿ＳＲＰＴ）７５２の先頭バイトからの相対的なバイト数で記載される。
【０１０７】
図１０は、図８に示した各タイトル＃ｎ用のタイトルサーチポインタＴＴ＿ＳＲＰの内容を説明する図である。各タイトルサーチポインタ（ＴＴ＿ＳＲＰ）７５２Ｂには、タイトルの再生タイプ（ＴＴ＿ＰＢ＿ＴＹ）と、アングル数（ＡＧＬ＿Ｎｓ）と、パートオブタイトル数（ＰＴＴ＿Ｎｓ）と、該当タイトルのパレンタル識別子フィールド（ＴＴ＿ＰＴＬ＿ＩＤ＿ＦＬＤ）と、ビデオタイトルセット番号（ＶＴＳＮ）と、ビデオタイトルセットのタイトル数（ＶＴＳ＿ＴＴＮ）と、ビデオタイトルセットのスタートアドレス（ＶＴＳ＿ＳＡ）とが記載されている。
【０１０８】
上記タイトルサーチポインタＴＴ＿ＳＲＰに含まれるアングル数（ＡＧＬ＿Ｎｓ）には、該当タイトル内のアングルブロック内のアングル数（＃１〜＃９）が記述される。パートオブタイトル数（ＰＴＴ＿Ｎｓ）には、タイトル内の部分タイトル（たとえば複数のチャプターに分割されたタイトル）の番号（たとえばチャプター番号）が記述される。タイトルのパレンタル識別子フィールド（ＴＴ＿ＰＴＬ＿ＩＤ＿ＦＬＤ）には、該当タイトルのパレンタルＩＤフィールドが記述される。このパレンタルＩＤフィールドの記述内容に基づいて、該当タイトルの所定部分（１カ所若しくは複数箇所）の再生を所定の禁止レベルで制限できる。
【０１０９】
ビデオタイトルセット番号（ＶＴＳＮ）には、該当タイトルが含まれるビデオタイトルセットを示すビデオタイトルセット番号（＃１〜＃９９）が記述される。ビデオタイトルセットのタイトル数（ＶＴＳ＿ＴＴＮ）には、ビデオタイトルセットのタイトル番号が記述される。このタイトル数（ＶＴＳ＿ＴＴＮ）は、ビデオタイトルセット番号（ＶＴＳＮ）で示されるビデオタイトルセットのパートオブタイトルサーチポインタテーブル（ＶＴＳ＿ＰＴＴ＿ＳＲＰＴ）内の対応タイトルユニット（ＴＴＵ）にアクセスするために用いられる。ビデオタイトルセットスタートアドレス（ＶＴＳ＿ＳＡ）には、ビデオタイトルセット番号（ＶＴＳＮ）で示されるビデオタイトルセット（ＶＴＳ）のスタートアドレスが記述される。
【０１１０】
上述したタイトルサーチポインタ（ＴＴ＿ＳＲＰ）７５２Ｂの内容によって、これから再生されるビデオタイトルセット（ＶＴＳ）７２が特定されるとともに、そのビデオタイトルセット（ＶＴＳ）７２の光ディスク１０上での格納位置が特定される。その際、ビデオタイトルセット（ＶＴＳ）７２のスタートアドレス（ＶＴＳ＿ＳＡ）は、ビデオタイトルセット番号（ＶＴＳＮ）で指定されたタイトルセットに対する論理ブロック数で記載される。
【０１１１】
図１１は、図１０に示したタイトル再生タイプＴＴ＿ＰＢ＿ＴＹの内容を説明する図である。タイトルサーチポインタＴＴ＿ＳＲＰに含まれる１バイト（８ビット）のタイトルの再生タイプ（ＴＴ＿ＰＢ＿ＴＹ）には、予約ビットｂ７と、タイトルタイプフラグ（ＴＴ＿ＴＹ）ｂ６と、４つのタイトル再生タイプフラグ（ＴＴ＿ＰＢ＿ＴＹ１〜ＴＴ＿ＰＢ＿ＴＹ４）ｂ５〜ｂ２と、２つのユーザ操作禁止フラグ（ＵＯＰ１；ＵＯＰ０）ｂ１〜ｂ０が記述される。タイトル再生タイプフラグ（ＴＴ＿ＰＢ＿ＴＹ１〜ＴＴ＿ＰＢ＿ＴＹ４）は、リンク／ジャンプ／コール等の指令の有無を示す。
【０１１２】
タイトルタイプフラグ（ＴＴ＿ＴＹ）が０ｂ（バイナリ０）のときは、該当タイトルが１シーケンシャルプログラムチェーンのタイトルであることが示され、フラグ（ＴＴ＿ＴＹ）が１ｂのときは、該当タイトルが１ランダムプログラムチェーンのタイトルあるいはマルチプログラムチェーンのタイトルであることが示される。
【０１１３】
また、各再生タイプフラグビット（ＴＴ＿ＰＢ＿ＴＹ１〜ＴＴ＿ＰＢ＿ＴＹ４）によって、そのビット内容が０ｂのときはセルコマンドあるいはボタンコマンドにリンク／ジャンプ／コール等の指令がないことが示され、そのビット内容が１ｂのときはセルコマンドあるいはボタンコマンドにリンク／ジャンプ／コール等の指令が存在することが示される。
【０１１４】
また、各ユーザ操作禁止フラグビット（ＵＯＰ１；ＵＯＰ０）によって、そのビット内容が０ｂのときは対応するユーザ操作（パートオブタイトルの再生／検索；タイトル内の時間再生／時間検索）が許可されていることが示され、そのビット内容が１ｂのときは対応するユーザ操作が禁止されていることが示される。
【０１１５】
図１２は、図３のビデオマネージャＶＭＧから図１１のタイトル再生タイプＴＴ＿ＰＢ＿ＴＹに至るまでの階層パスを示す。
【０１１６】
各ユーザ操作禁止フラグビット（ＵＯＰ１；ＵＯＰ０）が記述されたタイトル再生タイプ（ＴＴ＿ＰＢ＿ＴＹ）は、図３のビデオマネージャＶＭＧの下位階層に埋め込まれている。
【０１１７】
すなわち、図１２に示すように、ビデオマネージャＶＭＧに含まれるビデオマネージャ情報ＶＭＧＩがタイトルサーチポインタテーブルＴＴ＿ＳＲＰＴ（図６）を含み、このタイトルサーチポインタテーブルＴＴ＿ＳＲＰＴがタイトルサーチポインタＴＴ＿ＳＲＰ（図８）を含み、このタイトルサーチポインタＴＴ＿ＳＲＰがタイトル再生タイプＴＴ＿ＰＢ＿ＴＹ（図１０）を含む。このようにＶＭＧ／ＶＭＧＩ／ＴＴ＿ＳＲＰＴ／ＴＴ＿ＳＲＰ／ＴＴ＿ＰＢ＿ＴＹといった階層パスをたどることにより、上記ユーザ操作禁止フラグビット（ＵＯＰ１；ＵＯＰ０）を獲得できる。
【０１１８】
図１３は、光ディスク１０がＤＶＤビデオＲＯＭである場合において、図３のビデオオブジェクトセットＶＴＳＴＴ＿ＶＯＢＳに含まれる情報の階層構造を示す。
【０１１９】
図１３に示すように、各セル８４は１以上のビデオオブジェクトユニット（ＶＯＢＵ）８５により構成される。そして、各ビデオオブジェクトユニット８５は、ナビゲーションパック（ＮＶパック）８６を先頭とする、ビデオパック（Ｖパック）８８、副映像パック（ＳＰパック）９０、およびオーディオパック（Ａパック）９１の集合体（パック列）として構成されている。すなわち、ビデオオブジェクトユニットＶＯＢＵ８５は、あるナビゲーションパック８６から次のナビゲーションパック８６の直前まで記録される全パックの集まりとして定義される。
【０１２０】
これらのパックは、データ転送処理を行う際の最小単位となる。また、論理上の処理を行う最小単位はセル単位であり、論理上の処理はこのセル単位で行わる。
【０１２１】
上記ナビゲーションパック８６は、いずれのアングル変更（ノンシームレス再生およびシームレス再生）も実現できるように、ビデオオブジェクトユニットＶＯＢＵ８５中に組み込まれている。
【０１２２】
上記ビデオオブジェクトユニットＶＯＢＵ８５の再生時間は、ビデオオブジェクトユニットＶＯＢＵ８５中に含まれる１以上の映像グループ（グループオブピクチャー；略してＧＯＰ）で構成されるビデオデータの再生時間に相当し、その再生時間は０．４秒〜１．２秒の範囲内に定められる。１ＧＯＰは、ＭＰＥＧ規格では通常約０．５秒であって、その間に１５枚程度のフレーム画像を再生するように圧縮された画面データである。
【０１２３】
ビデオオブジェクトユニットＶＯＢＵ８５がビデオデータを含む場合には、ビデオパック８８、副映像パック９０およびオーディオパック９１から構成されるＧＯＰ（ＭＰＥＧ規格準拠）が配列されてビデオデータストリームが構成される。しかし、このＧＯＰの数とは無関係に、ＧＯＰの再生時間を基準にしてビデオオブジェクトユニットＶＯＢＵ８５が定められ、その先頭には、図１３に示すように常にナビゲーションパック８６が配列される。
【０１２４】
なお、オーディオおよび／または副映像データのみの再生データにあってもビデオオブジェクトユニットＶＯＢＵ８５を１単位として再生データが構成される。たとえば、ナビゲーションパック８６を先頭としてオーディオパック９１のみでビデオオブジェクトユニットＶＯＢＵ８５が構成されいる場合、ビデオデータのビデオオブジェクトＶＯＢ８３の場合と同様に、そのオーディオデータが属するビデオオブジェクトユニットＶＯＢＵ８５の再生時間内に再生されるべきオーディオパック９１が、そのビデオオブジェクトユニットＶＯＢＵ８５に格納される。
【０１２５】
ところで、光ディスク１０がＤＶＤーＲＡＭあるいはＤＶＤーＲＷである場合は、図１３に示すような構造のＶＯＢＳ８２を含むビデオタイトルセットＶＴＳの記録後に、記録内容を編集したい場合が生じる。この要求に答えるため、各ＶＯＢＵ８５内に、ダミーパック８９を適宜挿入できるようになっている。このダミーパック８９は、後に編集用データを記録する場合などに利用できる。なお、ＤＶＤーＲＡＭあるいはＤＶＤーＲＷの場合は、図１３のナビゲーションパック８６は省略される。
【０１２６】
図１３に示すように、ビデオオブジェクトセット（ＶＴＳＴＴ＿ＶＯＢＳ）８２は、１以上のビデオオブジェクト（ＶＯＢ）８３の集合として定義されている。ビデオオブジェクトセットＶＯＢＳ８２中のビデオオブジェクトＶＯＢ８３は同一用途に用いられる。
【０１２７】
メニュー用のＶＯＢＳ８２は、通常、１つのＶＯＢ８３で構成され、そこには複数のメニュー画面表示用データが格納される。これに対して、タイトルセット用のＶＯＢＳ８２は、通常、複数のＶＯＢ８３で構成される。
【０１２８】
ここで、タイトルセット用ビデオオブジェクトセットＶＴＳＴＴ＿ＶＯＢＳ８２を構成するＶＯＢ８３は、あるロックバンドのコンサートビデオを例にとれば、そのバンドの演奏の映像データに相当すると考えることができる。この場合、ＶＯＢ８３を指定することによって、そのバンドのコンサート演奏曲目のたとえば３曲目を再生することができる。
【０１２９】
また、メニュー用ビデオオブジェクトセットＶＴＳＭ＿ＶＯＢＳを構成するＶＯＢ８３には、そのバンドのコンサート演奏曲目全曲のメニューデータが格納され、そのメニューの表示にしたがって、特定の曲、たとえばアンコール演奏曲目を再生することができる。
【０１３０】
なお、通常のビデオプログラムでは、１つのＶＯＢ８３で１つのＶＯＢＳ８２を構成することができる。この場合、１本のビデオストリームが１つのＶＯＢ８３で完結することとなる。
【０１３１】
一方、たとえば複数ストーリのアニメーション集あるいはオムニバス形式の映画では、１つのＶＯＢＳ８２中に各ストーリに対応して複数のビデオストリーム（複数のプログラムチェーンＰＧＣ）を設けることができる。この場合は、各ビデオストリームが対応するＶＯＢ８３に格納されることになる。その際、各ビデオストリームに関連したオーディオストリームおよび副映像ストリームも各ＶＯＢ８３中で完結する。
【０１３２】
ＶＯＢ８３には、識別番号（ＩＤＮ＃ｉ；ｉ＝０〜ｉ）が付され、この識別番号によってそのＶＯＢ８３を特定することができる。ＶＯＢ８３は、１または複数のセル８４から構成される。通常のビデオストリームは複数のセルで構成されるが、メニュー用のビデオストリームは１つのセル８４で構成される場合もある。各セル８４には、ＶＯＢ８３の場合と同様に識別番号（Ｃ＿ＩＤＮ＃ｊ）が付されている。
【０１３３】
図１４は、図１３の階層構造の最下層パックの内容の一例を示す。ここでは、光ディスク１０から読み出され、図示しないディスクドライブにおいて信号復調／エラー訂正された後に得られるところの、パック形式のデータ列（パック列）を例示している。このパック列は、ナビゲーションパック（ＤＶＤ−ＲＡＭまたはＤＶＤ−ＲＷでは省略）８６、ビデオパック８８、ダミーパック８９、副映像パック９０およびオーディオパック９１で構成されている。これらのパックは全て、図２の論理セクタと同様に、２ｋバイト単位のデータで構成されている。
【０１３４】
ナビゲーションパック８６は、パックヘッダ１１０、再生制御情報／プレゼンテーション制御情報（ＰＣＩ）パケット１１６およびデータ検索情報（ＤＳＩ）パケット１１７を含んでいる。ＰＣＩパケット１１６はパケットヘッダ１１２およびＰＣＩデータ１１３で構成され、ＤＳＩパケット１１７はパケットヘッダ１１４およびＤＳＩデータ１１５で構成されている。ＰＣＩパケット１１６はノンシームレスアングル切替時に使用する制御データを含み、ＤＳＩパケット１１７はシームレスアングル切替時に使用する制御データを含んでいる。
【０１３５】
ここで、上記アングル切替とは、被写体映像を見る角度（カメラアングル）を変えることを意味する。ロックコンサートビデオの例でいえば、同一曲の演奏シーン（同一イベント）において、ボーカリスト主体に捕らえたシーン、ギタリスト主体に捕らえたシーン、ドラマー主体に捕らえたシーン等、様々な角度からのシーンを見ることができることを意味する。
【０１３６】
アングル切替（またはアングル変更）がなされるケースとしては、視聴者の好みに応じてアングル選択ができる場合と、ストーリの流れの中で自動的に同一シーンがアングルを変えて繰り返される場合（ソフトウエア制作者／プロバイダがそのようにストーリを構成した場合；あるいは後述するＤＶＤビデオレコーダのユーザがそのような編集を行った場合）がある。
【０１３７】
また、アングルを選定する場合としては、次のものがある。すなわち、同一シーンの始めに戻ってアングルが変わる時間的に不連続なノンシームレス再生の場合（たとえばボクサーがカウンターパンチを入れる瞬間のシーンでカメラアングルが別アングルに変り再びカウンターが打ち出され始めるシーンが再生される場合）と、そのシーンに続くシーンでアングルが変わる時間的に連続したシームレス再生の場合（たとえばボクサーがカウンターを入れそのパンチが入った瞬間にカメラアングルが別アングルに変りカウンターを食らった相手が吹っ飛ぶシーンが時間的に連続して再生される場合）とがある。
【０１３８】
ビデオパック８８は、パックヘッダ８８１およびビデオパケット８８２で構成されている。ダミーパック８９は、パックヘッダ８９１とパティングパケット８９０とで構成され、パティングパケット８９０はパケットヘッダ８９２とパディングデータ８９３とで構成されている。ただし、パディングデータ８９３には無効データが入れられている。
【０１３９】
副映像パック９０は、パックヘッダ９０１および副映像パケット９０２で構成されている。オーディオパック９１は、パックヘッダ９１１およびオーディオパケット９１２で構成されている。
【０１４０】
なお、図１４のビデオパケット８８２は図示しないパケットヘッダを含み、このパケットヘッダにはデコードタイムスタンプ（ＤＳＴ）およびプレゼンテーションタイムスタンプ（ＰＴＳ）が記録されている。また、副映像パケット９０２およびオーディオパケット９１２は、それぞれ、図示しないパケットヘッダを含み、それらのパケットヘッダには、プレゼンテーションタイムスタンプ（ＰＴＳ）が記録されている。
【０１４１】
図１５は、図１３のナビゲーションパック１パック分の構造を示す。すなわち、１パックのナビゲーションパック８６は、１４バイトのパックヘッダ１１０、２４バイトのシステムヘッダ１１１および２つのパケット（１１６、１１７）を含む２０１０バイトのナビゲーションデータで構成される。このナビゲーションデータを構成する２つのパケットとは、再生制御情報（ＰＣＩ）パケット１１６およびデータサーチ情報（ＤＳＩ）パケット１１７である。
【０１４２】
ＰＣＩパケット１１６は、６バイトのパケットヘッダ１１２Ａ、１バイトのサブストリーム識別子（サブストリームＩＤ）１１２Ｂ、および９７９バイトのＰＣＩデータ１１３で構成される。サブストリームＩＤ１１２Ｂの８ビットコード「００００００００」によりＰＣＩデータ１１３のデータストリームが指定される。
【０１４３】
また、ＤＳＩパケット１１７は、６バイトのパケットヘッダ１１４Ａ、１バイトのサブストリーム識別子（サブストリームＩＤ）１１４Ｂ、および１０１７バイトのＤＳＩデータ１１５で構成される。サブストリームＩＤ１１４Ｂの８ビットコード「０００００００１」によりＤＳＩデータ１１５のデータストリームが指定される。
【０１４４】
このように構成されたナビゲーションパック８６の１パック分のデータ長は、図２の論理セクタ１つに相当する２０４８バイト（２ｋバイト）となる。
【０１４５】
図１５のパックヘッダ１１０およびシステムヘッダ１１１は、ＭＰＥＧ２のシステムレーヤで定義される。すなわちパックヘッダ１１０には、パック開始コード、システムクロックリファレンス（ＳＣＲ）および多重化レートの情報が格納され、システムヘッダ１１１には、ビットレート、ストリームＩＤが記載される。同様に、ＰＣＩパケット１１６のパケットヘッダ１１２ＡおよびＤＳＩパケット１１７のパケットヘッダ１１４Ａには、ＭＰＥＧ２のシステムレーヤに定められているように、パケット開始コード、パケット長およびストリームＩＤが格納されている。
【０１４６】
図１６は、図１４のダミーパック１パック分の構造を示す。すなわち、１パックのダミーパック８９は、パックヘッダ８９１と、所定のストリームＩＤを持つパケットヘッダ８９２と、所定のコードで埋められたパディングデータ８９３とで、構成されている。（パケットヘッダ８９２およびパティングデータ８９３はパティングパケット８９０を構成している。）未使用ダミーパックのパディングデータ８９３の内容は、特に意味を持たない。
【０１４７】
このダミーパック８９は、光ディスク１０がＤＶＤ−ＲＡＭまたはＤＶＤーＲＷである場合において、ディスク１０に所定の録画がなされたあと、この録画内容を編集する場合に、適宜利用することができる。
【０１４８】
たとえば、ポータブルビデオカメラで家族旅行を録画したビデオテープをＤＶＤーＲＡＭディスク１０に録画し編集する場合を考えてみる。
【０１４９】
この場合、まず１枚のディスクにまとめたいビデオシーンだけを選択的にディスク１０に録画する。このビデオシーンは図１３のビデオパック８８に記録される。また、ビデオカメラで同時録音された音声は、オーディオパック９１に記録される。
【０１５０】
図３のデータ構造を持つＤＶＤビデオＲＯＭの場合、ビデオパック８８等を含むＶＯＢＵ８５は、必ずその先頭にナビゲーションパック８６を持っている（ＤＶＤ−ＲＡＭまたはＤＶＤーＲＷの場合はナビゲーションパックを持たない）。図１４に示すように、このナビゲーションパック８６は再生制御情報ＰＣＩおよびデータ検索情報ＤＳＩを含んでいる。このＰＣＩあるいはＤＳＩを利用して、各ＶＯＢＵの再生手順を制御できる（たとえば飛び飛びのシーンを自動的に繋いだり、マルチアングルシーンを記録することができる）。
【０１５１】
ビデオテープからディスク１０に編集録画したあと、各シーンにＶＯＢＵ単位で音声・効果音等をアフレコする場合あるいはバックグラウンドミュージックＢＧＭを追加する場合に、アフレコ音声またはＢＧＭをダミーパック８９記録できる。また、録画内容の解説を追加する場合には、追加の文字、図形等の副映像をダミーパック８９に記録できる。さらに追加のビデオ映像をインサートしたい場合には、そのインサートビデオをダミーパック８９記録することもできる。
【０１５２】
上述したアフレコ音声等は、オーディオパックとして利用するダミーパック８９のパディングデータ８９３に書き込まれる。また、上記追加の解説等は、副映像パックとして利用するダミーパック８９のパディングデータ８９３に書き込まれる。同様に、上記インサートビデオは、ビデオパックとして利用するダミーパック８９のパディングデータ８９３に書き込まれる。
【０１５３】
つまり、ダミーパック８９は、使用目的によってオーディオパックにも副映像パックにもビデオパックにもなり得る、ワイルドカードのようなパックである。
【０１５４】
図１７は、各ＶＯＢＵ８５の先頭に配置されるナビゲーションパック８６に含まれるＰＣＩパケット１１６を示す。ＰＣＩパケット１１６は、図示するように、ビデオオブジェクトユニット（ＶＯＢＵ）８５内のビデオデータの再生状態に同期して表示内容あるいは再生内容（プレゼンテーション内容）を変更するためのナビゲーションデータである再生制御情報ＰＣＩ（ＰＣＩデータ）１１３を含む。
【０１５５】
図１８は、図１７の再生制御情報（ＰＣＩデータ）１１３の内容を示す。ＰＣＩデータ１１３は、６０バイトのＰＣＩ一般情報（ＰＣＩ＿ＧＩ）と、３６バイトのノンシームレス再生用アングル情報（ＮＳＭＬ＿ＡＧＬＩ）と、６９４バイトのハイライト情報（ＨＬＩ）と、１８９バイトの記録情報（ＲＥＣＩ）を含んでいる。この記録情報（ＲＥＣＩ）は、国際標準の著作権管理コード（ＩＳＲＣ）を含むことができる。
【０１５６】
上記ハイライト情報ＨＬＩは、次のようなハイライト処理を実行する際に利用できる。すなわち、後述するＤＶＤプレーヤ（図７６）のマイクロプロセシングユニットＭＰＵは、ハイライト情報ＨＬＩを読み取って、副映像により表示される矩形領域（ハイライトボタン）の、Ｘ／Ｙ座標値、色、コントラスト値等を検知する。これらの検知情報に応じて、ＤＶＤプレーヤのＭＰＵは、たとえばメニュー選択項目等の表示に対してハイライト処理を行う。
【０１５７】
このハイライト処理は、視覚上のユーザインターフェイスにおいて、ユーザが表示された特定のアイテムを容易に認知できるようにする手段として利用される。具体的には、光ディスク１０に録画されたＤＶＤビデオタイトルがマルチリンガル対応のプログラムである場合、特定の音声言語（たとえば英語）および特定言語の字幕言語（たとえば日本語）が、ハイライト処理により視覚上目立つように表示されたハイライトボタンにより、選択される。このようなユーザ選択操作は、後述するリモートコントローラ（図７７〜図８０）により実行できる。
【０１５８】
図１９は、図１８の再生制御情報一般情報ＰＣＩ＿ＧＩの内容を示す。この再生制御情報一般情報ＰＣＩ＿ＧＩには、ナビゲーションパックの論理ブロック番号（ＮＶ＿ＰＣＫ＿ＬＢＮ）と、ビデオオブジェクトユニット（ＶＯＢＵ）のカテゴリー（ＶＯＢＵ＿ＣＡＴ）と、ビデオオブジェクトユニット（ＶＯＢＵ）のユーザ操作制御（ＶＯＢＵ＿ＵＯＰ＿ＣＴＬ）と、ビデオオブジェクトユニット（ＶＯＢＵ）の表示開始時間（ＶＯＢＵ＿Ｓ＿ＰＴＭ）と、ビデオオブジェクトユニット（ＶＯＢＵ）の表示終了時間（ＶＯＢＵ＿Ｅ＿ＰＴＭ）と、ビデオオブジェクトユニット（ＶＯＢＵ）内のシーケンス末尾の表示終了時間（ＶＯＢＵ＿ＳＥ＿ＰＴＭ）と、セル経過時間（Ｃ＿ＥＬＴＭ）とが記載される。
【０１５９】
ここで、上記論理ブロック番号（ＮＶ＿ＰＣＫ＿ＬＢＮ）は、再生制御情報（ＰＣＩ）が含まれるナビゲーションパックのアドレス（記録位置）を、そのＰＣＩが含まれたビデオオブジェクトセット（ＶＯＢＳ）の最初の論理ブロックからの相対ブロック数で示したものである。
【０１６０】
上記カテゴリー（ＶＯＢＵ＿ＣＡＴ）は、再生制御情報（ＰＣＩ）が含まれるビデオオブジェクトユニット（ＶＯＢＵ）内のビデオおよび副映像に対応するアナログ信号のコピープロテクトの内容を記載したものである。
【０１６１】
上記ユーザ操作制御（ＶＯＢＵ＿ＵＯＰ＿ＣＴＬ）は、再生制御情報（ＰＣＩ）が含まれるビデオオブジェクトユニット（ＶＯＢＵ）の表示（プレゼンテーション）期間中に禁止されるユーザ操作を記載したものである。
【０１６２】
上記表示開始時間（ＶＯＢＵ＿Ｓ＿ＰＴＭ）は、再生制御情報（ＰＣＩ）が含まれるビデオオブジェクトユニット（ＶＯＢＵ）の表示（プレゼンテーション）開始時間を記載したものである。より具体的にいうと、このＶＯＢＵ＿Ｓ＿ＰＴＭは、ビデオオブジェクトユニット（ＶＯＢＵ）内の最初のＧＯＰの表示順序における最初の映像（最初のピクチャー）の表示開始時間を指す。
【０１６３】
上記表示終了時間（ＶＯＢＵ＿Ｅ＿ＰＴＭ）は、再生制御情報（ＰＣＩ）が含まれるビデオオブジェクトユニット（ＶＯＢＵ）の表示（プレゼンテーション）終了時間を記載したものである。より具体的にいうと、ビデオオブジェクトユニット（ＶＯＢＵ）内のビデオデータが連続しているときは、このＶＯＢＵ＿Ｅ＿ＰＴＭは、ビデオオブジェクトユニット（ＶＯＢＵ）内の最後のＧＯＰの表示順序における最後の映像（最後のピクチャー）の表示終了時間を指す。
【０１６４】
一方、ビデオオブジェクトユニット（ＶＯＢＵ）内にビデオデータが存在しないとき、あるいはそのビデオオブジェクトユニット（ＶＯＢＵ）の再生が停止されたときは、このＶＯＢＵ＿Ｅ＿ＰＴＭは、フィールド間隔（ＮＴＳＣビデオでは１／６０秒）の時間グリッドにアラインされた仮想的なビデオデータの終了時間を指すようになる。
【０１６５】
上記表示終了時間（ＶＯＢＵ＿ＳＥ＿ＰＴＭ）は、再生制御情報（ＰＣＩ）が含まれるビデオオブジェクトユニット（ＶＯＢＵ）内のビデオデータのシーケンスエンドコードによる、表示（プレゼンテーション）終了時間を記載したものである。より具体的にいうと、ビデオオブジェクトユニット（ＶＯＢＵ）内のシーケンスエンドコードが含まれるところの、表示順序の最後の映像（最後のピクチャー）の表示終了時間を指す。ビデオオブジェクトユニット（ＶＯＢＵ）内にシーケンスエンドコード付の映像（ピクチャー）が存在しないときは、ＶＯＢＵ＿ＳＥ＿ＰＴＭに００００００００ｈ（ｈはヘキサデシマルの意）がエンターされる。
【０１６６】
上記セル経過時間（Ｃ＿ＥＬＴＭ）は、再生制御情報（ＰＣＩ）が含まれるセルの表示順序における最初のビデオフレームから、このＰＣＩが含まれるビデオオブジェクトユニット（ＶＯＢＵ）の表示順序における最初のビデオフレームまでの相対的な表示（プレゼンテーション）時間を、ＢＣＤ形式の時間、分、秒およびフレームで記述したものである。ビデオオブジェクトユニット（ＶＯＢＵ）内にビデオデータがないときは、前記仮想的なビデオデータの最初のビデオフレームが、上記ビデオフレームとして使用される。
【０１６７】
図２０は、図１９に示したビデオオブジェクトユニットのユーザ操作制御ＶＯＢＵ＿ＵＯＰ＿ＣＴＬの内容を説明する図である。
【０１６８】
このユーザ操作制御ＶＯＢＵ＿ＵＯＰ＿ＣＴＬは、４バイト（３２ビット）で構成され、その中に含まれるユーザ操作禁止フラグＵＯＰ３〜ＵＯＰ１６およびＵＯＰ１８〜ＵＯＰ２４によって、再生中のＶＯＢＵにおける特定操作の可否を決定している（詳細は図７５を参照して後述する）。
【０１６９】
すなわち、前述した図１１のＵＯＰ０およびＵＯＰ１と同様に、各ユーザ操作禁止フラグビット（ＵＯＰ３〜ＵＯＰ１６；ＵＯＰ１８〜ＵＯＰ２４）によって、そのビット内容が０ｂのときは対応するユーザ操作が許可されていることが示され、そのビット内容が１ｂのときは対応するユーザ操作が禁止されていることが示される。
【０１７０】
図２１は、図３のビデオタイトルセットＶＴＳから図２０のユーザ操作制御ＶＯＢＵ＿ＵＯＰ＿ＣＴＬに至るまでの階層パスを示す。
【０１７１】
ビデオオブジェクトユニットＶＯＢＵでのユーザ操作禁止フラグビット（ＵＯＰ３〜ＵＯＰ１６；ＵＯＰ１８〜ＵＯＰ２４）が記述されたユーザ操作制御ＶＯＢＵ＿ＵＯＰ＿ＣＴＬは、図３のビデオタイトルセットＶＴＳの下位階層に埋め込まれている。すなわち、図２１に示すように、ビデオタイトルセットＶＴＳに含まれるビデオオブジェクトセットＶＯＢＳがナビゲーションパックＮＶ＿ＰＣＫ（図１５）を含み、このナビゲーションパックＮＶ＿ＰＣＫが再生制御情報ＰＣＩ（図１７）を含み、この再生制御情報ＰＣＩがＰＣＩ一般情報ＰＣＩ＿ＧＩ（図１８）を含み、このＰＣＩ一般情報ＰＣＩ＿ＧＩがユーザ操作制御ＶＯＢＵ＿ＵＯＰ＿ＣＴＬ（図１９）を含む。このようにＶＴＳ／ＶＯＢＳ／ＮＶ＿ＰＣＫ／ＰＣＩ／ＰＣＩ＿ＧＩ／ＶＯＢＵ＿ＵＯＰ＿ＣＴＬといった階層パスをたどることにより、上記ユーザ操作禁止フラグビット（ＵＯＰ３〜ＵＯＰ１６；ＵＯＰ１８〜ＵＯＰ２４）を獲得できる。
【０１７２】
図２２は、図３または図１３のセルを多数含む複数プログラムの集合で形成されたプログラムチェーンＰＧＣの構成を説明する図である。
【０１７３】
図３のプログラムチェーン（ＰＧＣ）は、図２２に示すように、あるタイトルのストーリーを再現するプログラム８９の集合で構成される。
【０１７４】
図２２に例示したタイトル構成において、セルＩＤ（＃１〜＃ｎ）８４の集合で１つのプログラム８９が形成され、プログラム（＃１〜＃ｍ）８９の集合で１つのプログラムチェーン８７が形成され、プログラムチェーン（＃１〜＃ｋ）８７の集合で１つのタイトルが形成される。
【０１７５】
エントリプログラムチェーンを含む図２２に示すような複数のプログラムチェーン（＃１〜＃ｋ）８７を連続再生することによって、ある１タイトルの映画が完結される。視聴者（再生装置／ＤＶＤプレーヤのユーザ）がプログラムチェーン８７内のプログラム８９を指定すれば、その映画の特定のシーン（プログラム８９の内容）からその映画を鑑賞できるようになる。
【０１７６】
図２２の構成（プロバイダが制作したソフトウエアの構成）を図３の構成（光ディスクに記録されるデータの構成）に対応させると、プログラムチェーン（ＰＧＣ）がビデオオブジェクトセット（ＶＯＢＳ）に対応し、プログラムがビデオオブジェクト（ＶＯＢ）に対応するが、それらはイコールではない。
【０１７７】
図２３は、プログラムチェーンのセルが連続順番に配列されたセルの記録配列を説明する図である。たとえば２つのプログラムチェーンＰＧＣ＃１およびＰＧＣ＃２によってあるシングルストーリが構成されている場合を考えてみる。この場合、シングルストーリの前半を構成するＰＧＣ＃１のセル＃１〜＃ｆは順番にビデオオブジェクトＶＯＢ＿ＩＤＮ＃１に配置され、その後半を構成するＰＧＣ＃２のセル＃１〜＃ｇは順番にビデオオブジェクトＶＯＢ＿ＩＤＮ＃２に配置される。
【０１７８】
図２４は、プログラムチェーンのセルが非連続順番に配列されたセルの記録配列を説明する図である。たとえば２つのプログラムチェーンＰＧＣ＃１およびＰＧＣ＃２それぞれであるマルチストーリが構成されている場合を考えてみる。この場合、マルチストーリの一方ストーリを構成するＰＧＣ＃１のセル＃１〜＃ｐは複数のビデオオブジェクトＶＯＢ＿ＩＤＮ＃１、＃３、…＃ｉに非連続順番に配置され、他方ストーリを構成するＰＧＣ＃２のセル＃１〜＃ｑは複数のビデオオブジェクトＶＯＢ＿ＩＤＮ＃２、…＃ｊに非連続順番に配置される。
【０１７９】
プログラムチェーンＰＧＣには、ファーストプレイＰＧＣ（ＦＰ＿ＰＧＣ）、ビデオマネージャメニューＰＧＣ（ＶＭＧＭ＿ＰＧＣ）、ビデオタイトルセットメニューＰＧＣ（ＶＴＳＭ＿ＰＧＣ）およびタイトルＰＧＣ（ＴＴ＿ＰＧＣ）の４種類がある。これらのプログラムチェーンＰＧＣは、通常はプログラムチェーン情報ＰＧＣＩと１以上のビデオオブジェクトＶＯＢ（それぞれ１以上のセルを含む）とで構成されるが、ＶＯＢなしでＰＧＣＩだけのＰＧＣもあり得る。ＰＧＣＩだけのＰＧＣは、再生条件を決定し再生を他のＰＧＣに移管するときに使用される。
【０１８０】
プログラムチェーン情報ＰＧＣＩの数は、ＰＧＣＩサーチポインタの記載順に１から割り当てられる。プログラムチェーンＰＧＣの数はＰＧＣＩの数と同じになる。ＰＧＣがブロック構造をとる場合でも、ブロック内のプログラムチェーン数ＰＧＣＮはＰＧＣＩのサーチポインタの連続数と一致する。
【０１８１】
図２５は、図２２のプログラムチェーンＰＧＣにおけるプログラムチェーン情報ＰＧＣＩの構造を説明する図である。すなわち、プログラムチェーン情報ＰＧＣＩは、プログラムチェーン一般情報（ＰＧＣ＿ＧＩ；必須）、プログラムチェーンコマンドテーブル（ＰＧＣ＿ＣＭＤＴ；オプション）、プログラムチェーンプログラムマップ（ＰＧＣ＿ＰＧＭＡＰ；次のＣ＿ＰＢＩＴが存在するときは必須）、セル再生情報テーブル（Ｃ＿ＰＢＩＴ；オプション）、およびセル位置情報テーブル（Ｃ＿ＰＯＳＩＴ；前記Ｃ＿ＰＢＩＴが存在するときは必須）によって構成されている。
【０１８２】
図２６は、図２５のプログラムチェーン情報ＰＧＣＩに含まれるセル再生情報テーブルＣ＿ＰＢＩＴの内容を説明する図である。すなわち、セル再生情報テーブルＣ＿ＰＢＩＴは、図２６に示すような構成を持ち、最大２５５個のセル再生情報（Ｃ＿ＰＢＩｎ；＃ｎ＝＃１〜＃２５５）を含んでいる。
【０１８３】
図３に示した各ビデオタイトルセット（ＶＴＳ＃１、ＶＴＳ＃２、…）７２それぞれのプログラムチェーン情報（ＶＴＳ＿ＰＧＣＩ）は、ビデオタイトルセット情報ＶＴＳＩ９４に含まれており、これについては後述する。
【０１８４】
図２７は、図２６のセル再生情報テーブルＣ＿ＰＢＩＴに含まれる各セル再生情報Ｃ＿ＰＢＩの内容を説明する図である。これらのセル再生情報（Ｃ＿ＰＢＩ＃１〜＃ｎ）各々は、図２７に示すように、セルカテゴリー（Ｃ＿ＣＡＴ；４バイト）、セル再生時間（Ｃ＿ＰＢＴＭ；４バイト）、セル内の最初のビデオオブジェクトユニット（ＶＯＢＵ）のスタートアドレス（Ｃ＿ＦＶＯＢＵ＿ＳＡ；４バイト）、セル内の最初のインターリーブドユニット（ＩＬＶＵ）のエンドアドレス（Ｃ＿ＦＩＬＶＵ＿ＥＡ；４バイト）、セル内の最終ビデオオブジェクトユニット（ＶＯＢＵ）のスタートアドレス（Ｃ＿ＬＶＯＢＵ＿ＳＡ；４バイト）、およびセル内の最終ビデオオブジェクトユニット（ＶＯＢＵ）のエンドアドレス（Ｃ＿ＬＶＯＢＵ＿ＥＡ；４バイト）を含んでいる。
【０１８５】
図２８は、図２７のセル再生情報Ｃ＿ＰＢＩに含まれるセルカテゴリーＣ＿ＣＡＴの内容を説明する図である。このセルカテゴリーＣ＿ＣＡＴは、図２８に示すように、下位８ビット（ｂ０〜ｂ７）でセルコマンド番号を示し、次の８ビット（ｂ８〜ｂ１５）でセルスチル時間を示し、次の５ビット（ｂ１６〜ｂ２０）でセルタイプ（たとえばカラオケか）を示し、次の１ビット（ｂ２１）でアクセス制限フラグを示し、次の１ビット（ｂ２２）でセル再生モード（たとえば動画かスチルか）を示し、予約ビットを飛んで次の１ビット（ｂ２４）でシームレスアングル変更フラグを示し、次の１ビット（ｂ２５）でシステムタイムクロックＳＴＣの不連続フラグ（ＳＴＣをリセットするかどうか）を示し、次の１ビット（ｂ２６）でインターリーブ配置フラグ（Ｃ＿ＰＢＩで指定されたセルが連続ブロック中のものであるのかインターリーブドブロック中のものであるのか）を示し、次の１ビット（ｂ２７）でシームレス再生フラグ（Ｃ＿ＰＢＩで指定されたセルがシームレス再生されるべきかどうか）を示し、次の２ビット（ｂ２８〜ｂ２９）でセルブロックタイプ（たとえばアングルブロックかどうか）を示し、最後の２ビット（ｂ３０〜ｂ３１）でセルブロックモード（たとえばブロック内の最初のセルかどうか）を示すようになっている。
【０１８６】
ここで、セルブロックモードが００ｂ（ｂはバイナリの意）のときはブロック内セルではないことを示し、それが０１ｂのときはブロック内の最初のセルであることを示し、それが１０ｂのときはブロック中のセルであることを示し、それが１１ｂのときはブロック内の最後のセルであることを示す。
【０１８７】
また、セルブロックタイプが００ｂのときは該当ブロックの一部ではないことを示し、それが０１ｂのときは該当ブロックがアングルブロック（マルチアングルのセルを含むブロック）であることを示す。
【０１８８】
マルチアングルセルを含むタイトル（図１０のＴＴ＿ＳＲＰ中のアングル数ＡＧＬ＿Ｎｓが２以上）再生中でこのセルブロックタイプが０１ｂでないときは、たとえば図示しないアングルマークは点灯されたままとされる。
【０１８９】
一方、このセルブロックタイプ＝０１ｂを再生中に検知すれば、現在アングルブロック再生中であることを、図示しないアングルマークの点滅（または点灯色の変更、あるいはアングルマークの形の変更）により、視聴者（再生装置ユーザ）に通知できる。これにより、視聴者は現在再生中の映像に関して別アングルの画像再生が可能なことを知ることができる。
【０１９０】
また、インターリーブ配置フラグが０ｂのときは該当セルが連続ブロック中（複数ＶＯＢＵが連続記録されている）のものであることを示し、インターリーブ配置フラグが１ｂのときは該当セルがインターリーブドブロック（各々が１以上のＶＯＢＵを含むＩＬＶＵがインターリーブ記録されている）中のものであることを示す。
【０１９１】
また、シームレスアングル変更フラグが立っている（＝１ｂ）ときは該当セルがシームレス再生の対象であることを示し、このフラグが立っていない（＝０ｂ）ときは該当セルがノンシームレス再生の対象であることを示す。
【０１９２】
すなわち、インターリーブ配置フラグ＝１ｂでシームレスアングル変更フラグ＝０ｂときはノンシームレスアングル変更可能状態となり、インターリーブ配置フラグ＝１ｂでシームレスアングル変更フラグ＝１ｂのときはシームレスアングル変更可能状態となる。
【０１９３】
なお、アクセス時間の極めて早いメディアドライブシステム（ビデオの１フレーム期間以内に所望のアングルブロックの先頭にアクセスできるシステム；光ディスクドライブシステムに必ずしも限定しない）が使用されるならば、インターリーブ配置フラグ＝０ｂ、すなわちインターリーブ記録されていないＶＯＢＵの集合（別々のアングルセル）の間で、スムースなアングル変更を実現できる。
【０１９４】
比較的アクセス速度の遅い光ディスク１０が記録メディアとして用いられる場合は、そのディスクの記録トラック１周分をインターリーブドブロック１個分の記録に割り当てておくとよい。そうすれば、隣接インターリーブドブロック間のジャンプ（アングル変更）時に光ヘッドのトレース先はディスクの半径方向に１トラック分だけ微動すればよいので、タイムラグの殆どないトラックジャンプ（シームレスアングル変更に適する）が可能になる。この場合、１ビデオオブジェクトユニット（ＶＯＢＵ）分のトラックジャンプをすると、最大、ディスクの１回転分のタイムラグが生じ得る。したがって、ＶＯＢＵ単位のジャンプを伴うアングル変更は、ノンシームレスアングル変更に適している。
【０１９５】
ここで、シームレスアングル変更フラグの内容は、通常は、プロバイダ（光ディスク１０に記録される各タイトルのプログラム内容を制作するソフトウエア制作者）により予め決定される。つまり、シームレスアングル変更フラグの内容を予め決めておくことにより、ノンシームレスアングル変更にするかシームレスアングル変更にするかをプロバイダが一義的に決めてしまうことができる。しかし、光ディスクから該当タイトルセットのセルデータを読み取った後に、読み取りデータ中のシームレスアングル変更フラグの内容を視聴者（再生装置のユーザ）が任意に変更できるように再生装置のハードウエアを構成することは、可能である。
【０１９６】
また、セル再生モードが０ｂのときはセル内で連続再生することを示し、それが１ｂのときはセル内に存在するそれぞれのＶＯＢＵでスチル再生することを示す。
【０１９７】
また、アクセス制限フラグはユーザ操作による直接選択を禁止するときに使用できる。たとえば、問題集の回答が記録されたセルのアクセス制限フラグを１ｂとすることによって、ユーザが問題の回答をつまみ食いすることを禁止できる。
【０１９８】
また、セルタイプは、たとえば該当セルがカラオケ用に作成されている場合に、その５ビットの内容によって、以下のものを示すことができる。
【０１９９】
すなわち、０００００ｂならセルタイプの指定がなされず、００００１ｂならカラオケのタイトル画像が指定され、０００１０ｂならカラオケのイントロが指定され、０００１１ｂならクライマックス（さび）以外の歌唱部分が指定され、００１００ｂなら第１のクライマックスの歌唱部分が指定され、００１０１ｂなら第２のクライマックスの歌唱部分が指定され、００１１０ｂなら男性ボーカルの歌唱部分が指定され、００１１１ｂなら女性ボーカルの歌唱部分が指定され、０１０００ｂなら男女混声ボーカルの歌唱部分が指定され、０１００１ｂなら間奏曲（楽器だけの演奏）部分が指定され、０１０１０ｂなら間奏曲のフェードインが指定され、０１０１１ｂなら間奏曲のフェードアウトが指定され、０１１００ｂなら第１のエンディング演奏部分が指定され、０１１０１ｂなら第２のエンディング演奏部分が指定される。残りの５ビットコードの内容はその他の用途に使用できる。
【０２００】
なお、アングル変更は、カラオケの背景ビデオのアングル変更にも適用できる。（たとえばガイドボーカルを歌う歌手の全身映像、顔のアップ映像、口元のアップ映像などを、カラオケ音楽の流れに沿ってシームレスに、あるいは少し前に逆戻りしてノンシームレスに、さらには所望小節間のリピート再生中に、視聴者が望むままにアングル変更できる。）
また、図２８のセルスチル時間の８ビット内容が００００００００ｂのときは、スチルでないことが指定され、それが１１１１１１１１ｂのときは時限なしのスチルが指定され、それが０００００００１ｂ〜１１１１１１１０ｂのときは、この内容で指定された十進数（１〜２５４）を秒数表示した長さのスチル表示が指定される。
【０２０１】
またセルコマンド数は、該当セルの再生終了時に実行されるべきコマンド数を示す。
【０２０２】
図２９は、図２５のプログラムチェーン情報ＰＧＣＩに含まれるプログラムチェーン一般情報ＰＧＣ＿ＧＩの内容を説明する図である。
【０２０３】
図２９に示すように、プログラムチェーン一般情報ＰＧＣ＿ＧＩには、プログラムチェーンの内容（ＰＧＣ＿ＣＮＴ）と、プログラムチェーンの再生時間（ＰＧＣ＿ＰＢ＿ＴＭ）と、プログラムチェーンのユーザ操作制御情報（ＰＧＣ＿ＵＯＰ＿ＣＴＬ）と、プログラムチェーンオーディオストリームの制御テーブル（ＰＧＣ＿ＡＳＴ＿ＣＴＬＴ）と、プログラムチェーン副映像ストリームの制御テーブル（ＰＧＣ＿ＳＰＳＴ＿ＣＴＬＴ）と、プログラムチェーンのナビゲーション制御情報（ＰＧＣ＿ＮＶ＿ＣＴＬ）と、プログラムチェーンの副映像パレット（ＰＧＣ＿ＳＰ＿ＰＬＴ）と、プログラムチェーンのコマンドテーブルの開始アドレス（ＰＧＣ＿ＣＭＤＴ＿ＳＡ）と、プログラムチェーンのプログラムマップの開始アドレス（ＰＧＣ＿ＰＧＭＡＰ＿ＳＡ）と、プログラムチェーン内のセルの再生情報テーブルの開始アドレス（Ｃ＿ＰＢＩＴ＿ＳＡ）と、プログラムチェーン内のセルの位置情報テーブルの開始アドレス（Ｃ＿ＰＯＳＩＴ＿ＳＡ）とが記載されている。
【０２０４】
プログラムチェーンの内容（ＰＧＣ＿ＣＮＴ）は、そのプログラムチェーン内のプログラム数およびセル数（最大２５５）を示す。ビデオオブジェクトＶＯＢなしのプログラムチェーンでは、プログラム数は「０」となる。
【０２０５】
プログラムチェーンの再生時間（ＰＧＣ＿ＰＢ＿ＴＭ）は、そのプログラムチェーン内のプログラムの合計再生時間を時間、分、秒、およびビデオのフレーム数で示したものである。このＰＧＣ＿ＰＢ＿ＴＭにはビデオフレームのタイプを示すフラグ（ｔｃ＿ｆｌａｇ）も記述されており、このフラグの内容によって、フレームレート（毎秒２５フレームあるいは毎秒３０フレーム）等が指定される。
【０２０６】
プログラムチェーンのユーザ操作制御情報（ＰＧＣ＿ＵＯＰ＿ＣＴＬ）は、再生中のプログラムチェーンにおいて禁止されるユーザ操作を示す。その内容は、図３０を参照して後述する。
【０２０７】
プログラムチェーンオーディオストリームの制御テーブル（ＰＧＣ＿ＡＳＴ＿ＣＴＬＴ）は、８個のオーディオストリームそれぞれの制御情報を含むことができる。これらの制御情報各々は、該当プログラムチェーン内でそのオーディオストリームが利用可能かどうかを示すフラグ（アベイラビリティフラグ）およびオーディオストリーム番号からデコードするオーディオストリーム番号への変換情報を含んでいる。
【０２０８】
プログラムチェーン副映像ストリームの制御テーブル（ＰＧＣ＿ＳＰＳＴ＿ＣＴＬＴ）は、該当プログラムチェーン内でその副映像ストリームが利用可能かどうかを示すフラグ（アベイラビリティフラグ）、および副映像ストリーム番号（３２個）からデコードする副映像ストリーム番号への変換情報を含んでいる。
【０２０９】
プログラムチェーンのナビゲーション制御情報（ＰＧＣ＿ＮＶ＿ＣＴＬ）は、現在再生中のプログラムチェーンの次に再生すべきプログラムチェーン番号を示すＮｅｘｔ＿ＰＧＣＮと、ナビゲーションコマンド「ＬｉｎｋＰｒｅｖＰＧＣ」あるいは「ＰｒｅｖＰＧＣ＿Ｓｅａｒｃｈ（）」によって引用されるプログラムチェーン番号（ＰＧＣＮ）を示すＰｒｅｖｉｏｕｓ＿ＰＧＣＮと、そのプログラムチェーンからリターンすべきプログラムチェーン番号を示すＧｏＵｐ＿ＰＧＣＮと、プログラムの再生モード（シーケンシャル再生、ランダム再生、シャッフル再生等）を示すＰＧ  Ｐｌａｙｂａｃｋ  ｍｏｄｅと、そのプログラムチェーンの再生後のスチル時間を示すＳｔｉｌｌ  ｔｉｍｅ  ｖａｌｕｅとを含んでいる。
【０２１０】
プログラムチェーンの副映像パレット（ＰＧＣ＿ＳＰ＿ＰＬＴ）は、そのプログラムチェーンにおける副映像ストリームで使用される１６セットの輝度信号および２つの色差信号を記述している。
【０２１１】
プログラムチェーンのコマンドテーブルの開始アドレス（ＰＧＣ＿ＣＭＤＴ＿ＳＡ）は、図２３あるいは図２４で示したプリコマンド（ＰＧＣ再生前に実行される）、ポストコマンド（ＰＧＣ再生後に実行される）およびセルコマンド（セル再生後に実行される）のための記述エリアである。
【０２１２】
プログラムチェーンのプログラムマップの開始アドレス（ＰＧＣ＿ＰＧＭＡＰ＿ＳＡ）は、そのプログラムチェーン内のプログラムの構成を示すプログラムマップＰＧＣ＿ＰＧＭＡＰの開始アドレスを、プログラムチェーン情報ＰＧＣＩの最初のバイトからの相対アドレスで記述したものである。
【０２１３】
プログラムチェーン内のセルの再生情報テーブルの開始アドレス（Ｃ＿ＰＢＩＴ＿ＳＡ）は、そのプログラムチェーン内のセルの再生順序を決めるセル再生情報テーブルＣ＿ＰＢＩＴの開始アドレスを、プログラムチェーン情報ＰＧＣＩの最初のバイトからの相対アドレスで記述したものである。
【０２１４】
プログラムチェーン内のセルの位置情報テーブルの開始アドレス（Ｃ＿ＰＯＳＩＴ＿ＳＡ）は、そのプログラムチェーン内で使用されるＶＯＢ識別番号およびセル識別番号を示すセル位置情報テーブルＣ＿ＰＯＳＩＴの開始アドレスを、プログラムチェーン情報ＰＧＣＩの最初のバイトからの相対アドレスで記述したものである。
【０２１５】
図３０は、図２９に示したプログラムチェーン一般情報ＰＧＣ＿ＧＩに含まれるプログラムチェーンユーザ操作制御ＰＧＣ＿ＵＯＰ＿ＣＴＬの内容を説明する図である。このＰＧＣ＿ＵＯＰ＿ＣＴＬにより、再生中のプログラムチェーンにおいて禁止されるユーザ操作を示すことができる。
【０２１６】
このユーザ操作制御ＰＧＣ＿ＵＯＰ＿ＣＴＬは、４バイト（３２ビット）で構成され、その中に含まれるユーザ操作禁止フラグＵＯＰ０〜ＵＯＰ３およびＵＯＰ５〜ＵＯＰ２４によって、再生中のＰＧＣにおける特定操作の可否を決定している（詳細は図７５を参照して後述する）。すなわち、図１１のＵＯＰ０およびＵＯＰ１と同様に、各ユーザ操作禁止フラグビット（ＵＯＰ０〜ＵＯＰ３；ＵＯＰ５〜ＵＯＰ２４）によって、そのビット内容が０ｂのときは対応するユーザ操作が許可されていることが示され、そのビット内容が１ｂのときは対応するユーザ操作が禁止されていることが示される。
【０２１７】
ＤＶＤディスク１０のプロバイダ（ソフトウエア制作者）は、上記ユーザ操作制御情報（ＰＧＣ＿ＵＯＰ＿ＣＴＬ）の中身（各種ＵＯＰのビット内容）により、たとえばあるタイトルの特定ＰＧＣの再生中にユーザがメニューを呼び出して他のタイトルへ飛ぶことができないようにできる（この場合は、そのＰＧＣを再生し終えた後にメニューコール／タイトル番号選択等が可能になるよう設定できる）。あるいは特定ＰＧＣ再生中は早送りを禁止するようにできる（そのＰＧＣがたとえばシリーズものの映画の予告編なら、ユーザが再生装置を停止させない限り、その予告編を全てユーザに見させることができる）。
【０２１８】
図３１は、図３のビデオタイトルセットＶＴＳ（あるいは図２２のプログラムチェーンＰＧＣ）から図３０のユーザ操作制御ＰＧＣ＿ＵＯＰ＿ＣＴＬに至るまでの階層パスを説明する図である。
【０２１９】
プログラムチェーンＰＧＣでのユーザ操作禁止フラグビット（ＵＯＰ０〜ＵＯＰ３；ＵＯＰ５〜ＵＯＰ２４）が記述されたユーザ操作制御ＰＧＣ＿ＵＯＰ＿ＣＴＬは、図３のビデオタイトルセットＶＴＳの下位階層に埋め込まれている。すなわち、図３１に示すように、ビデオタイトルセットＶＴＳに含まれるビデオタイトルセット情報ＶＴＳＩ（図３２）がプログラムチェーン情報テーブルＰＧＣＩＴ（図３８）を含み、このプログラムチェーン情報テーブルＰＧＣＩＴがプログラムチェーン情報ＰＧＣＩ（図２５）を含み、このプログラムチェーン情報ＰＧＣＩがプログラムチェーン情報一般情報ＰＧＣＩ＿ＧＩ（図２９）を含み、このプログラムチェーン情報一般情報ＰＧＣＩ＿ＧＩがプログラムチェーンのユーザ操作制御ＰＧＣ＿ＵＯＰ＿ＣＴＬ（図３０）を含む。このようにＶＴＳ／ＶＴＳＩ／ＰＧＣＩＴ／ＰＧＣＩ／ＰＧＣＩ＿ＧＩ／ＰＧＣ＿ＵＯＰ＿ＣＴＬといった階層パスをたどることにより、上記ユーザ操作禁止フラグビット（ＵＯＰ０〜ＵＯＰ３；ＵＯＰ５〜ＵＯＰ２４）を獲得できる。
【０２２０】
あるいは、図２２のプログラムチェーンＰＧＣ８７に含まれるプログラムチェーン情報ＰＧＣＩから、プログラムチェーンＰＧＣでのユーザ操作禁止フラグビット（ＵＯＰ０〜ＵＯＰ３；ＵＯＰ５〜ＵＯＰ２４）が記述されたユーザ操作制御ＰＧＣ＿ＵＯＰ＿ＣＴＬに至るパス（ＰＧＣ／ＰＧＣＩ／ＰＧＣＩ＿ＧＩ／ＰＧＣ＿ＵＯＰ＿ＣＴＬ）も考えられる。
【０２２１】
ここで、一旦、説明対象を変え、ビデオタイトルセットＶＴＳの構成を説明する。図３２は、図３のビデオタイトルセットＶＴＳの構造を説明する図である。このビデオタイトルセットＶＴＳ７２は、複数のファイル７４Ｂで構成されている。ＶＴＳ７２は、各ファイルに対応して、図３２に示すような４つの項目を含んでいる。
【０２２２】
すなわち、ビデオタイトルセットＶＴＳ７２は、ビデオタイトルセット情報（ＶＴＳＩ）９４と、ビデオタイトルセットメニュー用ビデオオブジェクトセット（ＶＴＳＭ＿ＶＯＢＳ）９５と、ビデオタイトルセットタイトル用ビデオオブジェクトセット（ＶＴＳＴＴ＿ＶＯＢＳ）９６と、ビデオタイトルセット情報のバックアップ（ＶＴＳＩ＿ＢＵＰ）９７とを含んでいる。
【０２２３】
ここで、ビデオタイトルセット情報（ＶＴＳＩ）９４、ビデオタイトルセットタイトル用ビデオオブジェクトセット（ＶＴＳＴＴ＿ＶＯＢＳ）９６およびビデオタイトルセット情報のバックアップ（ＶＴＳＩ＿ＢＵＰ）９７は必須の項目とし、ビデオタイトルセットメニュー用ビデオオブジェクトセット（ＶＴＳＭ＿ＶＯＢＳ）９５はオプションとすることができる。
【０２２４】
図３２に示すように、ビデオタイトルセットＶＴＳ７２の先頭に配置されたビデオタイトルセット情報ＶＴＳＩ９４には、ビデオタイトルセット情報管理テーブル（ＶＴＳＩ＿ＭＡＴ；必須）９４１と、ビデオタイトルセットのパートオブタイトル（たとえばプログラムのチャプター）用のタイトルサーチポインタテーブル（ＶＴＳ＿ＰＴＴ＿ＳＲＰＴ；必須）９４２と、ビデオタイトルセットのプログラムチェーン情報テーブル（ＶＴＳ＿ＰＧＣＩＴ；必須）９４３と、ビデオタイトルセットメニュー用のプログラムチェーン情報ユニットテーブル（ＶＴＳＭ＿ＰＧＣＩ＿ＵＴ；ＶＴＳＭ＿ＶＯＢＳが存在するときは必須）９４４と、ビデオタイトルセットタイムマップテーブル（ＶＴＳ＿ＴＭＡＰＴ；オプション）９４５と、ビデオタイトルセットメニュー用のセルアドレステーブル（ＶＴＳＭ＿Ｃ＿ＡＤＴ；ＶＴＳＭ＿ＶＯＢＳが存在するときは必須）９４６と、ビデオタイトルセットメニュー用のビデオオブジェクトユニットアドレスマップ（ＶＴＳＭ＿ＶＯＢＵ＿ＡＤＭＡＰ；ＶＴＳＭ＿ＶＯＢＳが存在するときは必須）９４７と、ビデオタイトルセットセルアドレステーブル（ＶＴＳ＿Ｃ＿ＡＤＴ；必須）９４８と、ビデオタイトルセット用のビデオオブジェクトユニットアドレスマップ（ＶＴＳ＿ＶＯＢＵ＿ＡＤＭＡＰ；必須）９４９とが、この順番で記述されている。
【０２２５】
図３３は、図３２のビデオタイトルセット情報管理テーブルＶＴＳＩ＿ＭＡＴの内容を説明する図である。このビデオタイトルセット情報管理テーブル（ＶＴＳＩ＿ＭＡＴ）９４１には、図３３に示すように、ビデオタイトルセット識別子（ＶＴＳ＿ＩＤ）と、ビデオタイトルセットのエンドアドレス（ＶＴＳ＿ＥＡ）と、ビデオタイトルセット情報のエンドアドレス（ＶＴＳＩ＿ＥＡ）と、該当光ディスク（ＤＶＤ）１０が採用する規格のバージョン番号（ＶＥＲＮ）と、ビデオタイトルセットのカテゴリー（ＶＴＳ＿ＣＡＴ）と、ビデオタイトルセット情報管理テーブルのエンドアドレス（ＶＴＳＩ＿ＭＡＴ＿ＥＡ）と、ビデオタイトルセットメニューのビデオオブジェクトセットのスタートアドレス（ＶＴＳＭ＿ＶＯＢＳ＿ＳＡ）と、ビデオタイトルセットタイトルのビデオオブジェクトセットのスタートアドレス（ＶＴＳＴＴ＿ＶＯＢＳ＿ＳＡ）と、ビデオタイトルセットのパートオブタイトルサーチポインタテーブルのスタートアドレス（ＶＴＳ＿ＰＴＴ＿ＳＲＰＴ＿ＳＡ）と、ビデオタイトルセットのプログラムチェーン情報テーブルのスタートアドレス（ＶＴＳ＿ＰＧＣＩＴ＿ＳＡ）と、ビデオタイトルセットメニューのプログラムチェーン情報のユニットテーブルのスタートアドレス（ＶＴＳＭ＿ＰＧＣＩ＿ＵＴ＿ＳＡ）と、ビデオタイトルセットのタイムマップテーブルのスタートアドレス（ＶＴＳ＿ＴＭＡＰＴ＿ＳＡ）と、ビデオタイトルセットメニューのセルアドレステーブルのスタートアドレス（ＶＴＳＭ＿Ｃ＿ＡＤＴ＿ＳＡ）と、ビデオタイトルセットメニューのビデオオブジェクトユニットのアドレスマップのスタートアドレス（ＶＴＳＭ＿ＶＯＢＵ＿ＡＤＭＡＰ＿ＳＡ）と、ビデオタイトルセットのセルアドレステーブルのスタートアドレス（ＶＴＳ＿Ｃ＿ＡＤＴ＿ＳＡ）と、ビデオタイトルセットのビデオオブジェクトユニットのアドレスマップのスタートアドレス（ＶＴＳ＿ＶＯＢＵ＿ＡＤＭＡＰ＿ＳＡ）と、ビデオタイトルセットメニューのビデオ属性（ＶＴＳＭ＿Ｖ＿ＡＲＴ）と、ビデオタイトルセットメニューのオーディオストリーム数（ＶＴＳＭ＿ＡＳＴ＿Ｎｓ）と、ビデオタイトルセットメニューのオーディオストリーム属性（ＶＴＳＭ＿ＡＳＴ＿ＡＴＲ）と、ビデオタイトルセットメニューの副映像ストリーム数（ＶＴＳＭ＿ＳＰＳＴ＿Ｎｓ）と、ビデオタイトルセットメニューの副映像ストリーム属性（ＶＴＳＭ＿ＳＰＳＴ＿ＡＴＲ）と、ビデオタイトルセットのビデオ属性（ＶＴＳ＿Ｖ＿ＡＲＴ）と、ビデオタイトルセットのオーディオストリーム数（ＶＴＳ＿ＡＳＴ＿Ｎｓ）と、ビデオタイトルセットのオーディオストリーム属性テーブル（ＶＴＳ＿ＡＳＴ＿ＡＴＲＴ）と、ビデオタイトルセットの副映像ストリーム数（ＶＴＳ＿ＳＰＳＴ＿Ｎｓ）と、ビデオタイトルセットの副映像ストリーム属性テーブル（ＶＴＳ＿ＳＰＳＴ＿ＡＴＲＴ）と、およびビデオタイトルセットのマルチチャネルオーディオストリーム属性テーブル（ＶＴＳ＿ＭＵ＿ＡＳＴ＿ＡＴＲＴ）が記載されている。
【０２２６】
なお、上記の各テーブルは、光ディスク１０に記録されるデータの論理ブロックの境界に揃えられるようになっている。
【０２２７】
図３４は、図３２のビデオタイトルセットパートオブタイトルサーチポインタテーブルＶＴＳ＿ＰＴＴ＿ＳＲＰＴの内容を説明する図である。
【０２２８】
図３２のビデオタイトルセットのパートオブタイトル用のタイトルサーチポインタテーブル（ＶＴＳ＿ＰＴＴ＿ＳＲＰＴ）９４２には、図３４に示すように、パートオブタイトル用サーチポインタテーブル情報（ＰＴＴ＿ＳＲＰＴＩ）９４２Ａと、タイトルユニット＃１からタイトルユニット＃ｎまでのサーチポインタ（ＴＴＵ＿ＳＲＰ＃１〜ＴＴＵ＿ＳＲＰ＃ｎ）９４２Ｂと、タイトルユニット＃１〜＃ｎ各々に対するパートオブタイトルサーチポインタ（ＰＴＴ＿ＳＲＰ＃１〜ＰＴＴ＿ＳＲＰ＃ｍ、または総称してＰＴＴ＿ＳＲＰｓ；ｓは複数を示す）９４２Ｃとが含まれている。
【０２２９】
ここで、パートオブタイトル（ＰＴＴ）は、対応タイトル内のエントリーポイントを指す。このパートオブタイトル（ＰＴＴ）にはパートオブタイトルサーチポインタ（ＰＴＴ＿ＳＲＰ）が割り当てられており、ここでプログラムチェーン数（ＰＧＣＮ）およびプログラム数（ＰＧＮ）が記述される。このパートオブタイトルサーチポインタ（ＰＴＴ＿ＳＲＰ）は対応プログラムの頭に配置される。
【０２３０】
パートオブタイトル数（ＰＴＴＮ）は各タイトル毎に付与される。このパートオブタイトル数に対応して、１以上のパートオブタイトルサーチポインタ（ＰＴＴ＿ＳＲＰ）が、１からパートオブタイトルの数まで、昇順で記述される。各タイトル毎に設けられたこのようなパートオブタイトルサーチポインタ（ＰＴＴ＿ＳＲＰ）の集合が、タイトルユニット（ＴＴＵ；図３４ではＴＴＵ＃１〜ＴＴＵ＃ｎ）を構成している。たとえば各タイトルの１番目のパートオブタイトル（ＰＴＴＮ＃１）はエントリープログラムチェーンのプログラム番号ＰＧＮ＃１に対応する。
【０２３１】
なお、該当タイトルが１シーケンシャルプログラムチェーンで構成されたタイトルである場合は、パートオブタイトル数（ＰＴＴＮ）はそのタイトルの全てのプログラムに再生順に割り当てられる。
【０２３２】
プログラムチェーンブロックに対して定義された複数のパートオブタイトル（ＰＴＴ）は、そのブロックの最初のプログラムチェーンに割り当てられる。
【０２３３】
このプログラムチェーンブロック内の他のプログラムチェーン（ＰＧＣ）に対する複数パートオブタイトル（ＰＴＴ）は、最初のプログラムチェーンのパートオブタイトルを定義するのに用いたものと同じプログラム番号（ＰＧＮ）によって定義される。
【０２３４】
図３５は、図３４のパートオブタイトルサーチポインタテーブル情報ＰＴＴ＿ＳＲＰＴＩの内容を説明する図である。このパートオブタイトル用サーチポインタテーブル情報ＰＴＴ＿ＳＲＰＴＩ９４２Ａは、ビデオタイトルセット内のタイトルユニットの数（ＶＴＳ＿ＴＴＵ＿Ｎｓ）およびビデオタイトルセットのパートオブタイトルのサーチポインタテーブルのエンドアドレス（ＶＴＳ＿ＰＴＴ＿ＳＲＰＴ＿ＥＡ）を含んでいる。
【０２３５】
ここで、タイトルユニットの数（ＶＴＳ＿ＴＴＵ＿Ｎｓ）は、ビデオタイトルセット（ＶＴＳ）内のタイトル数と同じであり、最大９９まで可能となっている。また、エンドアドレス（ＶＴＳ＿ＰＴＴ＿ＳＲＰＴ＿ＥＡ）は、該当パートオブタイトルサーチポインタテーブル（ＶＴＳ＿ＰＴＴ＿ＳＲＰＴ）の最初のバイトからの相対ブロック数で記述されている。
【０２３６】
図３６は、図３４に示した各タイトルユニット＃ｎ用のサーチポインタＴＴＵ＿ＳＲＰの内容を説明する図である。各サーチポインタ（ＴＴＵ＿ＳＲＰ＃１〜ＴＴＵ＿ＳＲＰ＃ｎ）９４２Ｂは、タイトルユニット（ＴＴＵ）のスタートアドレス（ＴＴＵ＿ＳＡ）を含んでいる。このＴＴＵ＿ＳＡは、該当パートオブタイトルサーチポインタテーブル（ＶＴＳ＿ＰＴＴ＿ＳＲＰＴ）の最初のバイトからの相対ブロック数で記述されている。
【０２３７】
図３７は、図３４のパートオブタイトル用サーチポインタＰＴＴ＿ＳＲＰの内容を説明する図である。各パートオブタイトルサーチポインタ（ＰＴＴ＿ＳＲＰ）９４２Ｃは、プログラムチェーン数（ＰＧＣＮ）およびプログラム数（ＰＧＮ）を含んでいる。このＰＧＣＮは選択されるプログラムチェーン数を記述したものである。あるブロックの複数プログラムチェーン（ＰＧＣ）についていえば、プログラムチェーン数（ＰＧＣＮ）はそのブロックの最初のプログラムチェーン（ＰＧＣ）の数にセットされる。また、プログラム数（ＰＧＮ）は選択されたプログラムチェーン（ＰＧＣ）内のプログラム数を記述したものである。そのプログラムチェーン（ＰＧＣ）がビデオオブジェクト（ＶＯＢ）を含まないときは、このプログラム数（ＰＧＮ）には”０”が記述される。
【０２３８】
図３８は、図３２のビデオタイトルセット用プログラムチェーン情報テーブルＶＴＳ＿ＰＧＣＩＴの内容を説明する図である。このビデオタイトルセットのプログラムチェーン情報テーブル（ＶＴＳ＿ＰＧＣＩＴ）９４３には、ビデオタイトルセットプログラムチェーン情報テーブル情報（ＶＴＳ＿ＰＧＣＩＴＩ）９４３Ａと、ビデオタイトルセットプログラムチェーン情報サーチポインタ（ＶＴＳ＿ＰＧＣＩ＿ＳＲＰ＃１〜ＶＴＳ＿ＰＧＣＩ＿ＳＲＰ＃ｎ）９４３Ｂと、ビデオタイトルセットプログラムチェーン情報（ＶＴＳ＿ＰＧＣＩ）９４３Ｃとが含まれている。
【０２３９】
なお、複数設けられたビデオタイトルセットプログラムチェーン情報（ＶＴＳ＿ＰＧＣＩ）９４３Ｃの順序は、複数のビデオタイトルセットプログラムチェーン情報サーチポインタ（ＶＴＳ＿ＰＧＣＩ＿ＳＲＰ＃１〜ＶＴＳ＿ＰＧＣＩ＿ＳＲＰ＃ｎ）９４３Ｂの順序と無関係に設定されている。したがって、たとえば同一のプログラムチェーン情報（ＶＴＳ＿ＰＧＣＩ）を１以上のプログラムチェーン情報サーチポインタ（ＶＴＳ＿ＰＧＣＩ＿ＳＲＰ）で指し示すことが可能となっている。
【０２４０】
図３９は、図３８のビデオタイトルセット用プログラムチェーン情報テーブル情報ＶＴＳ＿ＰＧＣＩＴＩの内容を説明する図である。ビデオタイトルセットプログラムチェーン情報テーブル情報（ＶＴＳ＿ＰＧＣＩＴＩ）９４３Ａは、ビデオタイトルセットプログラムチェーン情報サーチポインタの数（ＶＴＳ＿ＰＧＣＩ＿ＳＲＰ＿Ｎｓ）およびビデオタイトルセットプログラムチェーン情報テーブルのエンドアドレス（ＶＴＳ＿ＰＧＣＩＴ＿ＥＡ）を含んでいる。このエンドアドレス（ＶＴＳ＿ＰＧＣＩＴ＿ＥＡ）は、ビデオタイトルセットプログラムチェーン情報テーブル（ＶＴＳ＿ＰＧＣＩＴ）の最初のバイトからの相対ブロック数で記述される。
【０２４１】
図４０は、図３８のビデオタイトルセット用プログラムチェーン情報サーチポインタＶＴＳ＿ＰＧＣＩ＿ＳＲＰの内容を説明する図である。各ビデオタイトルセットプログラムチェーン情報サーチポインタ（ＶＴＳ＿ＰＧＣＩ＿ＳＲＰ）９４３Ｂは、ビデオタイトルセットプログラムチェーンのカテゴリー（ＶＴＳ＿ＰＧＣ＿ＣＡＴ）およびビデオタイトルセットプログラムチェーン情報のスタートアドレス（ＶＴＳ＿ＰＧＣＩ＿ＳＡ）を含んでいる。
【０２４２】
図４１は、図４０のプログラムチェーン情報サーチポインタＶＴＳ＿ＰＧＣＩ＿ＳＲＰに含まれるビデオタイトルセット用プログラムチェーンカテゴリーＶＴＳ＿ＰＧＣ＿ＣＡＴの内容を説明する図である。ここで、ビデオタイトルセットプログラムチェーンのカテゴリーＶＴＳ＿ＰＧＣ＿ＣＡＴは、３２ビット（４バイト）で構成されている。
【０２４３】
図４１において、ＶＴＳ＿ＰＧＣ＿ＣＡＴの下位８ビットはパレンタル識別フィールドの下位ビットに割り当て、次の８ビットはパレンタル識別フィールドの上位ビットに割り当て、次の４ビットは予約フィールドとしてとっておき、次の２ビットでブロックタイプを指定し、次の２ビットでブロックモードを指定し、次の７ビットでビデオタイトルセットのタイトル数値（ＶＴＳ＿ＴＴＮ）を記述し、最後の１ビット（３２ビット目）でエントリータイプを指定するようにしてある。
【０２４４】
すなわち、４バイト（３２ビット）の上位ビットから数えて最初のエントリータイプが１ｂ（バイナリの１）なら該当プログラムチェーン（ＰＧＣ）がエントリーＰＧＣであることが示され、それが０ｂなら該当プログラムチェーンがエントリーＰＧＣ以外のプログラムチェーンであることが示される。続くタイトル数値（ＶＴＳ＿ＴＴＮ）で、該当ビデオタイトルセットのタイトル数（最大９９）が示される。続く２ビットのブロックモードが００ｂなら該当ブロック内のプログラムチェーンではないことが示され、それが０１ｂなら該当ブロック内の最初のプログラムチェーンであることが示され、それが１０ｂなら該当ブロック中のプログラムチェーンであることが示され、それが１１ｂなら該当ブロック内の最後のプログラムチェーンであることが示される。続く２ビットのブロックタイプが００ｂならそれが該当ブロックの一部ではないことが示され、それが０１ｂならパレンタルブロック（再生が特定の条件下でのみ許されるブロック）であることが示される。その後の８＋８ビットは、パレンタルブロックの再生条件を判定するための情報（フラグビット列）が記載される領域である。
【０２４５】
また、ビデオタイトルセットプログラムチェーン情報のスタートアドレス（ＶＴＳ＿ＰＧＣＩ＿ＳＡ）は、ビデオタイトルセットプログラムチェーン情報テーブルの最初のバイトからの相対ブロック数で記述される。
【０２４６】
図４２は、図３２のビデオタイトルセットメニュー用プログラムチェーン情報ユニットテーブルＶＴＳＭ＿ＰＧＣＩ＿ＵＴの内容を説明する図である。このビデオタイトルセットメニュー用のプログラムチェーン情報ユニットテーブル（ＶＴＳＭ＿ＰＧＣＩ＿ＵＴ）９４４には、ビデオタイトルセットメニュー用プログラムチェーン情報ユニットテーブル情報（ＶＴＳＭ＿ＰＧＣＩ＿ＵＴＩ）９４４Ａと、ビデオタイトルセットメニュー用言語ユニットサーチポインタ（ＶＴＳＭ＿ＬＵ＿ＳＲＰ＃１〜ＶＴＳＭ＿ＬＵ＿ＳＲＰ＃ｎ）９４４Ｂと、ビデオタイトルセットメニュー言語ユニット（ＶＴＳＭ＿ＬＵ＃１〜ＶＴＳＭ＿ＬＵ＃ｎ）９４４Ｃとが含まれている。
【０２４７】
図４３は、図４２のビデオタイトルセットメニュー用プログラムチェーン情報ユニットテーブル情報ＶＴＳＭ＿ＰＧＣＩ＿ＵＴＩの内容を説明する図である。ビデオタイトルセットメニュー用プログラムチェーン情報ユニットテーブル情報（ＶＴＳＭ＿ＰＧＣＩ＿ＵＴＩ）９４４Ａには、ビデオタイトルセットメニュー用言語ユニットの数（ＶＴＳＭ＿ＬＵ＿Ｎｓ）およびビデオタイトルセットメニュー用プログラムチェーン情報ユニットテーブルのエンドアドレス（ＶＴＳＭ＿ＰＧＣＩ＿ＵＴ＿ＥＡ）が含まれている。このエンドアドレス（ＶＴＳＭ＿ＰＧＣＩ＿ＵＴ＿ＥＡ）は、ビデオタイトルセットメニュー用プログラムチェーン情報ユニットテーブル（ＶＴＳＭ＿ＰＧＣＩ＿ＵＴ）の最初のバイトからの相対ブロック数で記述される。
【０２４８】
図４４は、図４２のビデオタイトルセットメニュー用言語ユニットサーチポインタＶＴＳＭ＿ＬＵ＿ＳＲＰの内容を説明する図である。ビデオタイトルセットメニュー用言語ユニットサーチポインタ（ＶＴＳＭ＿ＬＵ＿ＳＲＰ）９４４Ｂには、ビデオタイトルセットメニュー用言語コード（ＶＴＳＭ＿ＬＣＤ）およびビデオタイトルセットメニュー用言語ユニットのスタートアドレス（ＶＴＳＭ＿ＬＵ＿ＳＡ）が含まれている。
【０２４９】
言語コード（ＶＴＳＭ＿ＬＣＤ）はビデオタイトルセットメニュー用言語ユニットの言語コードを記述したもので、このテーブル内では１つの言語が１回だけ現れる。スタートアドレス（ＶＴＳＭ＿ＬＵ＿ＳＡ）は、ビデオタイトルセットメニュー用言語ユニット（ＶＴＳＭ＿ＬＵ）のスタートアドレスを、ビデオタイトルセットメニュー用プログラムチェーン情報ユニットテーブル（ＶＴＳＭ＿ＰＧＣＩ＿ＵＴ）の最初のバイトからの相対ブロック数で記述したものである。
【０２５０】
図４５は、図４２のビデオタイトルセットメニュー用言語ユニットＶＴＳＭ＿ＬＵの内容を説明する図である。ビデオタイトルセットメニュー言語ユニット（ＶＴＳＭ＿ＬＵ）９４４Ｃには、ビデオタイトルセットメニュー用言語ユニット情報（ＶＴＳＭ＿ＬＵＩ）９４４ＣＡと、ビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢと、ビデオタイトルセットメニュー用プログラムチェーン情報（ＶＴＳＭ＿ＰＧＣＩ）９４４ＣＣとが含まれている。
【０２５１】
複数設けられたビデオタイトルセットメニュー用プログラムチェーン情報（ＶＴＳＭ＿ＰＧＣＩ）９４４ＣＣの順序は、複数のビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢの順序と無関係に設定されている。したがって、たとえば同一のビデオタイトルセットメニュー用プログラムチェーン情報（ＶＴＳＭ＿ＰＧＣＩ）を１以上のビデオタイトルセットメニュー用プログラムチェーン情報サーチポインタ（ＶＴＳＭ＿ＰＧＣＩ＿ＳＲＰ）で指し示すことが可能となっている。
【０２５２】
図４６は、図４５のビデオタイトルセットメニュー用言語ユニット情報ＶＴＳＭ＿ＬＵＩの内容を説明する図である。ビデオタイトルセットメニュー用言語ユニット情報（ＶＴＳＭ＿ＬＵＩ）９４４ＣＡは、ビデオタイトルセットメニュー用プログラムチェーン情報サーチポインタの数（ＶＴＳＭ＿ＰＧＣＩ＿ＳＲＰ＿Ｎｓ）およびビデオタイトルセットメニュー用言語ユニットのエンドアドレス（ＶＴＳＭ＿ＬＵ＿ＥＡ）を含んでいる。
【０２５３】
ここで、サーチポインタ数（ＶＴＳＭ＿ＰＧＣＩ＿ＳＲＰ＿Ｎｓ）は、ビデオタイトルセットメニュー用プログラムチェーン（ＶＴＳＭ＿ＰＧＣ）の数を記述したものである。また、エンドアドレス（ＶＴＳＭ＿ＬＵ＿ＥＡ）は、ビデオタイトルセットメニュー用言語ユニット（ＶＴＳＭ＿ＬＵ）の最初のバイトからの相対ブロック数で言語ユニット（ＶＴＳＭ＿ＬＵ）のエンドアドレスを記述したものである。
【０２５４】
図４７は、図４５のビデオタイトルセットメニュー用プログラムチェーン情報サーチポインタＶＴＳＭ＿ＰＧＣＩ＿ＳＲＰの内容を説明する図である。ビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢは、ビデオタイトルセットメニュー用プログラムチェーンのカテゴリー（ＶＴＳＭ＿ＰＧＣ＿ＣＡＴ）およびビデオタイトルセットメニュー用プログラムチェーン情報のスタートアドレス（ＶＴＳＭ＿ＰＧＣＩ＿ＳＡ）を含んでいる。
【０２５５】
図４８は、図４７のプログラムチェーン情報サーチポインタＶＴＳＭ＿ＰＧＣＩ＿ＳＲＰに含まれるビデオタイトルセットメニュー用プログラムチェーンカテゴリーＶＴＳＭ＿ＰＧＣ＿ＣＡＴの内容を説明する図である。このビデオタイトルセットメニュー用プログラムチェーンのカテゴリー（ＶＴＳＭ＿ＰＧＣ＿ＣＡＴ）は、３２ビット（４バイト）で構成されている。
【０２５６】
図４８において、ＶＴＳＭ＿ＰＧＣ＿ＣＡＴの下位８ビットはパレンタル識別フィールドの下位ビットに割り当て、次の８ビットはパレンタル識別フィールドの上位ビットに割り当て、次の４ビットは予約フィールドとしてとっておき、次の２ビットでブロックタイプを指定し、次の２ビットでブロックモードを指定し、次の４ビットでメニュー識別子（メニューＩＤ）を記述し、次の３ビットは予約フィールドとしてとっておき、最後の１ビット（３２ビット目）でエントリータイプを指定するようにしてある。
【０２５７】
まず、４バイト（３２ビット）の上位ビットから数えて最初のエントリータイプが１ｂ（バイナリの１）なら該当プログラムチェーン（ＰＧＣ）がエントリーＰＧＣであることが示され、それが０ｂなら該当プログラムチェーンがエントリーＰＧＣ以外のプログラムチェーンであることが示される。
【０２５８】
その後の４ビットメニュー識別子（メニューＩＤ）の内容は、次のように決定される。上記エントリータイプが０ｂならメニューＩＤには００００ｂがエンターされ、上記エントリータイプが１ｂのときはメニューＩＤには以下のバイナリコードがエンターされる。
【０２５９】
すなわち、ルートメニューなら００１１ｂがエンターされ、副映像メニューなら０１００ｂがエンターされ、オーディオメニューなら０１０１ｂがエンターされ、アングルメニューなら０１１０ｂがエンターされ、パートオブタイトル（チャプターなど）メニューなら０１１１ｂがエンターされる。これら以外のメニュー識別子（メニューＩＤ）の４ビットバイナリコードは、その他の用途に予約されている。
【０２６０】
上記メニュー識別子（メニューＩＤ）に続く２ビットのブロックモードが００ｂなら該当ブロック内のプログラムチェーンではないことが示され、それが０１ｂなら該当ブロック内の最初のプログラムチェーンであることが示され、それが１０ｂなら該当ブロック中のプログラムチェーンであることが示され、それが１１ｂなら該当ブロック内の最後のプログラムチェーンであることが示される。続く２ビットのブロックタイプが００ｂならそれが該当ブロックの一部ではないことが示され、それが０１ｂならパレンタルブロック（再生が特定の条件下でのみ許されるブロック）であることが示される。その後の８＋８ビットは、パレンタルブロックの再生条件を判定するための情報（フラグビット列）が記載される領域である。
【０２６１】
また、図４７のプログラムチェーン情報サーチポインタＶＴＳＭ＿ＰＧＣＩ＿ＳＲＰに含まれるスタートアドレス（ＶＴＳＭ＿ＰＧＣＩ＿ＳＡ）は、ビデオタイトルセットメニュー用プログラムチェーン情報（ＶＴＳＭ＿ＰＧＣＩ）のスタートアドレスを、ビデオタイトルセットメニュー言語ユニット（ＶＴＳＭ＿ＬＵ）の最初のバイトからの相対ブロック数で記述したものである。
【０２６２】
図４９は、図１または図２の光ディスク１０を再生する装置（後述する図７６のＤＶＤプレーヤ）で使用されるメニューの階層構造を説明する図である。この図は、システムメニューとユーザ操作機能との対応を説明する概念図でもある。
【０２６３】
このメニュー（図７６のＴＶモニタ６の画面上に適宜ポップアップされるもの）には、大別して、タイトルメニュー、ビデオタイトルセットメニュー、およびオプションメニューがある。そのうち、ビデオタイトルセットメニューにおける各メニューの呼び出しは、図４８のメニューＩＤの内容に基づいて行われる。
【０２６４】
すなわち、最初にメニューコールがあると、メニューＩＤ＝００１１ｂのルートメニュー用プログラムチェーンが呼び出される。その後、オーディオメニューを表示するときはメニューＩＤ＝０１０１ｂのオーディオメニュー用プログラムチェーンが呼び出され、副映像メニューを表示するときはメニューＩＤ＝０１００ｂの副映像メニュー用プログラムチェーンが呼び出され、アングルメニューを表示するときはメニューＩＤ＝０１１０ｂのアングルメニュー用プログラムチェーンが呼び出され、パートオブタイトル（チャプター）メニューを表示するときはメニューＩＤ＝０１１１ｂのパートオブタイトルメニュー用プログラムチェーンが呼び出される。
【０２６５】
図７６の再生装置ユーザ（視聴者）がアングル変更をするときは、必要に応じて、メニューＩＤ＝０１１０ｂのアングルメニュー用プログラムチェーンが呼び出され、アングルメニューがモニタ６に表示される。（アングルメニューをモニタ６へ出さずにアングル変更する場合もある。）
図５０は、図３２のビデオタイトルセット用タイムマップテーブルＶＴＳ＿ＴＭＡＰＴの内容を説明する図である。ビデオタイトルセットタイムマップテーブル（ＶＴＳ＿ＴＭＡＰＴ）９４５は、該当ビデオタイトルセットの各プログラムチェーンの記録位置を、それぞれの限定された再生時間で記述した情報を含んでいる。
【０２６６】
すなわち、このタイムマップテーブル（ＶＴＳ＿ＴＭＡＰＴ）９４５には、ビデオタイトルセットタイムマップテーブル情報（ＶＴＳ＿ＴＭＡＰＴＩ）９４５Ａと、ビデオタイトルセットタイムマップサーチポインタ（ＶＴＳ＿ＴＭＡＰ＿ＳＲＴ＃１〜ＶＴＳ＿ＴＭＡＰ＿ＳＲＴ＃ｎ）９４５Ｂと、ビデオタイトルセットタイムマップ（ＶＴＳ＿ＴＭＡＰ＃１〜ＶＴＳ＿ＴＭＡＰ＃ｎ）９４５Ｃとが含まれている。
【０２６７】
ビデオタイトルセットが何らかの１シーケンシャルプログラムチェーンタイトルを含んでいるときは、そのタイトル内でタイムサーチあるいはタイムプレイが許容されているか否かに拘わらず、ビデオタイトルセットタイムマップ（ＶＴＳ＿ＴＭＡＰ）は必ず記載される。
【０２６８】
ビデオタイトルセットタイムマップ（ＶＴＳ＿ＴＭＡＰ）は１以上あり、その数はビデオタイトルセットプログラムチェーン情報サーチポインタ（ＶＴＳ＿ＰＧＣＩ＿ＳＲＰ）と同じに設定される。したがって、あるプログラムチェーンブロックが複数のプログラムチェーンで構成されるときは、ブロック内の全プログラムチェーンに対してビデオタイトルセットタイムマップ（ＶＴＳ＿ＴＭＡＰ）が記載されることになる。
【０２６９】
なお、各ビデオタイトルセットタイムマップ（ＶＴＳ＿ＴＭＡＰ）は、該当ビデオタイトルセット内の複数ビデオタイトルセットプログラムチェーン情報サーチポインタ（ＶＴＳ＿ＰＧＣＩ＿ＳＲＰ）と同様な順序で記載される。
【０２７０】
図５１は、図５０のビデオタイトルセット用タイムマップテーブル情報ＶＴＳ＿ＴＭＡＰＴＩの内容を説明する図である。このビデオタイトルセットタイムマップテーブル情報（ＶＴＳ＿ＴＭＡＰＴＩ）９４５Ａは、ビデオタイトルセットタイムマップの数（ＶＴＳ＿ＴＭＡＰ＿Ｎｓ）およびビデオタイトルセットタイムマップテーブルのエンドアドレス（ＶＴＳ＿ＴＭＡＰＴ＿ＥＡ）を含んでいる。
【０２７１】
ここで、ビデオタイトルセットタイムマップ数（ＶＴＳ＿ＴＭＡＰ＿Ｎｓ）は、ビデオタイトルセットタイムマップテーブル（ＶＴＳ＿ＴＭＡＰＴ）内のビデオタイトルセットタイムマップ（ＶＴＳ＿ＴＭＡＰ）の数を記述したものである。このマップ数（ＶＴＳ＿ＴＭＡＰ＿Ｎｓ）は、該当ビデオタイトルセット内のビデオタイトルセットプログラムチェーン情報サーチポインタ（ＶＴＳ＿ＰＧＣＩ＿ＳＲＰ）の数と同じに設定される。また、ビデオタイトルセットタイムマップテーブルのエンドアドレス（ＶＴＳ＿ＴＭＡＰＴ＿ＥＡ）は、ビデオタイトルセットタイムマップテーブル（ＶＴＳ＿ＴＭＡＰＴ）の最初のバイトからの相対ブロック数によってこのタイムマップテーブル（ＶＴＳ＿ＴＭＡＰＴ）のエンドアドレスを記述したものである。
【０２７２】
図５２は、図５０のビデオタイトルセット用タイムマップサーチポインタＶＴＳ＿ＴＭＡＰ＿ＳＲＰの内容を説明する図である。ビデオタイトルセットタイムマップサーチポインタ（ＶＴＳ＿ＴＭＡＰ＿ＳＲＴ＃１〜ＶＴＳ＿ＴＭＡＰ＿ＳＲＴ＃ｎ）９４５Ｂは、ビデオタイトルセットタイムマップのスタートアドレス（ＶＴＳ＿ＴＭＡＰ＿ＳＡ）を含んでいる。このスタートアドレス（ＶＴＳ＿ＴＭＡＰ＿ＳＡ）は、ビデオタイトルセットタイムマップテーブル（ＶＴＳ＿ＴＭＡＰＴ）の最初のバイトからの相対ブロック数でもって、対応するビデオタイトルセットタイムマップ（ＶＴＳ＿ＴＭＡＰ）のスタートアドレスを記述したものである。
【０２７３】
図５３は、図５０のビデオタイトルセット用タイムマップＶＴＳ＿ＴＭＡＰの内容を説明する図である。ビデオタイトルセットタイムマップ（ＶＴＳ＿ＴＭＡＰ＃１〜ＶＴＳ＿ＴＭＡＰ＃ｎ）９４５Ｃは、時間単位を秒で表したタイムユニット（ＴＭＵ）と、マップのエントリー数（ＭＡＰ＿ＥＮ＿Ｎｓ）と、マップエントリーアドレス（ＭＡＰ＿ＥＮＡ）とを含んでいる。
【０２７４】
ここで、タイムユニット（ＴＭＵ）は各マップエントリー（ＭＡＰ＿ＥＮ）の時間間隔を秒単位で記述したものである。各マップエントリー（ＭＡＰ＿ＥＮ）はタイムユニット（ＴＭＵ）の値で限定された時間でもってそれぞれのタイムマップの記録位置を記述したものである。マップエントリー（ＭＡＰ＿ＥＮ）は、プログラムチェーン（ＰＧＣ）上の各タイムユニット（ＴＭＵ）に対して連続しているプログラムチェーンの開始部分からセットされる。
【０２７５】
このプログラムチェーン（ＰＧＣ）内にアングルブロックが含まれているときは、アングル番号＃１に対する（１以上の）マップエントリー（ＭＡＰ＿ＥＮ）だけが記載される。また、プログラムチェーンコマンドテーブル（ＰＧＣ＿ＣＭＤＴ；図２５）のセルコマンド、プログラムチェーン情報内セルカテゴリー（Ｃ＿ＣＡＴ；図２８）中のセル再生モード、あるいはこのセルカテゴリー（Ｃ＿ＣＡＴ）中のセルスチル時間がどうであるかに拘わらず、上記マップエントリー（ＭＡＰ＿ＥＮ）は、このプログラムチェーン（ＰＧＣ）がシーケンシャルに再生されるものとして、セットされる。
【０２７６】
もしタイムユニット（ＴＭＵ）にゼロが記載されていたときは、マップエントリー数（ＭＡＰ＿ＥＮ＿Ｎｓ）がゼロということである。この場合は、マップエントリーアドレス（ＭＡＰ＿ＥＮＡ）は記載されない。
【０２７７】
もし、上記プログラムチェーン（ＰＧＣ）の属するタイトルが１シーケンシャルプログラムチェーンタイトルであり、このプログラムチェーン（ＰＧＣ）が、タイムサーチあるいはタイムプレイなどのユーザー操作によりアクセス可能なものである場合は、タイムユニット（ＴＭＵ）はゼロ以外の値をとる。
【０２７８】
図５３のマップエントリー数（ＭＡＰ＿ＥＮ＿Ｎｓ）は、ビデオタイトルセットタイムマップ（ＶＴＳ＿ＴＭＡＰ）中のマップエントリー（ＭＡＰ＿ＥＮ）の数（０〜２０４８の間）を記述したものである。タイムユニット（ＴＭＵ）がゼロなら、マップエントリー数（ＭＡＰ＿ＥＮ＿Ｎｓ）もゼロになる。
【０２７９】
また、プログラムチェーン（ＰＧＣ）内の最初のマップエントリーアドレス（ＭＡＰ＿ＥＮＡ）は、このプログラムチェーン（ＰＧＣ）の最初からの１タイムユニット（ＴＭＵ）に配属される。このマップエントリーアドレス（ＭＡＰ＿ＥＮＡ）はマップエントリーの数だけあり、その合計バイト数はマップエントリー数Ｘ４バイトとなる。
【０２８０】
図５４は、図５３のビデオタイトルセット用タイムマップＶＴＳ＿ＴＭＡＰに含まれるマップエントリーアドレスＭＡＰ＿ＥＮＡの内容を説明する図である。このマップエントリーアドレス（ＭＡＰ＿ＥＮＡ）各々は、４バイト（３２ビット）で構成されている。最初の１バイトでＭＡＰ＿ＥＮＡの下位８ビットが構成され、続く２バイトでＭＡＰ＿ＥＮＡの中間８＋８ビットが構成され、続く７ビットでＭＡＰ＿ＥＮＡの上位７ビットが構成され、最後の１ビット（３２ビット目）は不連続フラグとして用いられるようになっている。
【０２８１】
この不連続フラグが０ｂ（バイナリの０）なら、現在のマップエントリーアドレス（ＭＡＰ＿ＥＮＡ）と次のマップエントリーアドレス（ＭＡＰ＿ＥＮＡ）とがともに同一セルに属することが示される。また、この連続フラグが１ｂのときは、現在のマップエントリーアドレス（ＭＡＰ＿ＥＮＡ）と次のマップエントリーアドレス（ＭＡＰ＿ＥＮＡ）とが異なるセルに属するか、現在のマップエントリーアドレス（ＭＡＰ＿ＥＮＡ）がそのプログラムチェーン（ＰＧＣ）の最後のマップエントリーアドレス（ＭＡＰ＿ＥＮＡ）であることが示される。
【０２８２】
図５４のマップエントリーアドレス（ＭＡＰ＿ＥＮＡ）は、このアドレス（ＭＡＰ＿ＥＮＡ）が配置されたビデオオブジェクトユニット（ＶＯＢＵ）の先頭アドレスを、該当ビデオタイトルセット（ＶＴＳ）中のビデオタイトルセットタイトル用ビデオオブジェクトセット（ＶＴＳＴＴ＿ＶＯＢＳ）の最初の論理ブロックからの相対ブロック数でもって、記述したものである。
【０２８３】
図５５は、図３２のビデオタイトルセットメニュー用セルアドレステーブルＶＴＳＭ＿Ｃ＿ＡＤＴの内容を説明する図である。ビデオタイトルセットメニュー用のセルアドレステーブル（ＶＴＳＭ＿Ｃ＿ＡＤＴ）９４６には、ビデオタイトルセットメニュー用セルアドレステーブル情報（ＶＴＳＭ＿Ｃ＿ＡＤＴＩ）９４６Ａと、ビデオタイトルセットメニュー用セルピース情報（ＶＴＳＭ＿ＣＰＩ＃１〜ＶＴＳＭ＿ＣＰＩ＃ｎ）９４６Ｂとが含まれている。
【０２８４】
図５６は、図５５のビデオタイトルセットメニュー用セルアドレステーブル情報ＶＴＳＭ＿Ｃ＿ＡＤＴＩの内容を説明する図である。ビデオタイトルセットメニュー用セルアドレステーブル情報（ＶＴＳＭ＿Ｃ＿ＡＤＴＩ）９４６Ａは、ビデオタイトルセットメニュー用ビデオオブジェクトセット（ＶＴＳＭ＿ＶＯＢＳ）内のビデオオブジェクト（ＶＯＢ）の数（ＶＴＳＭ＿ＶＯＢ＿Ｎｓ）およびビデオタイトルセットメニュー用セルアドレステーブル（ＶＴＳＭ＿Ｃ＿ＡＤＴ）のエンドアドレス（ＶＴＳＭ＿Ｃ＿ＡＤＴ＿ＥＡ）を含んでいる。
【０２８５】
ここで、ビデオタイトルセットメニュー用ビデオオブジェクト数（ＶＴＳＭ＿ＶＯＢ＿Ｎｓ）は、該当ビデオタイトルセット中のビデオタイトルセットメニュー用ビデオオブジェクトセット（ＶＴＳＭ＿ＶＯＢＳ）内のビデオオブジェクト（ＶＯＢ）数を記述したものである。また、ビデオタイトルセットメニュー用セルアドレステーブルのエンドアドレス（ＶＴＳＭ＿Ｃ＿ＡＤＴ＿ＥＡ）は、ビデオタイトルセットメニュー用セルアドレステーブル（ＶＴＳＭ＿Ｃ＿ＡＤＴ）の最初のバイトからの相対ブロック数でもって、このセルアドレステーブル（ＶＴＳＭ＿Ｃ＿ＡＤＴ）のエンドアドレスを記述したものである。
【０２８６】
図５７は、図５５のビデオタイトルセットメニュー用セルピース情報ＶＴＳＭ＿ＣＰＩの内容を説明する図である。ビデオタイトルセットメニュー用セルピース情報（ＶＴＳＭ＿ＣＰＩ＃１〜ＶＴＳＭ＿ＣＰＩ＃ｎ）９４６Ｂは、セルピースに対するビデオオブジェクト識別子（ＶＯＢ＿ＩＤ）の数値（ＶＴＳＭ＿ＶＯＢ＿ＩＤＮ）と、セルピースに対するセル識別子（Ｃｅｌｌ＿ＩＤ）の数値（ＶＴＳＭ＿Ｃ＿ＩＤＮ）と、ビデオタイトルセットメニューのセルピース（ＶＴＳＭ＿ＣＰ）のスタートアドレス（ＶＴＳＭ＿ＣＰ＿ＳＡ）と、ビデオタイトルセットメニューのセルピース（ＶＴＳＭ＿ＣＰ）のエンドアドレス（ＶＴＳＭ＿ＣＰ＿ＥＡ）とを含んでいる。
【０２８７】
ここで、ビデオオブジェクト識別子の数値（ＶＴＳＭ＿ＶＯＢ＿ＩＤＮ）は、セルピース（ＣＰ）が属するビデオオブジェクト（ＶＯＢ）のビデオオブジェクト識別子（ＶＯＢ＿ＩＤ）の番号を記述したものである。セル識別子の数値（ＶＴＳＭ＿Ｃ＿ＩＤＮ）は、セルピース（ＣＰ）が属するセルの識別子（Ｃｅｌｌ＿ＩＤ）の番号を記述したものである。セルピースのスタートアドレス（ＶＴＳＭ＿ＣＰ＿ＳＡ）は、セルピースの最初のナビゲーションパック（ＮＶ＿ＰＣＫ）のスタートアドレスを、該当ビデオタイトルセット内のビデオタイトルセットメニュー用ビデオオブジェクトセット（ＶＴＳＭ＿ＶＯＢＳ）の最初の論理ブロックからの相対ブロック番号でもって、記述したものである。そして、セルピースのエンドアドレス（ＶＴＳＭ＿ＣＰ＿ＥＡ）は、セルピースの最後の論理ブロックのエンドアドレスを、該当ビデオタイトルセット内のビデオタイトルセットメニュー用ビデオオブジェクトセット（ＶＴＳＭ＿ＶＯＢＳ）の最初の論理ブロックからの相対ブロック番号でもって、記述したものである。
【０２８８】
図５８は、図３２のビデオタイトルセットメニュー用ビデオオブジェクトユニットアドレスマップＶＴＳＭ＿ＶＯＢＵ＿ＡＤＭＡＰの内容を説明する図である。ビデオタイトルセットメニュー用のビデオオブジェクトユニットアドレスマップ（ＶＴＳＭ＿ＶＯＢＵ＿ＡＤＭＡＰ）９４７には、ビデオタイトルセットメニュー用ビデオオブジェクトユニットのアドレスマップ情報（ＶＴＳＭ＿ＶＯＢＵ＿ＡＤＭＡＰＩ）９４７Ａおよびビデオタイトルセットメニュー用ビデオオブジェクトユニットのアドレス（ＶＴＳＭ＿ＶＯＢＵ＿ＡＤ＃１〜ＶＴＳＭ＿ＶＯＢＵ＿ＡＤ＃ｎ）９４７Ｂが含まれている。
【０２８９】
ここで、アドレスマップ（ＶＴＳＭ＿ＶＯＢＵ＿ＡＤＭＡＰ）９４７上では、ビデオタイトルセットメニュー用ビデオオブジェクトセット（ＶＴＳＭ＿ＶＯＢＳ）内の全てのビデオオブジェクトユニット（ＶＯＢＵ）のスタートアドレスは、それらの論理ブロック番号の昇順で、記述される。
【０２９０】
図５９は、図５８のビデオタイトルセットメニュー用ビデオオブジェクトユニットアドレスマップ情報ＶＴＳＭ＿ＶＯＢＵ＿ＡＤＭＡＰＩの内容を説明する図である。ビデオタイトルセットメニュー用ビデオオブジェクトユニットのアドレスマップ情報（ＶＴＳＭ＿ＶＯＢＵ＿ＡＤＭＡＰＩ）９４７Ａは、ビデオタイトルセットメニュー用ビデオオブジェクトユニットのアドレスマップ（ＶＴＳＭ＿ＶＯＢＵ＿ＡＤＭＡＰ）のエンドアドレス（ＶＴＳＭ＿ＶＯＢＵ＿ＡＤＭＡＰ＿ＥＡ）を含んでいる。
【０２９１】
このＶＴＳＭ＿ＶＯＢＵ＿ＡＤＭＡＰ＿ＥＡは、ビデオタイトルセットメニュー用ビデオオブジェクトユニットのアドレスマップ（ＶＴＳＭ＿ＶＯＢＵ＿ＡＤＭＡＰ）の最初のバイトからの相対ブロック数でもって、このアドレスマップ（ＶＴＳＭ＿ＶＯＢＵ＿ＡＤＭＡＰ）のエンドアドレスを記述したものである。
【０２９２】
図６０は、図５８の各ビデオタイトルセットメニュー用ビデオオブジェクトユニットアドレスＶＴＳＭ＿ＶＯＢＵ＿ＡＤ＃ｎの内容を説明する図である。ビデオタイトルセットメニュー用ビデオオブジェクトユニットのアドレス（ＶＴＳＭ＿ＶＯＢＵ＿ＡＤ＃ｎ）９４７Ｂは、ビデオオブジェクトユニット（ＶＯＢＵ＃ｎ）に対するビデオタイトルセットメニュー用ビデオオブジェクトユニット（ＶＴＳＭ＿ＶＯＢＵ）のスタートアドレス（ＶＴＳＭ＿ＶＯＢＵ＿ＳＡ＃ｎ）を含んでいる。
【０２９３】
このＶＴＳＭ＿ＶＯＢＵ＿ＳＡ＃ｎは、該当ビデオタイトルセット内のビデオタイトルセットメニュー用ビデオオブジェクトセット（ＶＴＳＭ＿ＶＯＢＳ）の最初の論理ブロックからの相対論理ブロック数でもって、ｎ番目のビデオオブジェクトユニット（ＶＯＢＵ＃ｎ）のスタートアドレスを記述したものである。
【０２９４】
図６１は、図３２のビデオタイトルセット用セルアドレステーブルＶＴＳ＿Ｃ＿ＡＤＴの内容を説明する図である。ビデオタイトルセットセルアドレステーブル（ＶＴＳ＿Ｃ＿ＡＤＴ）９４８には、ビデオタイトルセットセルアドレステーブル情報（ＶＴＳ＿Ｃ＿ＡＤＴＩ）９４８Ａおよびビデオタイトルセットセルピース情報（ＶＴＳ＿ＣＰＩ＃１〜ＶＴＳ＿ＣＰＩ＃ｎ）９４８Ｂが含まれている。
【０２９５】
このセルアドレステーブル（ＶＴＳ＿Ｃ＿ＡＤＴ）９４８において、ビデオタイトルセットタイトルのビデオオブジェクトセット（ＶＴＳＴＴ＿ＶＯＢＳ）内の全てのセルおよび全てのインターリーブドユニットのスタートアドレスおよびエンドアドレスが記述される。
【０２９６】
セルがインターリーブドブロック内に配置されたビデオオブジェクトに属するものであるときは、セルピースは１つのインターリーブドユニット（ＩＬＶＵ）として定義される。セルの境界が１つのインターリーブドユニット（ＩＬＶＵ）内にあるときは、セルピースはインターリーブドユニット内の各セルによって定義される。
【０２９７】
各セルピースのビデオタイトルセットセルピース情報（ＶＴＳ＿ＣＰＩ）は、最初にビデオオブジェクト識別子番号（ＶＯＢ＿ＩＤＮ）、２番目にセル識別子番号（Ｃ＿ＩＤＮ）、３番目にセル内のセルピースの再生順序の順で記載される。
【０２９８】
ここでのビデオオブジェクト識別子番号（ＶＯＢ＿ＩＤＮ）およびセル識別子番号（Ｃ＿ＩＤＮ）は、セルピースが属するセルに対して与えられるようになっている。
【０２９９】
図６２は、図６１のビデオタイトルセット用セルアドレステーブル情報ＶＴＳ＿Ｃ＿ＡＤＴＩの内容を説明する図である。ビデオタイトルセットセルアドレステーブル情報（ＶＴＳ＿Ｃ＿ＡＤＴＩ）９４８Ａは、ビデオタイトルセットタイトルのビデオオブジェクトセット内ビデオオブジェクト数を示すビデオタイトルセットビデオオブジェクト数（ＶＴＳ＿ＶＯＢ＿Ｎｓ）、およびビデオタイトルセットセルアドレステーブルのエンドアドレスを示すビデオタイトルセットセルアドレスエンドアドレス（ＶＴＳ＿Ｃ＿ＡＤＴ＿ＥＡ）を含んでいる。
【０３００】
ここで、ビデオタイトルセットビデオオブジェクト数（ＶＴＳ＿ＶＯＢ＿Ｎｓ）は、該当ビデオタイトルセット中のビデオタイトルセットタイトルのビデオオブジェクトセット（ＶＴＳＴＴ＿ＶＯＢＳ）の数を記述したものである。
【０３０１】
また、ビデオタイトルセットセルアドレスエンドアドレス（ＶＴＳ＿Ｃ＿ＡＤＴ＿ＥＡ）は、ビデオタイトルセットセルアドレス（ＶＴＳ＿Ｃ＿ＡＤＴ）の最初のバイトからの相対論理ブロック数でもって、このセルアドレス（ＶＴＳ＿Ｃ＿ＡＤＴ）のエンドアドレスを記述したものである。
【０３０２】
図６３は、図６１のビデオタイトルセット用セルピース情報ＶＴＳ＿ＣＰＩの内容を説明する図である。ビデオタイトルセットセルピース情報（ＶＴＳ＿ＣＰＩ）９４８Ｂは、セルピースに対するビデオタイトルセットのビデオオブジェクト識別子番号（ＶＴＳ＿ＶＯＢ＿ＩＤＮ）と、セルピースに対するビデオタイトルセットのセル識別子番号（ＶＴＳ＿Ｃ＿ＩＤＮ）と、ビデオタイトルセットのセルピースのスタートアドレス（ＶＴＳ＿ＣＰ＿ＳＡ）と、ビデオタイトルセットのセルピースのエンドアドレス（ＶＴＳ＿ＣＰ＿ＥＡ）とを含んでいる。
【０３０３】
ここで、ビデオオブジェクト識別子番号（ＶＴＳ＿ＶＯＢ＿ＩＤＮ）は、セルピースが属するビデオタイトルセットのビデオオブジェクトの識別番号を記述したものである。
【０３０４】
また、セル識別子番号（ＶＴＳ＿Ｃ＿ＩＤＮ）は、セルピースが属するビデオタイトルセットのセルの識別番号を記述したものである。
【０３０５】
また、セルピースのスタートアドレス（ＶＴＳ＿ＣＰ＿ＳＡ）は、該当ビデオタイトルセット内のビデオタイトルセットタイトルのビデオオブジェクトの最初の論理ブロックからの相対論理ブロック数でもって、セルピースの最初のナビゲーションパックのスタートアドレスを記述したものである。
【０３０６】
また、セルピースのエンドアドレス（ＶＴＳ＿ＣＰ＿ＥＡ）は、該当ビデオタイトルセット内のビデオタイトルセットタイトルのビデオオブジェクトの最初の論理ブロックからの相対論理ブロック数でもって、セルピースの最後の論理ブロックのエンドアドレスを記述したものである。
【０３０７】
図６４は、図３２のビデオタイトルセット用ビデオオブジェクトユニットのアドレスマップＶＴＳ＿ＶＯＢＵ＿ＡＤＭＡＰの内容を説明する図である。ビデオタイトルセット用のビデオオブジェクトユニットアドレスマップ（ＶＴＳ＿ＶＯＢＵ＿ＡＤＭＡＰ）９４９には、ビデオタイトルセットのビデオオブジェクトユニットのアドレスマップ情報（ＶＴＳ＿ＶＯＢＵ＿ＡＤＭＡＰＩ）９４９Ａおよびビデオタイトルセットのビデオオブジェクトユニットのアドレス（ＶＴＳ＿ＶＯＢＵ＿ＡＤ＃１〜ＶＴＳ＿ＶＯＢＵ＿ＡＤ＃ｎ）９４９Ｂが含まれている。
【０３０８】
このアドレスマップ（ＶＴＳ＿ＶＯＢＵ＿ＡＤＭＡＰ）９４９において、ビデオタイトルセットタイトルのビデオオブジェクトセット（ＶＴＳＴＴ＿ＶＯＢＳ）内の全てのビデオオブジェクトユニットのスタートアドレスが、それらの論理ブロック番号の昇順で、記述される。
【０３０９】
図６５は、図６４のビデオタイトルセット用ビデオオブジェクトユニットのアドレスマップ情報ＶＴＳ＿ＶＯＢＵ＿ＡＤＭＡＰＩの内容を説明する図である。ビデオタイトルセットのビデオオブジェクトユニットのアドレスマップ情報（ＶＴＳ＿ＶＯＢＵ＿ＡＤＭＡＰＩ）９４９Ａは、ビデオタイトルセットのビデオオブジェクトユニットのアドレスマップのエンドアドレス（ＶＴＳ＿ＶＯＢＵ＿ＡＤＭＡＰ＿ＥＡ）を含んでいる。
【０３１０】
このＶＴＳ＿ＶＯＢＵ＿ＡＤＭＡＰ＿ＥＡは、ビデオタイトルセットのビデオオブジェクトユニットのアドレスマップ（ＶＴＳ＿ＶＯＢＵ＿ＡＤＭＡＰ）のエンドアドレスを、このＶＴＳ＿ＶＯＢＵ＿ＡＤＭＡＰの最初のバイトからの相対ブロック数でもって記述したものである。
【０３１１】
図６６は、図６４の各ビデオタイトルセット用ビデオオブジェクトユニットのアドレスＶＴＳ＿ＶＯＢＵ＿ＡＤ＃ｎの内容を説明する図である。ビデオタイトルセットのビデオオブジェクトユニットのアドレス（ＶＴＳ＿ＶＯＢＵ＿ＡＤ＃ｎ）９４９Ｂは、ｎ番目のビデオオブジェクトユニット（ＶＯＢＵ＃ｎ）に対するビデオタイトルセットのビデオオブジェクトユニットのスタートアドレス（ＶＴＳ＿ＶＯＢＵ＿ＳＡ＃ｎ）を記述したものである。
【０３１２】
このＶＴＳ＿ＶＯＢＵ＿ＡＤ＃ｎは、該当ビデオタイトルセット内のビデオタイトルセットタイトルのビデオオブジェクトセットの最初の論理ブロックからの相対論理ブロック数でもって、ｎ番目のビデオオブジェクトユニット（ＶＯＢＵ＃ｎ）のスタートアドレスを記述したものである。
【０３１３】
図６７は、図２２のプログラムチェーンが１個だけで１シーケンシャルＰＧＣタイトルが形成される場合を説明する図であり、図６８は、図２２のプログラムチェーンが複数集まってマルチＰＧＣタイトルが形成される場合とを説明する図である。
【０３１４】
プログラムチェーン（ＰＧＣ）には、図６７および図６８に示すように、エントリープログラムチェーン（Ｅｎｔｒｙ  ＰＧＣ）およびエントリープログラムチェーン（Ｅｎｔｒｙ  ＰＧＣ＃１）に続く１以上のプログラムチェーン（ＰＧＣ＃２、ＰＧＣ＃３、ＰＧＣ＃４、…）がある。
【０３１５】
図６７に示すように、１つだけのシーケンシャルプログラムチェーンからなるタイトル（あるいは１つだけのランダムプログラムチェーンからなるタイトル）では、プログラムチェーンはエントリープログラムチェーン（Ｅｎｔｒｙ  ＰＧＣ）だけで構成される。エントリープログラムチェーンは、あるタイトルを再生するときに最初に再生されるプログラムチェーンとなる。
【０３１６】
ここで、１シーケンシャルプログラムチェーンタイトルは、ループ再生、ランダム再生あるいはシャッフル再生を伴わない単一のプログラムチェーンで構成される。一方、１ランダムプログラムチェーンタイトルは、ループ再生、ランダム再生あるいはシャッフル再生を伴なう単一のプログラムチェーンで構成される。
【０３１７】
２以上のシーケンシャルプログラムチェーンを含むマルチプログラムチェーンタイトルでは、図６８に示すように、エントリープログラムチェーン（Ｅｎｔｒｙ  ＰＧＣ＃１）に続いて１以上のプログラムチェーン（ＰＧＣ＃２、ＰＧＣ＃３、ＰＧＣ＃４、…）を種々に配置て構成される。マルチプログラムチェーンタイトルには、複数プログラムチェーンを用いることにより、マルチストーリー展開の可能なドラマを記録することができる。
【０３１８】
たとえば、出演者が主役Ａ、準主役Ｂおよび脇役Ｃの三人ドラマにおいて、エントリーＰＧＣ＃１の終了時点で、ユーザ（視聴者）は、Ａの視点からみた第１ストーリ展開のＰＧＣ＃２、Ｂの視点からみた第２ストーリ展開のＰＧＣ＃３、あるいはＣの視点からみた第３ストーリ展開のＰＧＣ＃３のうちいずれか好むものを選択できる。
【０３１９】
また、図６８に示すように、幾つかのプログラムチェーンＰＧＣに、パートオブタイトル（チャプター）の先頭アドレスを示すマークＰＴＴを予め付けておくことができる。そしてこのマークＰＴＴを飛び先の目印（飛び先アドレス）とすることにより、パートオブタイトル（ＰＴＴ）単位で再生の切替先が決まるストーリ切替を行なうこともできる。
【０３２０】
なお、選択されたストーリ内部（選択されたプログラムチェーンＰＧＣの再生中）でマルチアングル機能を利用することは可能である。すなわち、マルチアングル再生は、図６８のいずれのプログラムチェーン内においても可能となっている。（各プログラムチェーン内部にマルチアングル再生可能なアングルブロックを挿入するかどうかは、ソフトウエアのプロバイダが決める。）
また、マルチストーリのユーザ選択時（たとえば図６８のＰＧＣ＃１終了後にメニューを用いてＰＧＣ＃２〜ＰＧＣ＃４のいずれかが選択されるとき）に、ユーザ選択可能なプログラムチェーンとユーザ選択不可能なプログラムチェーンを特定することもできる。具体的にいえば、図６８のＰＧＣ＃２（第１のストーリ）およびＰＧＣ＃３（第２のストーリ）を選択するユーザ操作は許可し（対応ユーザ操作ＵＯＰの中身がビット０）、ＰＧＣ＃４を選択するユーザ操作は禁止（対応ＵＯＰの中身がビット１）することができる。もちろん、記録されたマルチストーリのＰＧＣ全てをユーザ選択可能とすることはできる。
【０３２１】
図６９は、図３のビデオタイトルセットＶＴＳからナビゲーションコマンド（リンク命令群、ジャンプ命令群等）およびナビゲーションパラメータ（一般パラメータ、システムパラメータ）に至るまでの階層パスを説明する図である。
【０３２２】
図３を参照して既に説明したように、ＤＶＤディスク１０のビデオ領域はビデオマネージャＶＭＧおよび１以上のビデオタイトルセットＶＴＳを含んでいる。各ビデオタイトルセットＶＴＳはビデオタイトルセット情報ＶＴＳＩおよび１以上のビデオオブジェクトセットＶＯＢＳを含んでいる。
【０３２３】
ビデオタイトルセット情報ＶＴＳＩはプログラムチェーン情報テーブルＰＧＣＩＴを含む（図３８の９４３）。プログラムチェーン情報テーブルＰＧＣＩＴはプログラムチェーン情報ＰＧＣＩを含む（図２５）。プログラムチェーン情報ＰＧＣＩはプログラムチェーンコマンドテーブルＰＧＣ＿ＣＭＤＴを含む（図７０）。プログラムチェーンコマンドテーブルＰＧＣ＿ＣＭＤＴはポストコマンドＰＯＳＴ＿ＣＭＤを含む（図７１）。
【０３２４】
ポストコマンドＰＯＳＴ＿ＣＭＤはナビゲーションコマンドＮＶ＿ＣＭＤ（図７３）の一部を構成する。ナビゲーションコマンドＮＶ＿ＣＭＤを用いてシステムパラメータＳＰＲＭの値を設定することにより、ＤＶＤディスク１０のプロバイダはその再生装置を制御できる。この再生装置の動作の仕方は一般パラメータＧＰＲＭにユーザ操作の履歴を記憶することにより制御できる。これらのパラメータＧＰＲＭおよびＳＰＲＭはナビゲーションパラメータを構成する。このナビゲーションパラメータは上記ナビゲーションコマンドＮＶ＿ＣＭＤによりアクセスできるパラメータである。
【０３２５】
前記ビデオオブジェクトセットＶＯＢＳはナビゲーションパックＮＶ＿ＰＣＫを含む（図１３の８６）。ナビゲーションパックＮＶ＿ＰＣＫは再生制御情報ＰＣＩを含む（図１７）。再生制御情報ＰＣＩはハイライト情報ＨＬＩを含む（図１８）。ハイライト情報ＨＬＩは図示しないボタン情報テーブルＢＴＮＩＴを含み、このＢＴＮＩＴはボタンコマンドＢＴＮ＿ＣＭＤを含む（図７２）。
【０３２６】
ボタンコマンドＢＴＮ＿ＣＭＤは、ポストコマンドＰＯＳＴ＿ＣＭＤと同様、ナビゲーションコマンドＮＶ＿ＣＭＤ（図１０１）の一部を構成する。ナビゲーションコマンドＮＶ＿ＣＭＤを用いてシステムパラメータＳＰＲＭの値を設定することにより、ＤＶＤディスク１０のプロバイダはその再生装置を制御できる。この再生装置の動作の仕方は一般パラメータＧＰＲＭにユーザ操作の履歴を記憶することにより制御できる。
【０３２７】
図７０は、図２９に示すＰＧＣＩ＿ＧＩ中のプログラムチェーンコマンドテーブル開始アドレスＰＧＣ＿ＣＭＤＴ＿ＳＡで指定されたＰＧＣコマンドテーブルＰＧＣ＿ＣＭＤＴの内容を説明する図である。このコマンドテーブルＰＧＣ＿ＣＭＤＴは、プログラムチェーンコマンドテーブル情報ＰＧＣ＿ＣＭＤＴＩと、１以上のプリコマンドＰＲＥ＿ＣＭＤ＃ｉと、１以上のポストコマンドＰＯＳＴ＿ＣＭＤ＃ｊと、１以上のセルコマンドＣ＿ＣＭＤ＃ｋを含んでいる。ここで、各ポストコマンドＰＯＳＴ＿ＣＭＤ＃ｊは、図７１に示すように８バイトで記述された、ナビゲーションコマンドの一種である。
【０３２８】
図７１は、図７０のＰＧＣコマンドテーブルＰＧＣ＿ＣＭＤＴ内のポストコマンドＰＯＳＴ＿ＣＭＤの構成を例示している。
【０３２９】
また、図７２は、図７０のＰＧＣコマンドテーブルＰＧＣ＿ＣＭＤＴ内のボタンコマンドＢＴＮ＿ＣＭＤの構成を例示している。このボタンコマンドＢＴＮ＿ＣＭＤは、図１８の再生制御情報ＰＣＩ内のハイライト情報ＨＬＩに含まれている。
【０３３０】
図７０のプリコマンドＰＲＥ＿ＣＭＤ、ポストコマンドＰＯＳＴ＿ＣＭＤ、セルコマンドＣ＿ＣＭＤ、あるいは図７２のボタンコマンドＢＴＮ＿ＣＭＤは、ナビゲーションコマンドを構成する。
【０３３１】
図７３は、上記ナビゲーションコマンド（ＮＶ＿ＣＭＤ）の構成を説明する図である。このナビゲーションコマンドは、ナビゲーションコマンドの実行順序を変更するＧｏＴｏ命令群と、現ドメイン内で指定された再生を開始するＬｉｎｋ命令群と、指定されたドメイン内で指定された再生を開始するＪｕｍｐ命令群と、指定された値を比較するＣｏｍｐａｒｅ命令群と、ナビゲーションパラメータを設定するＳｅｔＳｙｓｔｅｍ命令群と、一般パラメータＧＰＲＭの値を計算するＳｅｔ命令群を含んでいる。
【０３３２】
図７４は、図７３のナビゲーションコマンドに含まれるナビゲーションパラメータ設定（ＳｅｔＳｙｓｔｅｍ）命令群の内容を説明する図である。このナビゲーションパラメータ設定命令群は、ストリーム番号を所定のシステムパラメータＳＰＲＭに設定するコマンドＳｅｔＳＴＮと、ナビゲーションタイマ条件を特定のシステムパラメータＳＰＲＭに設定するコマンドＳｅｔＮＶＴＭＲと、選択状態用ハイライトボタン番号を特定のシステムパラメータＳＰＲＭに設定するコマンドＳｅｔＨＬ＿ＢＴＮＮと、カラオケ用プレーヤのオーディオミキシングモードを特定のシステムパラメータＳＰＲＭに設定するコマンドＳｅｔＡＭＸＭＤと、一般パラメータのモードおよびその値を特定の一般パラメータＧＰＲＭに設定するコマンドＳｅｔＧＰＲＭＭＤを含んでいる。
【０３３３】
図７５は、図１１のタイトル再生タイプＴＴ＿ＰＢ＿ＴＹでのユーザ操作制御（ＵＯＰ０、ＵＯＰ１）、図２０のユーザ操作制御ＶＯＢＵ＿ＵＯＰ＿ＣＴＬでのユーザ操作制御（ＵＯＰ０〜ＵＯＰ２４）および図３０のユーザ操作制御ＰＧＣ＿ＵＯＰ＿ＣＴＬでのユーザ操作制御（ＵＯＰ０〜ＵＯＰ２４）それぞれの制御ビット（ＵＯＰ０〜ＵＯＰ２４）と、それらに対応するユーザ機能との関係を説明する図である。
【０３３４】
図７５に例示される２４種のＵＯＰのうち、ＵＯＰ０はユーザによる時間再生および時間検索の禁止／許可を指定するもので、ＴＴ＿ＰＢ＿ＴＹまたはＰＧＣ＿ＵＯＰ＿ＣＴＬに含まれる。
【０３３５】
ＵＯＰ１はユーザによるパートオブタイトル再生およびパートオブタイトル検索の禁止／許可を指定するもので、ＴＴ＿ＰＢ＿ＴＹまたはＰＧＣ＿ＵＯＰ＿ＣＴＬに含まれる。
【０３３６】
ＵＯＰ２はユーザによるタイトル再生の禁止／許可を指定するもので、ＰＧＣ＿ＵＯＰ＿ＣＴＬに含まれる。
【０３３７】
ＵＯＰ３はユーザによる再生停止の禁止／許可を指定するもので、ＰＧＣ＿ＵＯＰ＿ＣＴＬに含まれる。
【０３３８】
ＵＯＰ４はユーザによる各種ＧｏＵｐ操作（タイトルドメイン中の数値、メニュー空間中の数値、あるいはプログラムチェーン番号の数値がＦＦＦＦｈであるときに、それらの数値等を増加させる操作）の禁止／許可を指定するもので、ＶＯＢＵ＿ＵＯＰ＿ＣＴＬに含まれる。
【０３３９】
ＵＯＰ５はユーザによる時間検索またはパートオブタイトル検索の禁止／許可を指定するもので、ＰＧＣ＿ＵＯＰ＿ＣＴＬまたはＶＯＢＵ＿ＵＯＰ＿ＣＴＬに含まれる。
【０３４０】
ＵＯＰ６はユーザによる前（先行）プログラム検索または先頭プログラム検索の禁止／許可を指定するもので、ＰＧＣ＿ＵＯＰ＿ＣＴＬまたはＶＯＢＵ＿ＵＯＰ＿ＣＴＬに含まれる。
【０３４１】
ＵＯＰ７はユーザによる次（後続）プログラム検索の禁止／許可を指定するもので、ＰＧＣ＿ＵＯＰ＿ＣＴＬまたはＶＯＢＵ＿ＵＯＰ＿ＣＴＬに含まれる。
【０３４２】
ＵＯＰ８はユーザによる前方スキャン（早送り）の禁止／許可を指定するもので、ＰＧＣ＿ＵＯＰ＿ＣＴＬまたはＶＯＢＵ＿ＵＯＰ＿ＣＴＬに含まれる。
【０３４３】
ＵＯＰ９はユーザによる後方スキャン（早戻し）の禁止／許可を指定するもので、ＰＧＣ＿ＵＯＰ＿ＣＴＬまたはＶＯＢＵ＿ＵＯＰ＿ＣＴＬに含まれる。
【０３４４】
ＵＯＰ１０はユーザによるタイトルメニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３４５】
ＵＯＰ１１はユーザによるルートメニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３４６】
ＵＯＰ１２はユーザによる副映像メニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３４７】
ＵＯＰ１３はユーザによるオーディオ（音声）メニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３４８】
ＵＯＰ１４はユーザによるアングルメニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３４９】
ＵＯＰ１５はユーザによるパートオブタイトル（チャプター）メニュー（図４９参照）呼出の禁止／許可を指定するもので、ＰＧＣ＿ＵＯＰ＿ＣＴＬまたはＶＯＢＵ＿ＵＯＰ＿ＣＴＬに含まれる。
【０３５０】
ＵＯＰ１６はユーザによるレジューム操作の禁止／許可を指定するもので、ＰＧＣ＿ＵＯＰ＿ＣＴＬまたはＶＯＢＵ＿ＵＯＰ＿ＣＴＬに含まれる。
【０３５１】
ＵＯＰ１７はユーザによる各種ボタン操作（上位ボタン選択、下位ボタン選択、左ボタン選択、右ボタン選択、ボタン決定、またはボタン選択・決定）の禁止／許可を指定するもので、ＰＧＣ＿ＵＯＰ＿ＣＴＬに含まれる。
【０３５２】
ＵＯＰ１８はユーザによるスチル（静止画）オフ操作の禁止／許可を指定するもので、ＰＧＣ＿ＵＯＰ＿ＣＴＬまたはＶＯＢＵ＿ＵＯＰ＿ＣＴＬに含まれる。
【０３５３】
ＵＯＰ１９はユーザによるポーズ（一時停止）オン操作の禁止／許可を指定するもので、ＰＧＣ＿ＵＯＰ＿ＣＴＬまたはＶＯＢＵ＿ＵＯＰ＿ＣＴＬに含まれる。なお、ＵＯＰ１９はポーズオフまたはメニュー言語選択のユーザ操作の禁止／許可を指定することに用いられる可能性もある。
【０３５４】
ＵＯＰ２０はユーザによる音声ストリーム変更操作の禁止／許可を指定するもので、ＰＧＣ＿ＵＯＰ＿ＣＴＬまたはＶＯＢＵ＿ＵＯＰ＿ＣＴＬに含まれる。
【０３５５】
ＵＯＰ２１はユーザによる副映像ストリーム変更操作の禁止／許可を指定するもので、ＰＧＣ＿ＵＯＰ＿ＣＴＬまたはＶＯＢＵ＿ＵＯＰ＿ＣＴＬに含まれる。
【０３５６】
ＵＯＰ２２はユーザによるアングル変更操作の禁止／許可を指定するもので、ＰＧＣ＿ＵＯＰ＿ＣＴＬまたはＶＯＢＵ＿ＵＯＰ＿ＣＴＬに含まれる。なお、ＵＯＰ２２はパレンタルレベル選択またはパレンタル適用国選択のユーザ操作の禁止／許可を指定することに用いられる可能性もある。
【０３５７】
ＵＯＰ２３はユーザによるカラオケ音声再生モード変更操作の禁止／許可を指定するもので、ＰＧＣ＿ＵＯＰ＿ＣＴＬまたはＶＯＢＵ＿ＵＯＰ＿ＣＴＬに含まれる。
【０３５８】
ＵＯＰ２４はユーザによるビデオ再生モード変更操作の禁止／許可を指定するもので、ＰＧＣ＿ＵＯＰ＿ＣＴＬまたはＶＯＢＵ＿ＵＯＰ＿ＣＴＬに含まれる。
【０３５９】
図７５に示したＵＯＰ０〜ＵＯＰ２４を適宜使用することにより、ＤＶＤディスク１０のプロバイダは、特定のビデオ再生時点（あるいは特定のユーザ選択時点）において特定のユーザ操作を禁止しあるいは許可できる。たとえば、コマーシャル入りビデオ作品を収録したＤＶＤディスクのプロバイダは、所定のコマーシャルの全編再生が完了してからでないとビデオ作品本体の再生に入れないように各種ＵＯＰのフラグビットを設定できる。
【０３６０】
図７６は、この発明の一実施の形態に係る光ディスク再生装置の概略構成を説明するブロック図である。
【０３６１】
図３に示すような構造のデータが記録された光ディスク（ＤＶＤビデオＲＯＭディスク）１０が再生装置本体（ＤＶＤプレーヤ）の図示しないディスクトレイにセットされユーザにより再生スタートキーがオンされる（ユーザ操作の１つ）と、ディスク１０はディスクドライブ３０にローディングされる。このようなユーザ操作は、バックライト付の操作キーパネル４またはリモートコントローラ送受部４Ａを介して赤外線通信されるリモートコントローラ５により、行われる。
【０３６２】
図７６の光ディスク再生装置において、光ディスク１０がローディングされると、ＭＰＵ５０はメモリ５６から初期動作プログラムを読み出し、ディスクドライブ３０を作動させる。すると、ディスクドライブ３０は、光ディスク１０のリードインエリア２７から読出動作を開始する。この読出動作によって、リードインエリア２７に続くボリュームおよびファイル構造領域７０（図３）の情報が読み出される。この領域７０のボリュームおよびファイル構造は、所定の規格（ＵＤＦブリッジ等）に準拠して規定されている。
【０３６３】
ＭＰＵ５０は、ディスクドライブ３０にセットされた光ディスク１０の所定位置に記録されているボリュームおよびファイル構造領域７０を読み出すために、ディスクドライブ３０にリード命令を与え、ボリュームおよびファイル構造領域７０の内容を読み出し、システムプロセサ５４を介して、メモリ５６に一旦格納する。
【０３６４】
続いて、ＭＰＵ５０は、メモリ５６に格納されたパステーブルおよびディレクトリレコード（光ディスク１０から読み取ったもの）を用いて、メモリ５６に格納されたデータから、ディスク１０上の各ファイルの記録位置、記録容量、サイズ等の情報およびその他管理に必要な情報（管理情報）を抜き出し、抜き出した情報をメモリ５６の所定の場所に転送し、そこに保存する。
【０３６５】
次に、ＭＰＵ５０は、メモリ５６から各ファイルの記録位置および記録容量等の情報を参照して、ファイル番号０番から始まる複数ファイルからなるビデオマネージャーＶＭＧ（図６）を獲得する。
【０３６６】
すなわち、ＭＰＵ５０は、メモリ５６から獲得した各ファイルの記録位置および記録容量等の情報を参照してディスクドライブ３０に対してリード命令を与え、ルートディレクトリ上に存在するビデオマネージャーＶＭＧを構成する複数ファイルの位置およびサイズを獲得し、このビデオマネージャーＶＭＧを読み出す。こうして読み出されたビデオマネージャＶＭＧは、システムプロセサ５４を介してメモリ５６に転送され、メモリ５６内の所定の場所に格納される。
【０３６７】
図７６の構成において、再生時のデータ処理は、以下のようになる。
【０３６８】
まず、ユーザ操作によって再生開始命令を受けると、ＭＰＵ５０は、ディスクドライブ３０からディスク１０の管理領域を読み込み、再生するアドレスを決定する。次に、ＭＰＵ５０は、ディスクドライブ３０に先ほど決定された再生データのアドレスおよびリード命令を送る。
【０３６９】
ディスクドライブ３０は、送られてきた命令に従って、ディスク１０よりセクタデータを読み出しシステムプロセサ５４に転送する。システムプロセサ５４では、転送されてきたデータのエラー訂正が行われ、データ切分部５４Ａにてデータ種類（ビデオデータ、副映像データ、オーディオデータ）毎に切り分けられる。切り分けられたデータは、ビデオパケット（Ｖパケット）、副映像パケット（ＳＰパケット）およびオーディオパケット（Ａパケット）の形で、それぞれ、ＭＰＥＧデコーダ５８、副映像デコーダ６２およびオーディオデコーダ６０に転送される。その他のパケット（図１３のナビゲーションパック８６等）は、後にＭＰＵ５０が処理するために、メモリ５６に転送される。
【０３７０】
上記各パケットデータ（Ｖパケット、ＳＰパケット、Ａパケット）は、その転送開始時に、プレゼンテーションタイムスタンプＰＴＳを図示しないシステムタイムカウンタＳＴＣにロードする。その後、の各デコーダ（５８〜６２）は、パケットデータ内のＰＴＳの値に同期して（ＰＴＳとＳＴＣの値を比較しながら）再生処理を行なう。そして、ビデオプロセサ５９を介しＴＶモニタ６に字幕付き動画等を送ってビデオ再生を行ない、かつ、Ｄ／ＡコンバータＤＡＣ６１を介しＡパックのデジタルデータをアナログ音声信号に変換してから外部アンプおよびスピーカ８に送って、オーディオ再生を行なう。
【０３７１】
なお、ＭＰＵ５０は、種々なオンスクリーンディスプレイ（ＯＳＤ）データをビデオプロセサ５９に送り、そこでビデオデータにＯＳＤ画像をスーパーインポーズして、適宜ＯＳＤ表示を行えるようになっている。
【０３７２】
図７７は、図７６の再生装置（ＤＶＤプレーヤ）に用いられるリモートコントローラ５の内部構成を説明する図である。このリモートコントローラ５は、図７６のリモートコントローラ送受部４Ａを介してＭＰＵ５０から送られてくる情報（ＵＯＰ情報等）を受信して自身のＭＰＵ５Ｂに送るリモートコントローラ送受部５Ａと、リモートコントローラ送受部５Ａで受信されたＭＰＵ５０からの情報に基づき特定のリモートコントローラ操作キーを目立たせる操作キー照明信号を発生するＭＰＵ５Ｂと、ＭＰＵ５Ｂからの操作キー照明信号を電流信号に変換するＬＥＤドライバ５Ｃと、ＬＥＤドライバ５Ｃからの電流信号により操作キーアレイ５Ｄの特定キーを背面から選択的に照明する複数の発光ダイオードＬＥＤとを備えている。
【０３７３】
なお、リモートコントローラ５のＭＰＵ５Ｂは、ユーザによるリモートコントローラ・キーボタンのオン・オフ状態（ユーザ操作情報）をリモートコントローラ送受部５Ａおよび４Ａを介して再生装置側のＭＰＵ５０に転送する機能や、再生装置本体のＭＰＵ５０からの情報に基づきリモートコントローラ５のどの操作キーを選択的に照明するかを自動判定するプログラムを内蔵している。
【０３７４】
図７８は、図７６の再生装置（ＤＶＤプレーヤ）あるいは図示しない他の記録再生装置（ＤＶＤビデオレコーダ）に用いられるリモートコントローラの一例を示す。図７６の操作キーパネル４でも基本的な操作は可能であるが、ＤＶＤの特徴を生かした各種操作はリモートコントローラ５で行なうようになっている。
【０３７５】
以下、図７８のリモートコントローラ５の各キーの機能（あるいは使い方）を説明する。
【０３７６】
［電源キー（ＰＯＷＥＲ）５ａの機能］
＜１＞装置本体の交流電源回路の二次側をオン／オフする。
【０３７７】
＜２＞装置内部にディスクがセットされた状態で電源キーが押されたときは、ディスクの種類（ＤＶＤビデオＲＯＭ、ＤＶＤーＲＡＭ／ＤＶＤーＲＷ、ＤＶＤ−ＲあるいはＣＤ）を判別して表示する。そのディスクが再生不能ディスクである場合はその旨を表示する。
【０３７８】
＜３＞装置内部にセットされたディスクがファーストプレイプログラムチェーン（オートスタートコード）を含む場合に電源キーが押されると、このプログラムチェーンの再生が自動的に開始される。
【０３７９】
＜４＞電源オンかつトレイオープン状態で電源キーが押されたときは、トレイクローズ後に電源オフとなる。
【０３８０】
［オープン／クローズキー（ＯＰＥＮ／ＣＬＯＳＥ）５ｇの機能］
＜５＞ディスクトレイをオープンまたはクローズする。ディスク再生中にオープン／クローズキーが押されると、それまでの装置動作が終了し、ディスクトレイがオープンする。録画中はこのキー５ｇの操作は無効とされる。
【０３８１】
＜６＞電源オフかつトレイクローズ状態でオープン／クローズキーが押されると、電源がオンしディスクトレイがオープンする。
【０３８２】
＜７＞ディスクトレイオープン状態でオープン／クローズキーが押されると、ディスクトレイが装置本体に引き込まれる。このときトレイにディスクがセットされておれば、その管理情報が読み取られ、セットされたディスクの種類（ＤＶＤあるいはＣＤ等）が表示される。そのディスクが再生不能ディスクである場合はその旨が表示される。
【０３８３】
＜８＞ディスクトレイオープン状態でオープン／クローズキーが押されると、ディスクトレイが装置本体に引き込まれる。このときトレイにディスクがセットされていなければ、たとえば”ＮＯ  ＤＩＳＫ”という文字が操作キーパネル４の表示部またはモニタＴＶに表示される（オンスクリーンディスプレイＯＳＤ）。
【０３８４】
＜９＞オープン／クローズキーのオンにより装置本体に引き込まれたディスクがファーストプレイプログラムチェーン（オートスタートコード）を含む場合は、このプログラムチェーンの再生が自動的に開始される。
【０３８５】
［停止キー（ＳＴＯＰ）５ｅの機能］
＜１０＞ディスク再生中または録画中に押されると、再生または録画を停止させる。停止中に押されると、それまで再生または録画していたタイトル番号（あるいはデフォルト設定のタイトル番号）が表示される。
【０３８６】
［再生キー（ＰＬＡＹ）５ｃの機能］
＜１１＞ディスクトレイにディスクがセットされている状態で押されると、その時点での設定条件（デフォルト設定、またはユーザが設定した画面のアスペクト比、音声言語、字幕言語等）でディスクの再生が開始する。
【０３８７】
＜１２＞ディスクトレイオープン状態でディスクをトレイ上にセットしてから再生キーを押した場合は、トレイを装置本体に引き込み、ＤＶＤディスクに記録されているデフォルトタイトル（またはタイトル制作者が指定したタイトル）から再生を開始する。ただしディスクがファーストプレイプログラムチェーン（オートスタートコード）を含む場合は、それを実行する。
【０３８８】
＜１３＞ディスクの記録情報で特に指定していない限り、タイトルが終わるまで再生すると、再生動作は終了する。
【０３８９】
＜１４＞メモリ設定画面表示中において設定画面にチャプターおよびタイトル番号が設定されている状態で押されると、設定されたチャプターおよびタイトル番号の所からメモリ再生を開始する。
【０３９０】
＜１５＞ランダムモードが設定されているときに押されると、トレイにセットされているディスクの内容をランダム再生する。
【０３９１】
＜１６＞再生中にディスクのセル再生モードがＶＯＢＵスチルになった場合は、ＶＯＢＵの最後まで再生後、それまでの再生動作が解除され静止画再生状態となる。
【０３９２】
［一時停止キー（ＰＡＵＳＥ）５ｄの機能］
＜１７＞あるタイトル内のプログラムチェーン再生中に押されると、現再生中のプログラムチェーンのビデオフレームで静止画となる。この状態でさらに一時停止キーを押すと、次のフレームの静止画に切り替わる。以下同様に、一時停止キーを押す度に時間進行方向にフレームが切り替わり、このキーを押した回数分のコマ送りが行われる。
【０３９３】
＜１８＞上記静止画またはコマ送り再生中は、副映像は再生するが、音声は再生しないようにできる。
【０３９４】
＜１９＞この静止画／コマ送りは現再生中のプログラムチェーン内でのみ可能であり、タイトル内の最終フレームまでコマ送りされたあとは、このキー操作は無効となる。
【０３９５】
＜２０＞セル再生モードでＶＯＢＵスチルとなっている場合、スチルセルの最終セルでは、このキー操作は無効となる。
【０３９６】
＜２１＞このキー操作による静止画状態で再生キーを押すと、通常再生に戻る。
【０３９７】
［スキップキー（ＳＫＩＰ／右向き縦棒付２段三角マーク）５ｆの機能その１；１シーケンシャルプログラムチェーンタイトルの場合］
＜２２＞再生中に押されると、現再生中のタイトル内の次のチャプター（またはプログラム）をサーチしそれを再生する。次のチャプターがない場合は、このキー操作は無効となる。チャプターサーチ中は、操作キーパネル４の蛍光管表示部（またはＯＳＤ）のサーチ先チャプター番号を点滅させてサーチ中であることをユーザに通知できる。
【０３９８】
＜２３＞停止中に押すと現チャプターの次のチャプターが選択される。ここで再生キーをオンすると、選択されたチャプターがサーチされ再生される。
【０３９９】
なお、停止中では、２つのタイトルに跨ったチャプター（またはプログラム）のスキップができる。たとえばタイトル１の最終チャプター番号が表示されているとき、さらにこのスキップキーを押すと、タイトル２の初めのチャプター番号が選択される。ここで再生キーをオンすると、選択されたチャプター（タイトル２のチャプター１）がサーチされ再生される。
【０４００】
＜２４＞停止状態で所定時間以上押し続けられると、一定の速度でチャプター番号が１づつ繰り上がる（次のタイトルがあるときは現タイトルから次タイトルへ跨ったチャプター番号の連続変更を可能にできる）。押し続けているこのスキップキーを離したあと再生キーを押すと、そのときのタイトルのチャプターがサーチされ再生される。
【０４０１】
［スキップキー（ＳＫＩＰ／右向き縦棒付２段三角マーク）５ｆの機能その２；ランダムプログラムチェーンタイトルの場合］
＜２５＞再生中に押すと、現再生中のタイトル内のチャプターの次にランダム選択されたチャプター（またはプログラム）をサーチしそれを再生する。ただしランダム再生ループの回数が最後であってタイトル内に次のプログラムチェーンがない場合は、このキー操作は無効となる。
【０４０２】
＜２６＞静止画再生中に押された場合は、選択されたチャプター（またはプログラム）をサーチしその先頭で静止画再生となる。ただしセル再生モードでスチルとなっていた場合、選択されたチャプターをサーチしその先頭のスチルが再生される。
【０４０３】
＜２７＞メモリ設定画面で設定されているチャプター番号（プログラム番号）およびタイトル番号の選択（数字のインクリメントあるいはカーソルの前方移動等）に使用できる。
【０４０４】
＜２８＞メニューの頁送りに使用できる。
【０４０５】
［スキップキー（ＳＫＩＰ／左向き縦棒付２段三角マーク）５ｆの機能その１；１シーケンシャルプログラムチェーンタイトルの場合］
＜２９＞再生中に押されると、現再生中のチャプター（またはプログラム）の先頭をサーチしそれを再生する。さらに連続して押すとチャプター番号１までチャプター番号が１づつ繰り下がる。
【０４０６】
＜３０＞停止中に押すと現チャプターの１つ前のチャプターが選択される。
ここで再生キーをオンすると、選択されたチャプターがサーチされ再生される。
【０４０７】
なお、停止中では、２つのタイトルに跨ったチャプター（またはプログラム）のスキップができる。たとえばタイトル３のチャプター番号１が表示されているとき、さらにこのスキップキーを押すと、タイトル２の最後のチャプター番号Ｘが選択される。ここで再生キーをオンすると、選択されたチャプター（タイトル２のチャプターＸ）がサーチされ再生される。
【０４０８】
このタイトルを跨ったチャプター繰り下がりスキップは、タイトル１のチャプター１になるまで実行できる。
【０４０９】
＜３１＞停止状態で所定時間以上押し続けられると、一定の速度でチャプター番号が１づつ繰り下がる（タイトル１のチャプター１になるまで）。押し続けているこのスキップキーを離したあと再生キーを押すと、そのときのタイトルのチャプターがサーチされ再生される。
【０４１０】
［スキップキー（ＳＫＩＰ／左向き縦棒付２段三角マーク）５ｆの機能その２；ランダムプログラムチェーンタイトルの場合］
＜３２＞再生中に押すと、現再生中のタイトル内のチャプター（またはプログラム）の先頭をサーチしそれを再生する。ただし、連続して押してもサーチ先は現再生中のチャプター（プログラム）の先頭となるようにできる。
【０４１１】
＜３３＞静止画再生中に押された場合は、現再生中のチャプター（またはプログラム）の先頭サーチしそこで静止画再生となる。セル再生モードでスチルとなっていた場合、現再生中のチャプターをサーチしその先頭のスチルが再生される。
【０４１２】
＜３４＞メモリ設定画面で設定されているチャプター番号（プログラム番号）およびタイトル番号の選択（数字のデクリメントあるいはカーソルの後方移動等）に使用できる。
【０４１３】
＜３５＞メニューの頁戻しに使用できる。
【０４１４】
［メニューキー（ＭＥＮＵ）５ｎの機能］
＜３６＞ディスクがトレイにセットされている場合は、ディスクに記録されている現在選択中のビデオタイトルセット内のルートメニューを再生表示する。ディスクがセットされていない場合はエラー（または警告）表示を行なう（ＯＳＤ）。
【０４１５】
＜３７＞現在選択中のビデオタイトルセット内にルートメニューがない場合は、エラー（または警告）表示を行なう。
【０４１６】
＜３８＞通常再生中にこのメニューキーを押してメニューを再生した後メニュー操作によってメニューから抜け出すと、メニュー再生前に再生していた箇所またはメニューで指定された箇所から再生が再開される。
【０４１７】
＜３９＞ルートメニュー表示中に押した場合は、ルートメニュー表示前の状態に戻る。
【０４１８】
なお、ＤＶＤビデオＲＡＭの場合は、ユーザメニューが使用される。つまり、ルートメニューがディスクにないがユーザメニューがある場合は、メニューキーの操作により、ユーザメニューが使用される。
【０４１９】
［タイトルキー（ＴＩＴＬＥ）５ｐの機能］
＜４０＞ディスクがトレイにセットされており、かつディスクにタイトルメニューが記録されている場合は、タイトルメニューを表示する。ディスクがセットされていない場合は、エラー（または警告）表示を行なう（ＯＳＤ）。
【０４２０】
＜４１＞トレイにセットされたディスクにタイトルメニューが記録されてない場合は、ディスク再生中（あるいは停止中）に以下の動作ができる。
【０４２１】
すなわち、タイトルキーを押すと画面の一部（たとえば左上コーナー）にタイトル番号およびチャプター番号が表示される。後述するクリアキーが押されるかタイトルキーがもう一度押されるかその後のキー操作がないまま所定時間（たとえば３秒）が経過すると、画面からタイトル番号およびチャプター番号が消去される。
【０４２２】
画面にタイトル番号（たとえば「１」）およびチャプター番号（たとえば「１」）が表示されている状態でテンキーから所望のタイトル番号（たとえば「２」）が入力されると、上記の例でいえば、画面表示は「タイトル番号：２」および「チャプター番号：１」となる。この状態で再生キーを押すかあるいは所定時間（たとえば２秒）放置すると、タイトル２のチャプター１から再生が開始される。
【０４２３】
この場合、タイトルおよびチャプターのサーチ中は、操作キーパネル４の表示部のサーチ先タイトル番号およびチャプター番号を点滅させてサーチ中であることをユーザに通知できる。
【０４２４】
＜４２＞通常再生中にタイトルキーを押してタイトルメニュー再生になった後、タイトルの選択が確定しないうちに再びタイトルキーを押したときは、タイトルメニュー再生前に再生していた箇所から再生を再開する。
【０４２５】
［セレクトキー／カーソルキー（上向き・下向きの三角マーク対）５ｑの機能］＜４３＞ディスクメニュー（タイトルキーまたはメニューキーで呼び出すメニュー）内の項目選択、およびセットアップメニュー内の項目選択に使用する。たとえば上記セレクトキー／カーソルキーの上向きまたは下向き三角マークを押してある項目を選択した場合において、その項目がさらに幾つかの選択枝を含んでいるときに、その選択枝を選ぶのにこのセレクトキー／カーソルキーの左向きまたは右向き三角マークを使用できる。
【０４２６】
＜４４＞オーディオストリーム、副映像ストリーム、またはアングルのいずれかの設定値表示中に押す場合において、このセレクトキーの上向き三角マークを押すと次のストリームあるいはアングルに切り替わり、下向き三角マークを押すと１つ前のストリームあるいはアングルに切り替わる。
【０４２７】
＜４５＞キャラクタジェネレータによるタイトル番号表示中に押す場合において、このセレクトキーの上向き三角マークを押すと次のタイトルに切り替わり、下向き三角マークを押すと１つ前のスタイトルに切り替わる。
【０４２８】
［終了キー（ＥＮＤ）５ｅｎｄの機能］
＜４６＞ユーザ選択設定の処理の終了を装置に通知するとき（再生可能アングルの設定等の処理ループを抜けるとき）に使用する。
【０４２９】
マルチアングルの選択メニュー画面（図示せず）表示中に、所望のアングルを選択するカーソル操作には、前記セレクトキー／カーソルキー５ｑあるいは後述するテンキー５ｔを利用することができる。（図示はしないがマウス操作あるいはタッチパネル操作も実現可能。）
［確定キー（ＥＮＴＥＲ）５ｓの機能］
＜４７＞ディスクメニュー内あるいはセットアップメニュー内で選択された項目を確定するときに使用する。
【０４３０】
＜４８＞メモリ画面においてタイトル番号およびチャプター番号を確定するときにも使用できる。
【０４３１】
［リターンキー（ＲＥＴＵＲＮ）５ｒの機能］
＜４９＞タイトル制作者（ソフトウエアのプロバイダ）が予め設定したディスク上のアドレスへのサーチを行なうときに使用する。具体的には、メニューからの抜け出しあるいは再生開始（再開）点への戻り（リターン）動作を指示するときに押される。あるいは、マルチストーリの内の１つを再生している間にユーザ選択可能なマルチストーリの選択分岐点に戻る動作を指示するときにも使用できる。
【０４３２】
［オーディオキー（ＡＵＤＩＯ）５ａｕｄの機能その１；再生中の場合］
＜５０＞再生中にオーディオキーを押すと、（ディスクに収録されたオーディオストリーム情報を調べてから）キャラクタジェネレータを用いて、現再生中のオーディオストリームの言語名（オーディオストリームの種別が音楽等でなく言語であるとき）を再生画面上に所定時間（たとえば３秒）表示する（ＯＳＤ）。この表示中にさらにオーディオキーを押すと、次のオーディオストリーム番号の音声が再生されるようになる。このオーディオキー操作を繰り返すと、そのタイトルに記録されているオーディオストリームの音声（種々な言語）が順次サイクリックに再生される。
【０４３３】
＜５１＞オーディオストリーム設定値の画面表示中に前記セレクトキー／カーソルキー５ｑを押すことにより、現在設定されているオーディオストリームの次のオーディオストリームまたは１つ前のオーディオストリームに切り替えることができる。すると、切り替えられたオーディオストリームの内容が再生される。
【０４３４】
＜５２＞オーディオストリーム設定値の画面表示中にテンキーを押すと、テンキー入力した番号のオーディオストリームに切り替えることができる。すると、切り替えられたオーディオストリームの内容が再生される。
【０４３５】
＜５３＞オーディオストリーム設定値の画面表示中にクリアキーを押すと、オーディオストリームの設定値表示を画面から消去することができる。
【０４３６】
［オーディオキー（ＡＵＤＩＯ）５ａｕｄの機能その２；停止中（ブルーバック画面表示中）の場合］
＜５４＞停止中にオーディオキーを押すと、（ディスクに収録されたオーディオストリーム情報を調べてから）キャラクタジェネレータを用いて、現在選択されているタイトルに設定されているオーディオストリームの言語名（オーディオストリームの種別が言語のとき）をブルーバック画面上に所定時間（たとえば３秒）表示する。この表示中にさらにオーディオキーを押すと、次のオーディオストリーム番号が設定される。このオーディオキー操作を繰り返すと、そのタイトルに記録されているオーディオストリーム音声が順次サイクリックに設定・表示される。
【０４３７】
＜５５＞オーディオストリーム設定値のブルーバック画面表示中に前記セレクトキー／カーソルキー５ｑを押すと、現在設定されているオーディオストリームの次のオーディオストリームまたは１つ前のオーディオストリームに切り替わる。
【０４３８】
＜５６＞オーディオストリーム設定値のブルーバック画面表示中にテンキーを押すと、テンキー入力した番号のオーディオストリームに切り替わる。
【０４３９】
＜５７＞オーディオストリーム設定値のブルーバック画面表示中にクリアキーを押すと、オーディオストリームの設定値表示が画面から消去される。
【０４４０】
［サブタイトルキー（ＳＵＢＴＩＴＬＥ）５ｓｂｔの機能その１；再生中の場合］
＜５８＞再生中に押すと、（ディスクに収録された副映像ストリーム情報を調べてから）キャラクタジェネレータを用いて、現再生中の副映像ストリームの言語名（副映像ストリームの種別が言語の場合）を再生画面上に所定時間（たとえば３秒）表示する（ＯＳＤ）。この表示中にさらにサブタイトルキーを押すと、次のストリーム番号の副映像が再生されるようになる。このサブタイトルキー操作を繰り返すと、そのタイトルに記録されている副映像ストリームが順次サイクリックに再生される。
【０４４１】
＜５９＞副映像ストリーム設定値の画面表示中に前記セレクトキー／カーソルキー５ｑを押すことにより、現在設定されている副映像ストリームの次の副映像ストリームまたは１つ前の副映像ストリームに切り替えることができる。すると、切り替えられた副映像ストリームの内容が再生される。
【０４４２】
＜６０＞副映像ストリーム設定値の画面表示中にテンキーを押すと、テンキー入力した番号の副映像ストリームに切り替えることができる。すると、切り替えられた副映像ストリームの内容が再生される。
【０４４３】
＜６１＞副映像ストリーム設定値の画面表示中にクリアキーを押すと、副映像ストリームの設定値表示を画面から消去することができる。
【０４４４】
［サブタイトルキー（ＳＵＢＴＩＴＬＥ）５ｓｂｔの機能その２；停止中（ブルーバック画面表示中）の場合］
＜６２＞停止中にサブタイトルキーを押すと、（ディスクに収録された副映像ストリーム情報を調べてから）キャラクタジェネレータを用いて、現在選択されているタイトルに設定されている副映像ストリームの言語名（副映像ストリームの種別が言語のとき）をブルーバック画面上に所定時間（たとえば３秒）表示する。この表示中にさらにサブタイトルキーを押すと、次の副映像ストリーム番号が設定される。このサブタイトルキー操作を繰り返すと、そのタイトルに記録されている副映像ストリーム音声が順次サイクリックに設定・表示される。
【０４４５】
＜６３＞副映像ストリーム設定値のブルーバック画面表示中に前記セレクトキー／カーソルキー５ｑを押すと、現在設定されている副映像ストリームの次の副映像ストリームまたは１つ前の副映像ストリームに切り替わる。
【０４４６】
＜６４＞副映像ストリーム設定値のブルーバック画面表示中にテンキーを押すと、テンキー入力した番号の副映像ストリームに切り替わる。
【０４４７】
＜６５＞副映像ストリーム設定値のブルーバック画面表示中にクリアキーを押すと、副映像ストリームの設定値表示が画面から消去される。
【０４４８】
［サブタイトルオン・オフキー（ＳＵＢＴＩＴＬＥ  ＯＮ／ＯＦＦ）５ｖの機能］
＜６６＞副映像（サブタイトル）の表示をオン・オフする。
【０４４９】
＜６７＞ビデオ再生中かつ副映像表示中（副映像表示オン設定状態）にサブタイトルオン・オフキーを押すと、副映像ストリーム番号設定値がオフされるとともに、その設定値がキャラクタジェネレータで所定時間（たとえば３秒）表示（ＯＳＤ）されたあと、副映像が画面から消去される。
【０４５０】
＜６８＞ビデオ再生中だが副映像が表示されていないとき（副映像表示オフ設定状態）にサブタイトルオン・オフキーを押すと、副映像ストリーム番号設定値がオンされるとともに、その設定値がキャラクタジェネレータで所定時間（たとえば３秒）表示されたあと、オンされた設定ストリーム番号の言語の副映像が再生される（再生中のディスクに副映像が記録されている場合）。
【０４５１】
＜６９＞ビデオ再生停止中にサブタイトルオン・オフキーを押したときは、副映像表示のオン・オフ設定のみ実行できる。
【０４５２】
＜７０＞副映像表示オフ設定状態において、再生しているオーディオストリームと同一言語コードの副映像ストリームに強制出画コマンドが含まれていたときは、このコマンドに対応する副映像を必ず再生し画面に出画させる。
【０４５３】
［アングルキー（ＡＮＧＬＥ）５ａｎｇの機能］
＜７１＞マルチアングル情報で構成されるアングルブロックを持つタイトルが選択されており、このアングルブロック（アングル区間）が再生されているときに押すと、現再生中のアングル番号がキャラクタジェネレータにより所定時間（たとえば５秒）表示される（ＯＳＤ）。このアングル番号表示期間中にもう一度アングルキーを押すと、次のアングル番号のセルの同一時刻地点がサーチされそこから再生が開始される。
【０４５４】
たとえば、あるバッターのホームランシーンがマルチアングルブロックのアングル番号１（センター側からピッチャーの背中を見るカメラアングル）で再生されており、そのアングルブロックセルの再生開始時刻から５秒後にバットがボールにミートし、さらに３秒後に打球がライトスタンドに突き刺さるとする。このホームランシーンを別のカメラアングルで見たいと思ったユーザがアングルキーを押してアングル番号２を押すと、そのアングルブロックセルの再生開始時刻地点がサーチされ、そこからアングル２（たとえば１塁内野スタンド側からグランド全体を見るカメラアングル）でのホームランシーンの再生が再開されるようになる。
【０４５５】
上記アングル番号表示期間中にさらにアングルキーを押すと、記録されているアングル番号が順次サイクリックに切り替わり、選択後のアングルの再生が再開される。
【０４５６】
＜７２＞キャラクタジェネレータでアングル番号が画面表示されているときは、テンキー操作により所望のアングル番号をダイレクトに選択することもできる（再生中のアングルブロックに存在しないアングル番号がテンキー入力されたときは、そのキー入力は無効）。あるいは、前記セレクトキー／カーソルキー５ｑによりアングル番号を昇降させることもできる。
【０４５７】
＜７３＞マルチアングルブロックのセル内で静止画再生中にアングル切り替えが行われたときも、同様な再生時点サーチが行われ、サーチされた別アングルの静止画が再生される。
【０４５８】
たとえば、ある自動車の静止画がアングル番号１（正面から見るカメラアングル）で再生されていたとする。この自動車を別のカメラアングルで見たいと思ったユーザがアングルキーを押してアングル番号２を押すと、アングル番号２のアングルブロックセルの再生開始時刻地点がサーチされ、そこからアングル２（たとえば右側面から見るカメラアングル）での静止画が再生される。
【０４５９】
上記アングル番号表示期間中にさらにアングルキーを押すと、記録されているアングル番号が順次サイクリックに切り替わり、選択後のアングルの静止画が再生される。
【０４６０】
＜７４＞マルチアングルブロック以外のセル再生中にアングルキー操作をおこなってもアングル設定（アングル番号切替）は受け付けないようにできる。アングル設定（アングル番号切替）は再生中のタイトルにマルチアングルブロックセルが存在する場合に限り受け付ける。
【０４６１】
＜７５＞選択されたタイトルにマルチアングルブロックセルが存在する場合は、停止中であっても、アングル設定（アングル番号切替）を受け付けるようにできる。
【０４６２】
［早送り（ＦＷＤ）キー／早戻し（ＲＥＶ）キー（左向き・右向きの二重三角マーク）５ｊの機能］
＜７６＞動画再生中または静止画再生中に早送りキーまたは早戻しキー押すと、通常再生時より早く（たとえば通常再生時の約２倍）早送りまたは早戻し再生が行われる。（動画では動きが倍速になり、静止画ではそのコマ送り的な切替周期が半分に短縮される。）さらに押し続けると、通常再生時よりさらに早く（たとえば通常再生時の約８倍）早送りまたは早戻し再生が行われる。（動画では動きが８倍速になり、静止画ではそのコマ送り的な表示切替周期が１／８に短縮される。）
なお、早送り・早戻しの場合の主映像ビデオの再生表示において、２倍速ではＭＰＥＧのＩピクチャ＋Ｐピクチャを再生し、それ以上の多倍速ではＩピクチャを再生するように構成できる。
【０４６３】
その際、音声再生については、次のようにすることができる。すなわち、２倍速再生の場合では、音声データを通常再生の倍のクロックでデコードして、２倍速の音声データをデコードする。また多倍速の場合は、（あるＩピクチャから次のＩピクチャまで）ジャンプした先の音声データを、通常再生で部分的に再生することにより、多倍速時の音声デコードを行なう。
【０４６４】
＜７７＞再生キーを押すと、早送り再生または早戻し再生は解除され、通常速度の再生に戻る。
【０４６５】
＜７８＞上記早送りキーまたは早戻しキーによる早送りまたは早戻し再生は、そのキー操作をした時点で再生中のプログラムチェーン内でのみ行われる。そのプログラムチェーンの最後まで早送りされ、あるいはそのプログラムチェーンの先頭まで早戻しがなされた後は、そこで一時停止状態となる。
【０４６６】
＜７９＞上記早送りキーまたは早戻しキーによる早送りまたは早戻し再生中は、音声（オーディオストリーム）およびサブタイトル（副映像ストリーム）の再生は自動的に禁止できる。
【０４６７】
なお、音声については再生ピッチを早送り速度に対応して変更しながら再生するようにしてもよい。動画がたとえばマラソン競技の記録映画であり、サブタイトルが競技スタートからの時間経過の表示に使われているときは、早送りまたは早戻し再生時にサブタイトルを再生するようにしてもよい。
【０４６８】
＜８０＞上記早送りキーまたは早戻しキーによる早送りまたは早戻し再生中にセル再生モードがＶＯＢＵスチルになった場合は、早送りまたは早戻し動作は解除され、静止画再生に入る。
【０４６９】
上記「セル再生モードがＶＯＢＵスチルになった場合」とはビデオオブジェクトユニット単位のスチル（ＶＯＢＵスチル）のことなので、上記早送りキー（または早戻しキー）が押されると、次の（または前の）ＶＯＢＵを再生しそのＶＯＢＵの再生が終了したらスチルとなる。ただし、ＶＯＢＵ再生中にさらに上記早送りキー（または早戻しキー）が押されると、そのＶＯＢＵが早送り（または早戻し）され、その後ＶＯＢＵスチルとなって停止する。
【０４７０】
［表示キー（ＤＩＳＰＬＡＹ）５ｕの機能］
＜８１＞停止中あるいは再生中においてこのキーを押すと、そのときの各種キー操作内容に対応した表示が（装置本体の操作キーパネル４の表示部および／またはＴＶモニタ６の画面上で）行われる。
【０４７１】
［テンキー（［０］〜［９］＆［＋１０］）５ｔの機能］
＜８２＞通常再生中においては、現再生タイトル内のチャプター番号の指定に使用できる。テンキー入力確定（前記確定キー操作）と同時に指定された番号のチャプターへのサーチ動作に入る（このサーチは後述するタイトル番号キーＴによっても可能とすることができる）。存在しないチャプター番号は受け付けない。
【０４７２】
＜８３＞停止中においては、選択されているタイトル内のチャプター番号の指定に使用できる。テンキー入力確定と同時に指定された番号のチャプターへのサーチ動作に入る（このサーチはタイトル番号キーＴによっても可能）。存在しないチャプター番号は受け付けない。
【０４７３】
＜８４＞マルチアングルブロックを含んだタイトルを再生中（アングルセル再生中）であって、かつアングル番号表示中のときは、テンキー入力されたアングル番号がダイレクトに選択される。ただし存在しないアングル番号の入力は受け付けない。
【０４７４】
＜８５＞ディスクメニュー表示中において、各ディスクメニュー画面中の項目に番号が付されている場合はテンキー入力した番号に対応した項目が選択され実行される。ただし存在しない項目番号の入力は受け付けない。
【０４７５】
＜８６＞セットアップメニューからパレンタルロックの設定を行なう場合において、暗証番号の入力にテンキーを使用できる。
【０４７６】
［クリアキー（ＣＬＥＡＲ）５ｃｒの機能］
＜８７＞タイトル番号あるいはチャプター番号のキー入力の取り消しに使用される。
【０４７７】
＜８８＞パレンタルレベル変更のための暗証番号入力の取り消しに使用される。
【０４７８】
＜８９＞後述するリピートモードの解除に使用される。
【０４７９】
＜９０＞後述するメモリ設定画面操作時の入力番号の取り消しに使用される。
【０４８０】
＜９１＞後述するメモリ再生モードの解除に使用される。
【０４８１】
＜９２＞後述するランダム再生モードの解除に使用される。
【０４８２】
＜９３＞タイトル、音声（オーディオストリーム）、サブタイトル（副映像ストリーム）、アングルそれぞれの番号表示の取り消しに使用される。
【０４８３】
［リピートキー（ＲＥＰＥＡＴ）５ｋの機能］
＜９４＞チャプターまたはタイトルのリピート設定に用いる（ただし１シーケンシャルプログラムチェーンのタイトルのみ）。
【０４８４】
＜９５＞このキーを押す毎に、「チャプターリピート」→「タイトルリピート」→「リピートオフ」→「チャプターリピート」といったように、リピートモードが順次サイクリックに切り替えられる。
【０４８５】
＜９６＞後述するＡ−Ｂリピート動作中にリピートキーを押すと、Ａ−Ｂリピート動作を解除し、チャプターリピートに移るようにできる。
【０４８６】
＜９７＞早送りキー、早戻しキー、あるいはスキップキーの操作によりリピート区間を外れると、リピート動作は解除される。
【０４８７】
＜９８＞リピート区間内にマルチアングルブロックがある場合、アングルチェンジは可能とする（リピートモード内でも前記アングルキーが機能する）。
【０４８８】
［Ａ−Ｂリピートキー（Ａ−Ｂ  ＲＥＰＥＡＴ）５ｋの機能］
＜９９＞２点間リピート動作の始点と終点を設定するのに用いる（ただし１シーケンシャルプログラムチェーンのタイトルのみ）。
【０４８９】
＜１００＞１回目にこのキーを押すことで始点（Ａ）が設定され、２回目に押すことで終点（Ｂ）が設定される。終点の設定完了と同時に設定された始点がサーチされ、以降ＡーＢ間が繰り返し再生される。
【０４９０】
＜１０１＞Ａ−Ｂ間リピートは前記クリアキー操作で解除できる。
【０４９１】
＜１０２＞Ａ−Ｂ間リピート動作中にＡ−Ｂ間以外のタイトルまたはチャプターの再生に変更されたとき、または前記リピートキーが押されたときに、Ａ−Ｂ間リピートが解除されるようにできる。
【０４９２】
＜１０３＞早送りキー、早戻しキー、あるいはスキップキーの操作によりＡ−Ｂリピート区間を外れると、Ａ−Ｂ間リピート動作は解除される。
【０４９３】
＜１０４＞リピート終点（Ｂ）の設定前にクリアキー、早送りキー、早戻しキー、あるいはスキップキーを押すことにより、Ａ−Ｂ間リピート動作を解除することができる。
【０４９４】
＜１０５＞Ａ−Ｂ間リピート再生中に終点（Ｂ）に達する前にタイトルが終了した場合は、Ａ−Ｂ間リピート動作は解除される。
【０４９５】
＜１０６＞マルチアングルブロック区間内では、Ａ−Ｂ間リピートの始点（Ａ）の設定を無効とすることができる。（マルチアングルブロック区間の先頭をＡ−Ｂ間リピートの始点とすることはできる。たとえばあるマルチアングルブロックのアングル番号１のカメラアングルシーンを、その案ブルブロック内においてＡ−Ｂ間リピートさせることはできる。）
＜１０７＞Ａ−Ｂ間リピート再生中にマルチアングルブロックが来た場合は、Ａ−Ｂ間リピート動作を解除できる。
【０４９６】
＜１０８＞Ａ−Ｂ間リピートキーにより設定された始点（Ａ）および終点（Ｂ）は、設定直後の対応する画像データ（グループオブピクチャー）の先頭（スタートアドレス）を指すようになる。
【０４９７】
［メモリキー（ＭＥＭＯＲＹ）５ｍの機能］
＜１０９＞トレイが閉じられていてディスクがセットされている場合にこのキーを押すと、メモリ設定画面が表示される（ＯＳＤ）。メモリ設定画面表示中にこのキーを押した場合は、メモリ設定画面表示前の状態に戻る。
【０４９８】
＜１１０＞メモリ設定方法は、メモリ設定画面表示中にメモリ再生させたいタイトルおよびチャプターの番号を前記テンキーおよび後述するタイトル番号（Ｔ）キーにより順次入力して行くことにより行なう。
【０４９９】
＜１１１＞前記セレクトキー／カーソルキーで表示画面中のカーソルを移動させ、カーソル位置のメモリ番号で上記メモリ設定入力を行なうと、そのメモリ番号以降のメモリ番号で設定されていたタイトル・チャプター番号は、１つづつ後ろのメモリ番号にずれる。
【０５００】
たとえば、メモリ番号１およびメモリ番号２で既に「タイトル１・チャプター３」および「タイトル２・チャプター１」が設定されており、メモリ番号３以降は設定無しであったとする。ここでメモリ番号１にカーソルを合わせ、「タイトル２・チャプター５」を設定したとすると、それまでメモリ番号１およびメモリ番号２に設定されていた内容はメモリ番号２およびメモリ番号３にシフトする。その結果、メモリ番号１、２および３の設定内容は、それぞれ、「タイトル２・チャプター５」、「タイトル１・チャプター３」および「タイトル２・チャプター１」となる。
【０５０１】
＜１１２＞前記セレクトキー／カーソルキーで表示画面中のカーソルを移動させ、カーソル位置のメモリ番号で前記クリアキー操作を行なうと、そのメモリ番号で設定されていた内容はクリアされ、そのメモリ番号以降のメモリ番号で設定されていた内容が１つ前のメモリ番号に繰り上がる。
【０５０２】
たとえば、メモリ番号１、メモリ番号２およびメモリ番号３に、それぞれ、「タイトル２・チャプター５」、「タイトル１・チャプター３」および「タイトル２・チャプター１」が設定されており、メモリ番号４以降は設定無しであったとする。ここでメモリ番号２にカーソルを合わせ、クリアキー操作を行なうと、それまでメモリ番号２に設定されていた内容「タイトル１・チャプター３」がクリアされ、それまでメモリ番号３に設定されていた内容がメモリ番号２にシフトし、それまでメモリ番号４に設定されていた内容（無設定）がメモリ番号３にシフトする。その結果、メモリ番号１、２および３の設定内容は、それぞれ、「タイトル２・チャプター５」、「タイトル２・チャプター１」および「無設定」となる。
【０５０３】
なお、メモリ設定の数（メモリ番号の上限）に制限を付ける必然性は必ずしも無いが、実際のソフトウエアにおける必要性および装置側の物理的なメモリ容量の問題から、メモリ設定の最大数は、たとえば３０程度に選ばれる。（１枚のディスクに９９タイトル記録されているとしても、一般ユーザの立場からいえば、メモリ設定の最大数は必ずしも９９必要とするわけではない。一方業務用の装置では９９のタイトルそれぞれの中の複数チャプターにメモリ設定する要求が出る可能性があり、その場合はメモリ設定の最大数を９９以上にしてもよい。）
＜１１３＞メモリ設定画面表示中に前記再生キーを押すと、メモリ設定登録した順番でメモリ再生が開始される。
【０５０４】
たとえば、メモリ番号１、メモリ番号２およびメモリ番号３に、それぞれ、「タイトル２・チャプター５」、「タイトル１・チャプター３」および「タイトル２・チャプター１」が設定されており、メモリ番号４以降は無設定であり、その状態でメモリ設定画面表示中に再生キーが押されると、メモリ再生は次のように行われる。すなわち、最初に「タイトル２・チャプター５」が再生され、次に「タイトル１・チャプター３」が再生され、最後に「タイトル２・チャプター１」が再生される。「タイトル２・チャプター１」の再生が終了すると、再生は停止する。
【０５０５】
＜１１４＞メモリ再生中に前記クリアキーを押すことによりメモリ再生モードを解除してそのまま通常再生に移行させることができる。
【０５０６】
＜１１５＞メモリ設定画面で設定した内容は以下の方法によりクリアすることができる。
【０５０７】
（イ）メモリ設定画面表示中に、設定されているタイトル番号・チャプター番号の全てをクリアキーにより消去する。
【０５０８】
（ロ）トレイを開けてディスクを装置外に排出した場合。（ただし、業務用装置では、装置内部に不揮発性内部メモリを設け、ディスクを排出しても、メモリ設定を、そのディスクを特定するコードとともに保存しておくようにしてもよい。）
［ランダムキー（ＲＡＮＤＯＭ）５ｒｍの機能］
＜１１６＞選択されているタイトルが１シーケンシャルプログラムチェーンである場合、そのタイトル内でのチャプターのランダム再生を行なう。
【０５０９】
＜１１７＞再生中にこのキーを押すと、現在再生しているチャプターの次のチャプターからランダム再生に入る。（たとえばチャプター１〜９を含むタイトルのチャプター２を再生中にランダムキーが押されると、チャプター３の再生に入るときにランダム再生となり、たとえばチャプター５、３、７、１、９のようにランダムに各チャプターが再生される。
【０５１０】
＜１１８＞停止中にこのキーを押すと、次に前記再生キーを押してディスク再生を始めたときからランダム再生に入る。
【０５１１】
＜１１９＞選択されているタイトル内の全てのチャプターのランダム再生が終了した後は、再生停止となる。このランダム再生中において、通常は同じチャプター番号の重複再生は行わず、あくまで再生順序をランダム化するだけとする。しかし、重複再生を含むランダム再生を可能としてもよいし、電源がオフされあるいは停止キーが押されない限りランダム再生を無限ループで繰り返すようにしてもよい。
【０５１２】
＜１２０＞ランダム再生中に前記クリアキーを押すことによりメモリ再生モードを解除してそのまま通常再生に移行させることができる。
【０５１３】
＜１２１＞ランダム再生中にランダムキーを押すとランダム再生モードが解除される。
【０５１４】
［スローキー（ＳＬＯＷ）５ｓｗの機能］
＜１２２＞再生中にスローキーを押すと、正方向にたとえば１／２スピードのスロー再生となり、同時にキャラクタジェネレータを用いて再生中のビデオ映像上に「１／２」またはこれに対応する数字・記号等を表示する。
【０５１５】
＜１２３＞続いてこのキーを押すと、正方向にたとえば１／８スピードのスロー再生となる。さらに押すと、１／１６→１／８→１／２→１／８→１／１６…のように周期的にスロー再生速度が切り換えられ、再生中のビデオ映像上のスロー表示も対応して変化する。
【０５１６】
＜１２４＞再生動作が一時停止中（前記一時停止キー操作による）にスローキーが押されると、たとえば１／１６スロースピード再生となる。その後のスローキーの効き方は上記と同じ。
【０５１７】
＜１２５＞スロー再生中に前記再生キーを押すと、通常再生に移る。
【０５１８】
＜１２６＞スロー再生中にタイトル変更が行われたときは、スロー再生モードは解除され、通常再生に移る。
【０５１９】
＜１２７＞セル再生モードでＶＯＢＵスチル再生中はスローキー操作は無効とする。
【０５２０】
＜１２８＞スロー再生中は、通常は音声を再生しないが、再生速度に応じてオーディオデータのピッチを変更して再生してもよい。
【０５２１】
［ラストプレイキー（ＬＡＳＴ  ＰＬＡＹ）５ｔｐの機能］
＜１２９＞ディスク再生中に前記停止キーまたは電源キーのオフにより（停電を含む）再生が中断されたあとこのラストプレイキーを押すと、中断した位置または中断位置より少し前の位置から再生を開始する。
【０５２２】
＜１３０＞停止後ディスクトレイをオープンした場合は再生中断位置のメモリをクリアしてラストプレイキーを無効にできる。再生中断位置のメモリをクリアせず装置内のメモリに保存しておけば、ディスクをトレイから出し入れした後でも、ラストプレイキーを押すことにより中断した位置または中断位置より少し前の位置から再生が再開されるようにできる。
【０５２３】
＜１３１＞そのディスクにファーストプレイプログラムチェーン（オートスタート）が存在する場合において、電源オフにより再生が中断されたときは、このラストプレイキーは無効とする。（つまり、ファーストプレイプログラムチェーンから再生が始まる。
【０５２４】
＜１３２＞ランダムプログラムチェーンの再生中に再生中断した場合は、ランダム再生のループ回数を装置内部で記憶してあれば、ラストプレイキーを押すことにより中断した位置または中断位置より少し前の位置から再生が再開されるようにできる。
【０５２５】
［セットアップキー（ＳＥＴＵＰ）５ｙの機能］
＜１３３＞装置の各種設定（画面サイズ／アスペクト比の設定、アングルマークの設定、パレンタルロックの設定、所望の音声言語種類の設定、所望の字幕言語種類の設定、所望のメニュー言語種類の設定、オートアングルモードの設定など）を行なうためのセットアップメニューを呼び出すキーで、再生停止中のみ有効とする。
【０５２６】
＜１３４＞セットアップメニュー表示中にこのセットアップキーを押すと、セットアップメニューの表示がオフされ、再生停止状態（ブルーバック画面）となる。
【０５２７】
［タイトル番号キー（Ｔ）５ｔｔの機能］
＜１３５＞サーチ動作あるいはメモリ再生動作を行なうためのタイトル番号・チャプター番号の指定時において、このキーを押す前にテンキー入力された数字がタイトル番号として設定され、このキーを押した後にテンキー入力された数字がチャプター番号として設定される。
【０５２８】
＜１３６＞前記ランダムキーを押す前にこのタイトル番号キーを押すと、チャプターのランダム再生ではなくタイトルのランダム再生となる。たとえばトレイにセットされたディスクにタイトル１、２、３、４、５が記録されており、タイトル番号キーをおしてからランダムキーを押すと（停止中ならさらに再生キーを押すと）、たとえばタイトル２、５、１、４、３の順でタイトル単位のランダム再生が開始される。
【０５２９】
［リモートコントローラ切替キー５ｘの機能］
＜１３７＞図７８のリモートコントローラ５を図７６のＤＶＤビデオレコーダ以外の機器（たとえばＡＶテレビジョンやＶＣＲ）の操作用に切り替える場合に用いられる。あるいは、１台のＤＶＤビデオプレーヤと１台のＤＶＤビデオレコーダが同時に設置されている場合において、１つのリモートコントローラ５でもってＤＶＤビデオプレーヤおよびＤＶＤビデオレコーダを個別に操作する場合に、その操作切替のためにリモートコントローラ切替キー５ｘ用いることができる。
【０５３０】
以上説明したキーの機能はＤＶＤビデオプレーヤ（再生専用機）と共通の機能であるが、ＤＶＤビデオレコーダ用のリモートコントローラ５は、さらに以下の機能を持つキーを備えている。
【０５３１】
［録画モードキー５ｒｍｄの機能］
＜１３８＞録画停止中、または録画ポーズ中にこのキーが押されると、１度押される度に、ＭＰＥＧ２／８Ｍｂｐｓ→ＭＰＥＧ２／６Ｍｂｐｓ→ＭＰＥＧ２／４Ｍｂｐｓ→ＭＰＥＧ２／２Ｍｂｐｓ→ＭＰＥＧ１／２Ｍｂｐｓ→ＭＰＥＧ１／１Ｍｂｐｓ→自動画質モード→ＭＰＥＧ２／８Ｍｂｐｓ→………、のように、録画モードがサイクリックに切り替わる。
【０５３２】
ＮＴＳＣの放送スタジオ並のクォリテイが希望なら、録画時間は短くなるが、ＭＰＥＧ２／８Ｍｂｐｓを選択する。もう少し録画時間を延ばしてＳ−ＶＨＳビデオの標準モード以上の画質を得たいときは、ＭＰＥＧ２／６ＭｂｐｓまたはＭＰＥＧ２／４Ｍｂｐｓを選択する。さらに録画時間を延ばしてＳ−ＶＨＳビデオの３倍モード以上の画質を得たいときは、ＭＰＥＧ２／２Ｍｂｐｓを選択する。通常ＶＨＳ（またはビデオＣＤ）程度の画質で良いならば、ＭＰＥＧ１／２ＭｂｐｓまたはＭＰＥＧ１／１Ｍｂｐｓを選択すれば、さらに録画時間を延ばすことができる。
【０５３３】
［録画キー５ｒｅｃの機能］
＜１３９＞装置本体にセットされたＤＶＤ−ＲＷディスク（またはＤＶＤ−Ｒディスク）１０に空き容量があり、かつ録画のための初期設定（ＭＰＥＧ２／ＭＰＥＧ１の区別、記録の平均ビットレートの設定等）が済んでいるときに押されると、録画を開始する。
【０５３４】
なお、ユーザがこの初期設定を行わないで録画キーを押したときは、この初期設定としてデフォルト設定が自動的に採用され、録画が開始される。
【０５３５】
［表示モードキー５ｄｍの機能］
＜１４０＞録画可能なＤＶＤ−ＲＷディスク（またはＤＶＤ−Ｒディスク）１０が装置本体にセットされた状態でこのキーが押されると、１度押される度に、以下の内容でＯＳＤ表示（または装置本体の操作キーパネル４の表示）が切り替わる：
（１）録画ソース（ＴＶチャネル番号またはＡＶ入力の番号）＋現在の日時；
（２）現在のタイトルセット番号、録画済時間、記録可能な残り時間＋その時の平均記録レート；
（３）表示オフ
なお、上記（１）と（２）は、同時に表示されても良い。
【０５３６】
［ＯＳＤキー５ｏｓｄの機能］
＜１４１＞図７６のＭＰＵ５０がＯＳＤ表示するための文字（または画像）データを出力しているときにこのキーを押すと、ユーザが希望しないＯＳＤ表示がモニタスクリーンから消去される。もう一度このキーを押すと、ＭＰＵ５０が出力しているＯＳＤデータがモニタスクリーンに表示される。
【０５３７】
［タイマキー５ｔｍｅの機能］
＜１４２＞このキーが押されると、図７６のＭＰＵ５０は、タイマ予約のメニュー（録画希望チャネル、録画予約日時、録画モード、平均記録レート等を予約番組毎に指定する表を含む）を、図示しないモニタのスクリーンに出力させる（ＯＳＤ）。このメニュー中での番組予約設定は、カーソルキー５ｑ、テンキー５ｔ、エンターキー５ｓ等を利用して、行なうことができる。
【０５３８】
＜１４３＞タイマ予約の操作がなされたあと、録画可能なＤＶＤ−ＲＷディスク（またはＤＶＤ−Ｒディスク）１０が装置本体にセットされた状態でこのタイマキー５ｔｍｅと録画キー５ｒｅｃとが同時に押されると、予約録画モード（タイマ録画スタンバイ状態）に入る。
【０５３９】
［メニュー編集キー５ｅｄｔの機能］
＜１４４＞このキーが押されると、図７６のＭＰＵ５０は、ユーザメニュー編集モードに入る。
【０５４０】
図７９は、図７６の再生装置で通常の再生が行われている場合において、図７８のリモートコントローラ５のうちユーザ操作可能なキーのみが点灯表示される例を示す。この例では、再生キー（ＰＬＡＹ）、一時停止キー（ＰＡＵＳＥ）、停止キー（ＳＴＯＰ）、早送りキー（ＦＦ）、早戻しキー（ＲＥＷ）、チャプタスキップキー（ＳＫＩＰ）、タイトルキー（ＴＩＴＬＥ）、メニューキー（ＭＥＮＵ）およびオンスクリーン・オンオフキー（ＯＳＤ）のバックライト（図７７のＬＥＤ）だけが点灯し、これらのキーだけが目立って見えるようになっている。この場合、ユーザは、その時点で操作できるキーがバックライトで目立っているキーだけであることを知ることができる。このため、キーを押しても反応しない（またはそのキー操作ができない旨の操作禁止表示が出る）キーをユーザが暗中模索でむやみに試し押しすることがなくなる。
【０５４１】
図８０は、図７６の再生装置でメニュー操作が行われている場合において、図７８のリモートコントローラのうちユーザ操作可能なキーのみが点灯表示される例を説明する図である。
【０５４２】
たとえば図７９の操作可能キーのうちメニューキーＭＥＮＵがオンされると、リモートコントローラ５のＭＰＵ５Ｂは再生装置本体のＭＰＵ５０にメニューにエンターするユーザ指令を送る。すると、ＭＰＵ５０は装置動作状態をメニュー選択モードに設定するとともに、ディスク１０からそのときのユーザ操作制御情報（図７５のＵＯＰ）取り出し、ユーザ操作が禁止されていないキーを判定する。この判定結果はリモートコントローラ５のＭＰＵ５Ｂに転送される。すると、ＭＰＵ５Ｂは、そのときにユーザ操作可能なキーを決定し、対応するバックライトのＬＥＤを点灯させる信号を発生する。その結果、図８０に例示するように、メニュー操作に関連したキー、すなわちセレクトキー／カーソルキー（または十字キー）、エンターキー（ＥＮＴＥＲ）およびリターンキー（ＲＥＴＵＲＮ）だけが目立って見えるようにバックライトＬＥＤで照明される。
【０５４３】
図８１は、図７６の再生装置において、ユーザ操作可能なキー以外がゴースト表示されたリモートコントローラ５のアイコンがモニタ画面に表示される例を説明する図である。
【０５４４】
図８１の（ａ）では、現在再生中のビデオ画面上に、その時点でユーザ操作可能なキーだけが目立っているリモートコントローラ・アイコンがＯＳＤ表示されている。
【０５４５】
また、図８１の（ｂ）では、現在再生中のビデオの表示ウインドウの他に、その時点でユーザ操作可能なキーだけが目立っているリモートコントローラ・アイコンがＯＳＤ表示されるとともに、その時点でユーザ操作可能なキーだけが出画された再生装置本体の操作パネル・アイコンもＯＳＤ表示されている。
【０５４６】
図８２は、図７６の再生装置（ＤＶＤプレーヤ）に光ディスク１０がセットされてからその再生処理に入るまでの動作例を説明するフローチャートである。
【０５４７】
図７６のディスクドライブ３０に光ディスク１０がセットされると（ステップＳＴ１０）、ＭＰＵ５０は、リードインエリア２７の情報を読み込み（ステップＳＴ１２）、ディスク１０のボリューム情報を読み込む（ステップＳＴ１４）。読み込んだ情報内のボリュームディスクリプタから、ＭＰＵ５０は、このディスク１０がＤＶＤディスクであるかどうかを識別する。
【０５４８】
たとえば、物理的な反射条件とリードインエリアの情報により、そのディスク１０はＤＶＤディスクではなく（ステップＳＴ１６ノー）ＣＤであると判定され（ステップＳＴ１８イエス）、ＣＤの再生処理に入る。
【０５４９】
読み込んだ情報が「そのディスクはＤＶＤビデオディスクである」ことを示す情報を含んでおれば（ステップＳＴ１６イエス）、ＭＰＵ５０は図４のルートディレクトリのレコードを読み込む（ステップＳＴ２０）。
【０５５０】
なお、ディスクドライブ３０にセットされたディスク１０がＤＶＤでもＣＤでもないときは（ステップＳＴ１６ノー、ステップＳＴ１８ノー）、図７６の装置の再生動作は終了する。
【０５５１】
次に、ＭＰＵ５０は、読み込んだルートディレクトリレコードから、ＤＶＤビデオデータ（ビデオタイトルセットＶＴＳのデータ）が格納されたサブディレクトリを検索する（ステップＳＴ２２）。
【０５５２】
検索されたサブディレクトリがＶＴＳのディレクトリでなく（ステップＳＴ２４ノー）、他のサブディレクトリがルートディレクトリレコードにあるなら（ステップＳＴ２６イエス）、再びサブディレクトリの検索と検索されたディレクトリがＶＴＳディレクトリであるかどうかのチェックが行われる（ステップＳＴ２２〜ＳＴ２４）。ＶＴＳディレクトリが見つからず他のサブディレクトリもないときは（ステップＳＴ２６ノー）、図７６の装置の再生動作は終了する。
【０５５３】
検索されたサブディレクトリがＶＴＳのディレクトリであれば（ステップＳＴ２４イエス）、ＭＰＵ５０はＶＴＳサブディレクトリのレコードを読み込む（ステップＳＴ２８）。
【０５５４】
次に、ＭＰＵ５０は、読み込んだＶＴＳサブディレクトリレコードから、ＶＴＳの各ファイルを検索する（ステップＳＴ３０）。検索されたファイルが管理データファイルＶＩＤＥＯ＿ＴＳ．ＩＦＯでないが（ステップＳＴ３２ノー）、そのファイルがそのＶＴＳサブディレクトリの最後のファイルでなければ、つまりＶＴＳサブディレクトリにその他のファイルがあれば（ステップＳＴ３４ノー）、再びファイル検索と検索されたファイルがＶＩＤＥＯ＿ＴＳ．ＩＦＯであるかどうかのチェックが行われる（ステップＳＴ３０〜ＳＴ３２）。ＶＩＤＥＯ＿ＴＳ．ＩＦＯのファイルが見つからず他のファイルもないときは（ステップＳＴ３４イエス）、図７６の装置の再生動作は終了する。
【０５５５】
検索されたファイルがビデオマネージャ情報ＶＭＧＩを含む管理データファイルＶＩＤＥＯ＿ＴＳ．ＩＦＯであれば（ステップＳＴ３２イエス）、ＭＰＵ５０はＤＶＤディスク１０の通常再生処理に移る。
【０５５６】
図８３は、図７６の再生装置における通常再生の一例を説明するフローチャートである。
【０５５７】
まず、ＭＰＵ５０は、ＶＴＳサブディレクトリの管理データファイルＶＩＤＥＯ＿ＴＳ．ＩＦＯからビデオマネージャ情報ＶＭＧＩを読み込む（ステップＳＴ１００）。
【０５５８】
次に、ＭＰＵ５０は、ビデオマネージャ情報ＶＭＧＩ（図７）の記述内容にしたがって再生可能なタイトルセット数Ｎの設定その他の種々な設定を行ない（ステップＳＴ１０２）、ビデオマネージャメニュー（図４９）の処理を実行する（ステップＳＴ１０４）。
【０５５９】
続いて、ＭＰＵ５０はタイトルサーチポインタテーブルＴＴ＿ＳＲＰＴを読み込み（ステップＳＴ１０６）、ユーザがこれから再生すべきタイトルセットを選択できるようにビデオマネージャメニューを構成して表示する。
【０５６０】
ユーザが図７８のリモートコントローラ５のカーソルキーおよびエンターキーの操作により所望の再生タイトルを選択すると、選択されたタイトルに対応する再生タイトル番号Ｍ（Ｍは１以上、かつ再生可能タイトルセット数Ｎ以下）が確定する（ステップＳＴ１０８）。
【０５６１】
再生タイトル番号Ｍが確定すると、ＭＰＵ５０は、タイトルサーチポインタテーブルＴＴ＿ＳＲＰＴより対応するビデオタイトルセット情報ＶＴＳＩのアドレスを決定し（ステップＳＴ１１０）、ビデオタイトルセット情報管理テーブルＶＴＳＩ＿ＭＡＴをディスク１０から読み込む（ステップＳＴ１１２）。
【０５６２】
続いて、ＭＰＵ５０はビデオタイトルセット情報管理テーブルＶＴＳＩ＿ＭＡＴ（図３３）から、再生対象タイトルのビデオ、オーディオおよび副映像に関する情報（ストリーム数、属性等）を読み取り、図７６のビデオデコーダ（ＭＰＥＧデコーダ）５８、オーディオデコーダ６０および副映像デコーダ６２を初期化する（ステップＳＴ１１４）。
【０５６３】
その後、ＭＰＵ５０は再生対象タイトルのビデオタイトルセットメニュー（図４９）の処理を実行する（ステップＳＴ１１６）。ユーザは、このビデオタイトルセットメニューから、たとえば再生音声（オーディオ）として英語を選択し、再生字幕（副映像）として日本語を選択できる。
【０５６４】
図８４は、図８３のフローチャートの続きである。まず、ＭＰＵ５０は、再生対象タイトルのパートオブタイトルサーチポインタテーブル情報ＰＴＴ＿ＳＲＰＴＩ（図３４）を読み込む（ステップＳＴ１１８）。
【０５６５】
次に、ＭＰＵ５０は、ユーザがｎ個の再生タイトルユニット（映画ならチャプタ相当）の選択を行なえるように、ＰＴＴ＿ＳＲＰＴＩの記述内容（図３５）にしたがってＶＴＳメニューの処理を実行する（ステップＳＴ１２０）。
【０５６６】
特定の再生タイトルユニットがユーザによりメニュー選択されると、ＭＰＵ５０は対応するパートオブタイトルサーチポインタテーブルＰＴＴ＿ＳＲＰＴを読み込む（ステップＳＴ１２２）。
【０５６７】
その後、読み込まれたＰＴＴ＿ＳＲＰＴの内容（図３７）から、これから再生しようとする再生タイトルユニットのプログラムチェーン番号ＰＧＣＮおよびプログラム番号ＰＧＮがセットされる（ステップＳＴ１２４）。
【０５６８】
次に、ＭＰＵ５０は、再生対象のプログラムチェーン情報テーブルＰＧＣＩＴ（図３８）を読み込み（ステップＳＴ１２６）、その全データ（図３９〜図４０）をワークメモリに保存する（ステップＳＴ１２８）。こうして、これから再生すべきプログラムチェーンＰＧＣが決定される。
【０５６９】
再生プログラムチェーンＰＧＣが決まれば、そのＰＧＣがパレンタルブロックのＰＧＣかどうかチェックされる（ステップＳＴ１３０）。このチェックは、再生対象のプログラムチェーン情報テーブルＰＧＣＩＴ（図３８）内のプログラムチェーンサーチポインタＰＧＣＩ＿ＳＲＰに含まれるプログラムチェーンカテゴリーＶＴＳ＿ＰＧＣ＿ＣＡＴ（図４）の記述（ブロックモードのビット内容）にしたがって行われる。
【０５７０】
パレンタルブロックであれば（ステップＳＴ１３０イエス）所定のパレンタル処理が行われる（ステップＳＴ１３２）。パレンタル動作に該当するときは、つまりそのブロックの再生が禁止されているときは（ステップＳＴ１３４イエス）再生プログラムチェーン番号ＰＧＣＮが１つインクリメントされ、次のＰＧＣの再生にシフトする（ステップＳＴ１３６）。そして、このシフトされたＰＧＣがパレンタル動作に該当するかどうか、再チェックされる（ステップＳＴ１３４）。パレンタルに該当しないプログラムチェーン番号になるまで、以上の処理（ステップＳＴ１３４〜ＳＴ１３６）が反復される。
【０５７１】
パレンタル動作に該当しないプログラムチェーンであれば（ステップＳＴ１３４ノー）、そのプログラムチェーンに該当するプログラムチェーン番号ＰＧＣＮに対応するプログラムチェーン情報ＰＧＣＩ（図２５）が取り出される（ステップＳＴ１３８）。その後、副映像のカラーパレットの決定、再生音声チャネルの決定等の各種初期設定が実行される（ステップＳＴ１４０）。
【０５７２】
図８５は、図８４のフローチャートの続きである。まず、ＭＰＵ５０は、再生対象タイトルのセルアドレステーブル情報ＶＴＳ＿Ｃ＿ＡＤＴ（図６１）を読み込む（ステップＳＴ１４２）。そして、ＶＴＳ＿Ｃ＿ＡＤＴの全データ（図６２〜図６３）をワークメモリに保存する（ステップＳＴ１４４）。
【０５７３】
次に、ＭＰＵ５０は、再生すべきプログラムチェーンのコマンドテーブルＰＧＣ＿ＣＭＤＴ（図７０）を取り出し（ステップＳＴ１４６）、そのプログラムチェーンＰＧＣのプリコマンド（図２２）を実行する（ステップＳＴ１４８）。
【０５７４】
続いて、ＭＰＵ５０はプログラム番号、セルＩＤ番号等をワークメモリに保存し（ステップＳＴ１５０）、これから再生するセルをランダムに再生するか通常再生するか決定する（ステップＳＴ１５２）。
【０５７５】
ランダム再生を行なう場合（ステップＳＴ１５２イエス）は、ランダム関数を用いてランダム数Ｒを発生し（ステップＳＴ１５４）、発生されたランダム数Ｒに対応したセルＩＤ番号のセルを再生する（ステップＳＴ１５６）。
【０５７６】
ランダム再生でない場合（ステップＳＴ１５２ノー）は、通常のセル再生処理が行われる（ステップＳＴ１５８）。このセル再生処理ではビデオタイトルセットセルアドレステーブルＶＴＳ＿Ｃ＿ＡＤＴ内のＶＴＳ＿ＣＰＩ＃１〜ＶＴＳ＿ＣＰＩ＃ｎ（図６１）に対応したＩＤ番号のセルが、順に再生される。
【０５７７】
セル再生が終わると、ＭＰＵ５０はそのセルのセルカテゴリーＣ＿ＣＡＴ（図２８）に書き込まれたセルスチル時間を設定し（ステップＳＴ１６０）、設定された時間セルスチルを実行する（ステップＳＴ１６２）。このセルスチルには、いま再生終了したセルの最終フレームの画面を用いることができる。
【０５７８】
設定された時間のセルスチル実行（スチル画表示）が終了すると、所定のポストコマンド（図２２、図７０）が実行され（ステップＳＴ１６４）、プログラムチェーン番号ＰＧＣＮが更新される（ステップＳＴ１６６）。
【０５７９】
更新後のプログラムチェーン番号がゼロでなければ、つまりまだ再生すべきプログラムチェーンが残っているときは（ステップＳＴ１６８ノー）、図８４のステップＳＴ１３０にジャンプし、全てのＰＧＣの再生が終了するまで、ステップＳＴ１３０〜ステップＳＴ１６６の処理が反復される。
【０５８０】
更新後のプログラムチェーン番号がゼロであれば、つまり全てのプログラムチェーンの再生が終了すれば（ステップＳＴ１６８イエス）、図８３〜図８５の通常再生処理は終了する。
【０５８１】
図８５のステップＳＴ１５６またはＳＴ１５８のセル再生処理は、図８６のように行われる。
【０５８２】
図８６のフローチャートにおいて、セル再生が開始されると（ステップＳＴ４００イエス）、ＭＰＵ５０は、プログラムチェーン情報ＰＧＣＩの内容（図２５〜図３０）より、再生開始アドレスを決定する（ステップＳＴ４０４）。その後、ＭＰＵ５０は、ディスクドライブ３２にデータ読み出し命令をセットする（ステップＳＴ４０６）。
【０５８３】
セル再生開始でなく（ステップＳＴ４００ノー）、ＶＯＢＵも連続していないときは（ステップＳＴ４０２ノー）、ステップＳＴ４０４〜ＳＴ４０６の処理が実行される。セル再生開始でなく（ステップＳＴ４００ノー）、ＶＯＢＵが連続しているときは（ステップＳＴ４０２イエス）、ステップＳＴ４０４〜ＳＴ４０６の処理はスキップされる。
【０５８４】
上記処理に引き続いて、ＭＰＵ５０は、各ＶＯＢＵの先頭のナビゲーションパックをワークメモリに取り込み（ステップＳＴ４０８）、同期情報の設定等を行なう（ステップＳＴ４１０）。
【０５８５】
さらにＭＰＵ５０は、ナビゲーションパック中のＰＣＩパケット１１６の処理を行なう（ステップＳＴ４１２）。このＰＣＩパケット１１６（図１７）には再生制御情報ＰＣＩ（図１８）が含まれ、このＰＣＩにはＰＣＩの一般情報ＰＣＩ＿ＧＩ（図１９）が含まれている。ＭＰＵ５０は、ステップＳＴ４１２において、ＰＣＩ中のハイライト情報ＨＬＩ（図１８）を用いてハイライト処理を実行し、ＰＣＩ＿ＧＩ中のユーザ制御情報ＶＯＢＵ＿ＵＯＰ＿ＣＴＬ（図１９、図２０）を用いて特定のユーザ操作を禁止する操作を実行する。
【０５８６】
ここで、上記ハイライト処理としては、たとえばメニューに表示された選択可能項目を取り囲む副映像フレームをグリーン等の色で目立たせ、ユーザがその項目の選択を決定するとその色を赤に変えるといった処理がある。
【０５８７】
また、上記ユーザ操作禁止操作としては、たとえばユーザが図７８のリモートコントローラ５のアングルキー５ａｎｇを押しても、アングル切替操作を禁止するとともに、そのキー操作はできないことを示すマークをモニタＴＶに表示させるといった処理がある。
【０５８８】
同時に、リモートコントローラ５のアングルキー５ａｎｇのバックライトＬＥＤを消灯し、このアングルキーがその時点では無効であることをユーザに知らせる処理も、ユーザ操作禁止に付随して実行される。
【０５８９】
ＭＰＵ５０は、ステップＳＴ４１２の処理が済むと、ＶＯＢＵスチルかどうかがチェックする（ステップＳＴ４１４）。
【０５９０】
ＶＯＢＵスチルを行なう場合（たとえばプログラムチェーン情報ＰＧＣＩのセル再生情報Ｃ＿ＰＢＩのセル再生モード（図２８）が”１”の場合）（ステップＳＴ４１４イエス）、ＭＰＵ５０はそのＶＯＢＵの再生が終了するまで待機する（ステップＳＴ４１６）。１つのＶＯＢＵの再生時間は０．４秒〜１．２秒程度なので、この待機時間は大した長さではない。
【０５９１】
そのＶＯＢＵの再生が終了すると、その再生の最後でＶＯＢＵスチル処理に入る（ステップＳＴ４１８）。たとえば、そのＶＯＢＵの最後に現れるフレームが、スチル再生される。このスチル再生は、ユーザがリモートコントローラ５または装置本体（図７６）の操作キーパネル４の再生キーを押すまで継続される。
【０５９２】
ステップＳＴ４１４でユーザがポーズキー５ｄを押さなかった場合、またはＶＯＢＵスチル処理中にユーザが再生キー５Ｃを押すと（ステップＳＴ４１４ノー）、ＭＰＵ５０は上記ＶＯＢＵを含むセルの最後かどうかチェックする（ステップＳＴ４２０）。
【０５９３】
セルの最後でなければ（ステップＳＴ４２０ノー）ステップＳＴ４０８に戻り、次のＶＯＢＵのナビゲーションパック８６を取り込んで、ステップＳＴ４０８〜ＳＴ４２０の処理を反復する。セルの最後であれば（ステップＳＴ４２０イエス）、そのときのＶＯＢＵの再生が終了するまで待機する（ステップＳＴ４２２）。
【０５９４】
その後セルスチル処理に入り、プログラムチェーン情報ＰＧＣＩ中のセルスチル時間（図２８）で設定される時間が経過するまで、そのセルの最後に現れるフレームがスチル再生される（ステップＳＴ４２４）。このセルスチル処理ＳＴ４２４は、図８５のＳＴ１６２に対応する。
【０５９５】
セルスチル実行後、セルコマンド（図７３に示すようなナビゲーションコマンドの１種）があれば（ステップＳＴ４２６イエス）、そのコマンドを実行してから図８５に処理が戻る。競るコマンドがなければ（ステップＳＴ４２６ノー）、そのまま図８５に処理が戻る。
【０５９６】
なお、図２８のセルスチル時間の８ビット内容が００００００００ｂのときは、スチルでないことが指定され、それが１１１１１１１１ｂのときは時限なしのスチルが指定され、それが０００００００１ｂ〜１１１１１１１０ｂのときは、この内容で指定された十進数（１〜２５４）を秒数表示した長さのスチル表示が指定される。
【０５９７】
またセルコマンド番号は、該当セルの再生終了時に実行されるべきセルコマンド（図７３のナビゲーションコマンドの１種）の番号を示す。
【０５９８】
図８７は、図８６のナビゲーションパック処理（ＮＶパック処理ＳＴ４１２）の一例を説明するフローチャートである。
【０５９９】
まず、図７６のＭＰＵ５０は、タイトル再生タイプＴＴ＿ＰＢ＿ＴＹ（図１１）、ビデオオブジェクトユニットユーザ操作制御ＶＯＢＵ＿ＵＯＰ＿ＣＴＬ（図２０）およびプログラムチェーンユーザ操作制御ＰＧＣ＿ＵＯＰ＿ＣＴＬ（図３０）を、ワークメモリに保存する（ステップＳＴ５００）。
【０６００】
次に、ＭＰＵ５０は、保存されたＴＴ＿ＰＢ＿ＴＹ、ＶＯＢＵ＿ＵＯＰ＿ＣＴＬおよびＰＧＣ＿ＵＯＰ＿ＣＴＬのうちビット”１”（＝１ｂ）のＵＯＰを検出する（ステップＳＴ５０２）。
【０６０１】
ビット”１”のＵＯＰが１つでも検出されれば、つまりその時点でユーザ操作が禁止されているキーが１つでもあれば（ステップＳＴ５０４イエス）、図８１に例示するように、モニタ６に使用可能キーだけが目立つリモートコントローラ・アイコンがＯＳＤ表示される（ステップＳＴ５０６）。
【０６０２】
さらに、図７６のバックライト付操作キーパネル４のうち、ＵＯＰ＝１ｂでない操作キーの部分を点灯または照明させ（ステップＳＴ５０８）、ＵＯＰ＝１ｂでない操作キー（その時点で使用可能なキー）が何であるかを示すデータが、図７７のリモートコントローラ５のＭＰＵ５Ｂに転送される（ステップＳＴ５１０）。これにより、たとえば図７９に例示するように、リモートコントローラ５の各種操作キーのうちその時点で使用可能なキーのみが目立つように照明される。この場合、照明されていない（使用できない）キーたとえばアングルキーＡＮＧＬＥがオンされても、装置本体のＭＰＵ５０はそのキー操作に反応しない。
【０６０３】
こうして装置本体の操作キーパネル４およびリモートコントローラ５の操作キーのうち使用可能キーだけが照明されたあと、その他のナビゲーションパック処理が実行されて（ステップＳＴ５１２）、図８６のＳＴ４１２に戻る。
【０６０４】
一方、ステップＳＴ５０４においてビット”１”のＵＯＰが１つも検出されなければ、つまりその時点でユーザ操作が禁止されているキーがなければ（ステップＳＴ５０４ノー）、使用可能キーだけが目立つリモートコントローラ・アイコンのＯＳＤ表示はモニタ６の画面から消去される（ステップＳＴ５１４）。また、リモートコントローラ５のＭＰＵ５Ｂには、使用可能なリモートコントローラ・キー全てを照明させるようなデータ入力が行われる（ステップＳＴ５１６）。その後、図８６のＳＴ４１２に戻る。
【０６０５】
図８８は、図８６のナビゲーションパック処理（ＮＶパック処理ＳＴ４１２）の他例を説明するフローチャートである。図８７ではＵＯＰ＝１ｂの検出を装置本体側のＭＰＵ５０で行っているが、図８８ではＵＯＰ＝１ｂの検出をリモートコントローラ側のＭＰＵ５Ｂで行っている。
【０６０６】
すなわち、ユーザ操作禁止情報（ＶＯＢＵ＿ＵＯＰ＿ＣＴＬ等）をワークメモリに保存したあと（ステップＳＴ６００）、ＭＰＵ５０はリモートコントローラ５にユーザ操作禁止情報を転送する（ステップＳＴ６０２）。すると、リモートコントローラ５のＭＰＵ５Ｂに、その時点で使用可能なキーのデータ（ＶＯＢＵ＿ＵＯＰ＿ＣＴＬ等のＵＯＰ０〜ＵＯＰ２４；図７５）が入力される（ステップＳＴ６０４）。そして、ＭＰＵ５Ｂは、ビット”１”が立っているＵＯＰを検出し（ステップＳＴ６０６）、ビット”１”が立っていないＵＯＰに対応する操作キーの照明ＬＥＤだけを点灯させる（ステップＳＴ６０８）。その後、図８６のＳＴ４１２に戻る。
【０６０７】
一方、本体側のＭＰＵ５０では上記ビット”１”が立っているＵＯＰの検出処理は省略され、メニューのハイライト処理等、その他のナビゲーションパック処理が実行される（ステップＳＴ６１０）。
【０６０８】
図８９は、図８６のナビゲーションパック処理（ＮＶパック処理ＳＴ４１２）のさらに他の例を説明するフローチャートである。図８９では、それ以前のＵＯＰビットのビット列が変化した場合に、その変化にしたがってユーザ使用可能キーの表示を行なうようにしている。
【０６０９】
すなわち、ＭＰＵ５０は新たなユーザ操作禁止情報（ＶＯＢＵ＿ＵＯＰ＿ＣＴＬ等）をワークメモリに取り込み（ステップＳＴ７００）、その直前に取り込まれていた旧ユーザ操作禁止情報（ＶＯＢＵ＿ＵＯＰ＿ＣＴＬ等）と、ＵＯＰビット列の比較を行なう（ステップＳＴ７０２）。
【０６１０】
ＵＯＰビットに違いがなければ（ステップＳＴ７０４ノー）使用可能キーに変化はないので、メニューのハイライト処理その他のナビゲーションパック処理を実行してから（ステップＳＴ７１４）、図８６のＳＴ４１２に戻る。
【０６１１】
一方、新・旧のユーザ操作禁止情報（ＶＯＢＵ＿ＵＯＰ＿ＣＴＬ等）のＵＯＰビット列に違いが検出されたときは（ステップＳＴ７０４イエス）、ビットに違いの生じたＵＯＰに対応するキーに使用可能状態の変化が生じたことになる。たとえば旧ＶＯＢＵ＿ＵＯＰ＿ＣＴＬのＵＯＰ２２（図７５）がビット”１”であったものが、新ＶＯＢＵ＿ＵＯＰ＿ＣＴＬのＵＯＰ２２（図７５）ではビット”０”であれば、新ＶＯＢＵ＿ＵＯＰ＿ＣＴＬが取り込まれた時点でアングルキーが使用可能になったことになる。
【０６１２】
こうしてキー使用可能状態に変化が検出されたときは（ステップＳＴ７０４イエス）、装置本体のＭＰＵ５０は、新たなユーザ操作禁止情報（ＶＯＢＵ＿ＵＯＰ＿ＣＴＬ等）に基づいて、使用可能キーが目立つリモートコントローラ・アイコンをモニタ６にＯＳＤ表示し（ステップＳＴ７０６）、リモートコントローラ５のＭＰＵ５Ｂにも新たなユーザ操作禁止情報（ＶＯＢＵ＿ＵＯＰ＿ＣＴＬ等）を転送する（ステップＳＴ７０８）。
【０６１３】
リモートコントローラ５のＭＰＵ５Ｂは、転送されてきた新ＶＯＢＵ＿ＵＯＰ＿ＣＴＬ等のＵＯＰビット列の内容に基づきその時点で使用可能なキーのバックライト照明用ＬＥＤを点灯させ（ステップＳＴ７１０）、その新ＶＯＢＵ＿ＵＯＰ＿ＣＴＬ等のＵＯＰビット列の内容を自分のメモリ（図示せず）に保存する（ステップＳＴ７１２）。
【０６１４】
その後、メニューのハイライト処理その他のナビゲーションパック処理を実行してから（ステップＳＴ７１４）、図８６のＳＴ４１２に戻る。
【０６１５】
図９０は、図７６の再生装置におけるキー割り込み処理の一例を説明するフローチャートである。このキー割り込みは、ユーザが本体操作パネル４またはリモートコントローラ５のいずれかの操作キーを押したときに生じる。
【０６１６】
すなわち、ユーザがいずれかのキーを押すと、その時点でそのキー操作に対応するＵＯＰビットが”１”なのか”０”がチェックされる（ステップＳＴ８００）。
【０６１７】
そのユーザ操作がＵＯＰ禁止キーのオンであれば（ステップＳＴ８０２イエス）、その操作が禁止されていることを示すマークをモニタ６に表示し、そのキー操作が無効であることをユーザに通知する（ステップＳＴ８０４）。
【０６１８】
一方、そのユーザ操作がＵＯＰ禁止キー以外のオンであれば（ステップＳＴ８０２ノー）、そのキー・オンデータはワークメモリに保存され（ステップＳＴ８０６）。そのキー操作に対応する処理に移行する。
【０６１９】
【発明の効果】
以上説明したようにこの発明によれば、その時点時点で変化し得る使用可能キーが逐次ユーザに分かり易く通知される。
【図面の簡単な説明】
【図１】再生専用の光ディスク（ＤＶＤーＲＯＭ）あるいは記録・再生が可能な光ディスク（ＤＶＤーＲＡＭ、ＤＶＤ−ＲＷまたはＤＶＤ−Ｒ）の構造を説明する斜視図。
【図２】図１の光ディスク（ＤＶＤーＲＯＭ、ＤＶＤーＲＡＭまたはＤＶＤ−Ｒ）のデータ記録領域とそこに記録されるデータの記録トラックとの対応関係を説明する図。
【図３】図２の光ディスク（ＤＶＤ−ＲＯＭ、ＤＶＤ−Ｒ等）に記録される情報の階層構造の一例を説明する図。
【図４】図２の光ディスクに記録される情報（データファイル）のディレクトリ構造の一例を説明する図。
【図５】図４のディレクトリ構造に対応したディレクトリレコードの内容の一例を説明する図。
【図６】図３のビデオマネージャＶＭＧの構造を説明する図。
【図７】図６のビデオマネージャ情報管理テーブルＶＭＧＩ＿ＭＡＴの内容を説明する図。
【図８】図６のタイトルサーチポインタテーブルＴＴ＿ＳＲＰＴの内容を説明する図。
【図９】図８のタイトルサーチポインタテーブル情報ＴＴ＿ＳＲＰＴＩの内容を説明する図。
【図１０】図８に示した各タイトル＃ｎ用のタイトルサーチポインタＴＴ＿ＳＲＰの内容を説明する図。
【図１１】図１０に示したタイトル再生タイプＴＴ＿ＰＢ＿ＴＹの内容を説明する図。
【図１２】図３のビデオマネージャＶＭＧから図１１のタイトル再生タイプＴＴ＿ＰＢ＿ＴＹに至るまでの階層パスを説明する図。
【図１３】図３のビデオオブジェクトセットＶＯＢＳに含まれる情報の階層構造の一例を示す図。
【図１４】図１３の階層構造の最下層パックの内容の一例を説明する図。
【図１５】図１４のナビゲーションパックの内容を説明する図。
【図１６】図１４のダミーパックの内容を説明する図。
【図１７】図１５のＰＣＩパケットの内容を説明する図。
【図１８】図１７の再生制御情報ＰＣＩの内容を説明する図。
【図１９】図１８の再生制御情報一般情報ＰＣＩ＿ＧＩの内容を説明する図。
【図２０】図１９に示したＶＯＢＵのユーザ操作制御ＶＯＢＵ＿ＵＯＰ＿ＣＴＬの内容を説明する図。
【図２１】図３のビデオタイトルセットＶＴＳから図２０のユーザ操作制御ＶＯＢＵ＿ＵＯＰ＿ＣＴＬに至るまでの階層パスを説明する図。
【図２２】図３または図１３のセルを多数含む複数プログラムの集合で形成されたプログラムチェーンＰＧＣの構成を説明する図。
【図２３】プログラムチェーンＰＧＣのセルが連続順番に配列されたセルの記録配列を説明する図。
【図２４】プログラムチェーンＰＧＣのセルが非連続順番に配列されたセルの記録配列を説明する図。
【図２５】図２２のプログラムチェーンＰＧＣにおけるプログラムチェーン情報ＰＧＣＩの構造を説明する図。
【図２６】図２５のプログラムチェーン情報ＰＧＣＩに含まれるセル再生情報テーブルＣ＿ＰＢＩＴの内容を説明する図。
【図２７】図２６のセル再生情報テーブルＣ＿ＰＢＩＴに含まれる各セル再生情報Ｃ＿ＰＢＩの内容を説明する図。
【図２８】図２７のセル再生情報Ｃ＿ＰＢＩに含まれるセルカテゴリーＣ＿ＣＡＴの内容を説明する図。
【図２９】図２５のプログラムチェーン情報ＰＧＣＩに含まれるプログラムチェーン一般情報ＰＧＣ＿ＧＩの内容を説明する図。
【図３０】図２９のプログラムチェーン一般情報ＰＧＣ＿ＧＩに含まれるプログラムチェーンユーザ操作制御ＰＧＣ＿ＵＯＰ＿ＣＴＬの内容を説明する図。
【図３１】図３のビデオタイトルセットＶＴＳ（あるいは図２２のプログラムチェーンＰＧＣ）から図３０のユーザ操作制御ＰＧＣ＿ＵＯＰ＿ＣＴＬに至るまでの階層パスを説明する図。
【図３２】図３のビデオタイトルセットＶＴＳの構造を説明する図。
【図３３】図３２のビデオタイトルセット情報管理テーブルＶＴＳＩ＿ＭＡＴの内容を説明する図。
【図３４】図３２のビデオタイトルセットパートオブタイトルサーチポインタテーブルＶＴＳ＿ＰＴＴ＿ＳＲＰＴの内容を説明する図。
【図３５】図３４のパートオブタイトルサーチポインタテーブル情報ＰＴＴ＿ＳＲＰＴＩの内容を説明する図。
【図３６】図３４に示した各タイトルユニット＃ｎ用のサーチポインタＴＴＵ＿ＳＲＰの内容を説明する図。
【図３７】図３４のパートオブタイトル用サーチポインタＰＴＴ＿ＳＲＰの内容を説明する図。
【図３８】図３２のビデオタイトルセット用プログラムチェーン情報テーブルＶＴＳ＿ＰＧＣＩＴの内容を説明する図。
【図３９】図３８のビデオタイトルセット用プログラムチェーン情報テーブル情報ＶＴＳ＿ＰＧＣＩＴＩの内容を説明する図。
【図４０】図３８のビデオタイトルセット用プログラムチェーン情報サーチポインタＶＴＳ＿ＰＧＣＩ＿ＳＲＰの内容を説明する図。
【図４１】図４０のプログラムチェーン情報サーチポインタＶＴＳ＿ＰＧＣＩ＿ＳＲＰに含まれるビデオタイトルセット用プログラムチェーンカテゴリーＶＴＳ＿ＰＧＣ＿ＣＡＴの内容を説明する図。
【図４２】図３２のビデオタイトルセットメニュー用プログラムチェーン情報ユニットテーブルＶＴＳＭ＿ＰＧＣＩ＿ＵＴの内容を説明する図。
【図４３】図４２のビデオタイトルセットメニュー用プログラムチェーン情報ユニットテーブル情報ＶＴＳＭ＿ＰＧＣＩ＿ＵＴＩの内容を説明する図。
【図４４】図４２のビデオタイトルセットメニュー用言語ユニットサーチポインタＶＴＳＭ＿ＬＵ＿ＳＲＰの内容を説明する図。
【図４５】図４２のビデオタイトルセットメニュー用言語ユニットＶＴＳＭ＿ＬＵの内容を説明する図。
【図４６】図４５のビデオタイトルセットメニュー用言語ユニット情報ＶＴＳＭ＿ＬＵＩの内容を説明する図。
【図４７】図４５のビデオタイトルセットメニュー用プログラムチェーン情報サーチポインタＶＴＳＭ＿ＰＧＣＩ＿ＳＲＰの内容を説明する図。
【図４８】図４７のプログラムチェーン情報サーチポインタＶＴＳＭ＿ＰＧＣＩ＿ＳＲＰに含まれるビデオタイトルセットメニュー用プログラムチェーンカテゴリーＶＴＳＭ＿ＰＧＣ＿ＣＡＴの内容を説明する図。
【図４９】図１または図２の光ディスクを再生する装置で使用されるメニューの階層構造を説明する図。
【図５０】図３２のビデオタイトルセット用タイムマップテーブルＶＴＳ＿ＴＭＡＰＴの内容を説明する図。
【図５１】図５０のビデオタイトルセット用タイムマップテーブル情報ＶＴＳ＿ＴＭＡＰＴＩの内容を説明する図。
【図５２】図５０のビデオタイトルセット用タイムマップサーチポインタＶＴＳ＿ＴＭＡＰ＿ＳＲＰの内容を説明する図。
【図５３】図５０のビデオタイトルセット用タイムマップＶＴＳ＿ＴＭＡＰの内容を説明する図。
【図５４】図５３のビデオタイトルセット用タイムマップＶＴＳ＿ＴＭＡＰに含まれるマップエントリーアドレスＭＡＰ＿ＥＮＡの内容を説明する図。
【図５５】図３２のビデオタイトルセットメニュー用セルアドレステーブルＶＴＳＭ＿Ｃ＿ＡＤＴの内容を説明する図。
【図５６】図５５のビデオタイトルセットメニュー用セルアドレステーブル情報ＶＴＳＭ＿Ｃ＿ＡＤＴＩの内容を説明する図。
【図５７】図５５のビデオタイトルセットメニュー用セルピース情報ＶＴＳＭ＿ＣＰＩの内容を説明する図。
【図５８】図３２のビデオタイトルセットメニュー用ビデオオブジェクトユニットアドレスマップＶＴＳＭ＿ＶＯＢＵ＿ＡＤＭＡＰの内容を説明する図。
【図５９】図５８のビデオタイトルセットメニュー用ビデオオブジェクトユニットアドレスマップ情報ＶＴＳＭ＿ＶＯＢＵ＿ＡＤＭＡＰＩの内容を説明する図。
【図６０】図５８の各ビデオタイトルセットメニュー用ビデオオブジェクトユニットアドレスＶＴＳＭ＿ＶＯＢＵ＿ＡＤ＃ｎの内容を説明する図。
【図６１】図３２のビデオタイトルセット用セルアドレステーブルＶＴＳ＿Ｃ＿ＡＤＴの内容を説明する図。
【図６２】図６１のビデオタイトルセット用セルアドレステーブル情報ＶＴＳ＿Ｃ＿ＡＤＴＩの内容を説明する図。
【図６３】図６１のビデオタイトルセット用セルピース情報ＶＴＳ＿ＣＰＩの内容を説明する図。
【図６４】図３２のビデオタイトルセット用ビデオオブジェクトユニットのアドレスマップＶＴＳ＿ＶＯＢＵ＿ＡＤＭＡＰの内容を説明する図。
【図６５】図６４のビデオタイトルセット用ビデオオブジェクトユニットのアドレスマップ情報ＶＴＳ＿ＶＯＢＵ＿ＡＤＭＡＰＩの内容を説明する図。
【図６６】図６４の各ビデオタイトルセット用ビデオオブジェクトユニットのアドレスＶＴＳ＿ＶＯＢＵ＿ＡＤ＃ｎの内容を説明する図。
【図６７】図２２のプログラムチェーンが１個だけで１シーケンシャルＰＧＣタイトルが形成される場合を説明する図。
【図６８】図２２のプログラムチェーンが複数集まってマルチＰＧＣタイトルが形成される場合を説明する図。
【図６９】図３のビデオタイトルセットＶＴＳからナビゲーションコマンド（リンク命令群、ジャンプ命令群等）およびナビゲーションパラメータ（一般パラメータ、システムパラメータ）に至るまでの階層パスを説明する図。
【図７０】図２９のＰＧＣ＿ＣＭＤＴ開始アドレスで指定されたＰＧＣコマンドテーブルＰＧＣ＿ＣＭＤＴの内容を説明する図。
【図７１】図７０のＰＧＣコマンドテーブルＰＧＣ＿ＣＭＤＴ内のポストコマンドＰＯＳＴ＿ＣＭＤの構成を説明する図。
【図７２】図１８の再生制御情報ＰＣＩ内のハイライト情報ＨＬＩに含まれるボタンコマンドＢＴＮ＿ＣＭＤの構成を説明する図。
【図７３】図７０のプリコマンドＰＲＥ＿ＣＭＤ、ポストコマンドＰＯＳＴ＿ＣＭＤ、セルコマンドＣ＿ＣＭＤ、あるいは図７２のボタンコマンドＢＴＮ＿ＣＭＤとして使用されるナビゲーションコマンドの構成を説明する図。
【図７４】図７３のナビゲーションコマンドに含まれるナビゲーションパラメータ設定（ＳｅｔＳｙｓｔｅｍ）命令群の内容を説明する図。
【図７５】図１１のタイトル再生タイプＴＴ＿ＰＢ＿ＴＹでのユーザ操作制御（ＵＯＰ０、ＵＯＰ１）、図２０のユーザ操作制御ＶＯＢＵ＿ＵＯＰ＿ＣＴＬでのユーザ操作制御（ＵＯＰ０〜ＵＯＰ２４）および図３０のユーザ操作制御ＰＧＣ＿ＵＯＰ＿ＣＴＬでのユーザ操作制御（ＵＯＰ０〜ＵＯＰ２４）それぞれの制御ビット（ＵＯＰ０〜ＵＯＰ２４）と、それらに対応するユーザ機能との関係を説明する図。
【図７６】この発明の一実施の形態に係る光ディスク再生装置の概略構成を説明するブロック図。
【図７７】図７６の再生装置に用いられるリモートコントローラの内部構成を説明する図。
【図７８】図７６の再生装置あるいは他の記録再生装置に用いられるリモートコントローラの一例を説明する図。
【図７９】図７６の再生装置で通常の再生が行われている場合において、図７８のリモートコントローラのうちユーザ操作可能なキーのみが点灯表示される例を説明する図。
【図８０】図７６の再生装置でメニュー操作が行われている場合において、図７８のリモートコントローラのうちユーザ操作可能なキーのみが点灯表示される例を説明する図。
【図８１】図７６の再生装置において、ユーザ操作可能なキー以外がゴースト表示されたリモートコントローラのアイコンがモニタ画面に表示される例を説明する図。
【図８２】図７６の再生装置に図１または図２の光ディスクがセットされてからその再生処理に入るまでの動作例を説明するフローチャート図。
【図８３】図７６の再生装置における通常再生の一例を説明するフローチャート図（その１）。
【図８４】図７６の再生装置における通常再生の一例を説明するフローチャート図（その２）。
【図８５】図７６の再生装置における通常再生の一例を説明するフローチャート図（その３）。
【図８６】図７６の再生装置におけるセル再生の一例を説明するフローチャート図。
【図８７】図８６のナビゲーションパック処理（ＮＶパック処理ＳＴ４１２）の一例を説明するフローチャート図。
【図８８】図８６のナビゲーションパック処理（ＮＶパック処理ＳＴ４１２）の他例を説明するフローチャート図。
【図８９】図８６のナビゲーションパック処理（ＮＶパック処理ＳＴ４１２）のさらに他の例を説明するフローチャート図。
【図９０】図７６の再生装置におけるキー割り込み処理の一例を説明するフローチャート図。
【符号の説明】
４…バックライト付操作キーパネル；
４Ａ、５Ａ…リモートコントローラ送受部；
５…リモートコントローラ；
５Ｂ…ＭＰＵ；
５Ｃ…ＬＥＤドライバ；
５Ｄ…操作キーアレイ；
６…ＴＶモニタ；
８…外部アンプおよびスピーカ；
１０…光ディスク（ＤＶＤ）；
１１…カートリッジ；
１４…透明基板（ポリカーボネート）；
１７…記録層；
２０…接着層；
２２…中心孔；
２４…クランピング領域；
２５…情報領域；
２６…リードアウトエリア；
２７…リードインエリア；
２８…データ記録領域；
５４…システムプロセサ；
５４Ａ…データ切分部；
５４Ｂ…メモリＩ／Ｆ；
５６…メモリ；
５８…ＭＰＥＧデコーダ（ビデオデコーダ）；
５９…ビデオプロセサ；
６０…オーディオデコーダ；
６１…デジタル・アナログ変換器；
６２…副映像デコーダ。
【図１】
0003595151.tif 000002
【図２】
0003595151.tif 000003
【図３】
0003595151.tif 000004
【図４】
0003595151.tif 000005
【図５】
0003595151.tif 000006
【図６】
0003595151.tif 000007
【図７】
0003595151.tif 000008
【図８】
0003595151.tif 000009
【図９】
0003595151.tif 000010
【図１０】
0003595151.tif 000011
【図１１】
0003595151.tif 000012
【図１２】
0003595151.tif 000013
【図１３】
0003595151.tif 000014
【図１４】
0003595151.tif 000015
【図１５】
0003595151.tif 000016
【図１６】
0003595151.tif 000017
【図１７】
0003595151.tif 000018
【図１８】
0003595151.tif 000019
【図１９】
0003595151.tif 000020
【図２０】
0003595151.tif 000021
【図２１】
0003595151.tif 000022
【図２２】
0003595151.tif 000023
【図２３】
0003595151.tif 000024
【図２４】
0003595151.tif 000025
【図２５】
0003595151.tif 000026
【図２６】
0003595151.tif 000027
【図２７】
0003595151.tif 000028
【図２８】
0003595151.tif 000029
【図２９】
0003595151.tif 000030
【図３０】
0003595151.tif 000031
【図３１】
0003595151.tif 000032
【図３２】
0003595151.tif 000033
【図３３】
0003595151.tif 000034
【図３４】
0003595151.tif 000035
【図３５】
0003595151.tif 000036
【図３６】
0003595151.tif 000037
【図３７】
0003595151.tif 000038
【図３８】
0003595151.tif 000039
【図３９】
0003595151.tif 000040
【図４０】
0003595151.tif 000041
【図４１】
0003595151.tif 000042
【図４２】
0003595151.tif 000043
【図４３】
0003595151.tif 000044
【図４４】
0003595151.tif 000045
【図４５】
0003595151.tif 000046
【図４６】
0003595151.tif 000047
【図４７】
0003595151.tif 000048
【図４８】
0003595151.tif 000049
【図４９】
0003595151.tif 000050
【図５０】
0003595151.tif 000051
【図５１】
0003595151.tif 000052
【図５２】
0003595151.tif 000053
【図５３】
0003595151.tif 000054
【図５４】
0003595151.tif 000055
【図５５】
0003595151.tif 000056
【図５６】
0003595151.tif 000057
【図５７】
0003595151.tif 000058
【図５８】
0003595151.tif 000059
【図５９】
0003595151.tif 000060
【図６０】
0003595151.tif 000061
【図６１】
0003595151.tif 000062
【図６２】
0003595151.tif 000063
【図６３】
0003595151.tif 000064
【図６４】
0003595151.tif 000065
【図６５】
0003595151.tif 000066
【図６６】
0003595151.tif 000067
【図６７】
0003595151.tif 000068
【図６８】
0003595151.tif 000069
【図６９】
0003595151.tif 000070
【図７０】
0003595151.tif 000071
【図７１】
0003595151.tif 000072
【図７２】
0003595151.tif 000073
【図７３】
0003595151.tif 000074
【図７４】
0003595151.tif 000075
【図７５】
0003595151.tif 000076
【図７６】
0003595151.tif 000077
【図７７】
0003595151.tif 000078
【図７８】
0003595151.tif 000079
【図７９】
0003595151.tif 000080
【図８０】
0003595151.tif 000081
【図８１】
0003595151.tif 000082
【図８２】
0003595151.tif 000083
【図８３】
0003595151.tif 000084
【図８４】
0003595151.tif 000085
【図８５】
0003595151.tif 000086
【図８６】
0003595151.tif 000087
【図８７】
0003595151.tif 000088
【図８８】
0003595151.tif 000089
【図８９】
0003595151.tif 000090
【図９０】
0003595151.tif 000091